(57)【要約】パラメータ構成および電力決定方法、デバイス、および通信ノードが、提供される。パラメータ構成方法は、第１の通信ノードのための少なくとも１つの伝送パラメータ設定セットを構成するステップを含み、伝送パラメータ設定セットは、少なくとも１つの第１の伝送パラメータセットを含み、第１の伝送パラメータセットは、第１の伝送パラメータセットを識別するための伝送パラメータセット識別子、標的受信電力構成情報、パスロス構成情報、または第１の通信ノードによってローカルで維持される閉ループ電力調節量をリセットするかどうかを示すための第１のインジケーション情報のうちの少なくとも１つを含む。既存の技術分野内のＮＲマルチビームシナリオにおける電力制御方式の大きいオーバーヘッドという問題が、解決され、エアインターフェースシグナリングオーバーヘッドを低減させるという効果を達成する。
2020529808.tif 000002
【特許請求の範囲】
【請求項１】
パラメータ構成方法であって、
第１の通信ノードのための少なくとも１つの伝送パラメータ設定セットを構成することを含み、前記伝送パラメータ設定セットは、少なくとも１つの第１の伝送パラメータセットを備え、前記第１の伝送パラメータセットは、前記第１の伝送パラメータセットを識別するための伝送パラメータセット識別子、標的受信電力構成情報、パスロス構成情報、または前記第１の通信ノードによってローカルで維持される閉ループ電力調節量をリセットするかどうかを示すための第１のインジケーション情報のうちの少なくとも１つを備える、方法。
【請求項２】
前記標的受信電力構成情報は、前記第１の通信ノードに関連する標的受信電力の値、受信リソースに関連する前記標的受信電力の値、または伝送リソースおよび前記受信リソースの両方に関連する前記標的受信電力の値のうちの少なくとも１つを備える、請求項１に記載の方法。
【請求項３】
前記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、請求項１に記載の方法。
【請求項４】
前記処理ルールは、前記複数のパスロス量の同等平均を求めること、前記複数のパスロス量の加重平均を求めること、前記複数のパスロス量の最大値を求めること、または前記複数のパスロス量の最小値を求めることのうちの少なくとも１つを含む、請求項３に記載の方法。
【請求項５】
前記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、請求項３に記載の方法。
【請求項６】
以下の情報、すなわち、質測定用参照信号リソース、質測定用参照信号リソースセット、または質測定用参照信号リソース設定のうちの少なくとも１つの中で前記パスロス構成情報を搬送することをさらに含む、請求項１に記載の方法。
【請求項７】
前記第１の伝送パラメータセットはさらに、前記第１の通信ノードのアップリンク伝送リソースを示すためのアップリンク伝送リソース構成情報を備え、前記アップリンク伝送リソース構成情報は、アップリンク参照信号リソースのインジケーション情報と、第２のダウンリンク参照信号リソースのインジケーション情報とを備える、請求項１に記載の方法。
【請求項８】
前記伝送パラメータセット識別子または前記アップリンク伝送リソース構成情報は、異なる伝送チャネルまたは異なる信号によって、前記第１の伝送パラメータセットの中のパラメータの全てまたは一部を共有するために使用される、請求項７に記載の方法。
【請求項９】
前記伝送パラメータ設定セットはさらに、前記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、請求項１に記載の方法。
【請求項１０】
前記電力ヘッドルームレポート構成パラメータは、電力ヘッドルームレポートスイッチ、電力ヘッドルームレポートのための報告周期、前記電力ヘッドルームレポートのための最小報告間隔、パスロス量変化量閾値、電力ヘッドルームレポート変化量閾値、または前記電力ヘッドルームレポートのタイプのうちの少なくとも１つを備える、請求項９に記載の方法。
【請求項１１】
前記第１の通信ノードに関して、前記伝送パラメータ設定セットに対応する、前記第１の通信ノードによってローカルで維持される前記閉ループ電力調節量がリセットされるかどうかを示すための第２のインジケーション情報を構成することであって、前記第２のインジケーション情報は、前記伝送パラメータ設定セットの中の全ての第１の伝送パラメータセットに関して有効である、こと、または
前記第１の通信ノードに関して、前記第１の通信ノードに対応する、前記第１の通信ノードによってローカルで維持される前記閉ループ電力調節量がリセットされるかどうかを示すための第３のインジケーション情報を構成することであって、前記第３のインジケーション情報は、前記第１の通信ノードの全ての伝送パラメータ設定セットの中の全ての第１の伝送パラメータセットに関して有効である、こと
のうちの少なくとも１つをさらに含む、請求項１に記載の方法。
【請求項１２】
所定のルールを使用することによって、前記第１の通信ノードによってローカルで維持される前記閉ループ電力調節量がリセットされるかどうかを決定することをさらに含む、請求項１に記載の方法。
【請求項１３】
所定のルールを使用することによって、前記第１の通信ノードによってローカルで維持される前記閉ループ電力調節量がリセットされるかどうかを決定することは、
前記第１の伝送パラメータセットを構成するときに、前記第１の伝送パラメータセットに対応する、前記第１の通信ノードによってローカルで維持される前記閉ループ電力調節量をリセットすること、
構成された前記第１の伝送パラメータセットの中の前記標的受信電力構成情報が変化するときに、前記第１の伝送パラメータセットに対応する、前記第１の通信ノードによってローカルで維持される前記閉ループ電力調節量をリセットすること、
前記構成された第１の伝送パラメータセットの中の前記パスロス構成情報が変化するときに、前記第１の伝送パラメータセットに対応する、前記第１の通信ノードによってローカルで維持される前記閉ループ電力調節量をリセットすること、または
前記第１の通信ノードのアップリンク伝送リソースが変化するときに、前記アップリンク伝送リソースに対応する前記第１の通信ノードによってローカルで維持される、前記閉ループ電力調節量をリセットすること
のうちの少なくとも１つを含む、請求項１２に記載の方法。
【請求項１４】
前記第１の通信ノードのための前記少なくとも１つの伝送パラメータ設定セットを構成した後に、前記方法はさらに、所定の様式で、または前記伝送パラメータ設定セット識別子によって、前記伝送パラメータ設定セットを示すことを含む、請求項９に記載の方法。
【請求項１５】
上位層シグナリングまたは物理層シグナリングまたは媒体アクセス制御要素を通して、アップリンク伝送リソースを前記第１の通信ノードに示すことをさらに含む、請求項１または１４に記載の方法。
【請求項１６】
前記アップリンク伝送リソースは、質測定用参照信号（ＳＲＳ）のリソースインジケーション情報またはチャネル状態情報参照信号（ＣＳＩ−ＲＳ）のリソースインジケーション情報のうちの少なくとも１つによって識別される、請求項１５に記載の方法。
【請求項１７】
前記第１の伝送パラメータセットは、前記アップリンク伝送リソースと関連関係を有する、請求項１５に記載の方法。
【請求項１８】
前記関連関係は、デフォルト関連関係である、または前記関連関係は、前記物理層シグナリング、前記媒体アクセス制御要素、または前記上位層シグナリングのうちの少なくとも１つによって、前記第１の通信ノードのために構成される、請求項１７に記載の方法。
【請求項１９】
前記第１の通信ノードのための前記少なくとも１つの伝送パラメータ設定セットを構成した後に、前記方法はさらに、
前記アップリンク伝送リソース、または前記伝送パラメータ設定セットを識別するための伝送パラメータ設定セット識別子を通して、少なくとも１つの構成された伝送パラメータ設定セットを前記第１の通信ノードに示すことを含む、請求項７に記載の方法。
【請求項２０】
前記少なくとも１つの構成された伝送パラメータ設定セットを前記第１の通信ノードに示した後に、前記方法はさらに、
伝送電力制御コマンドを前記第１の通信ノードに送信することを含み、前記伝送電力制御コマンドは、１つ以上のアップリンク伝送リソースに対応する、１つ以上の電力調節量を備える、請求項１または７に記載の方法。
【請求項２１】
前記アップリンク伝送リソースの数は、現在の伝送の独立電力制御のアップリンク伝送リソースの数に関連し、前記アップリンク伝送リソースは、伝送パラメータ設定セット識別子によって示される、またはダウンリンク制御情報の中で搬送されるスケジューリング情報によって示される、請求項２０に記載の方法。
【請求項２２】
前記伝送電力制御コマンドに含まれる電力調節量の数は、以下、すなわち、
前記電力調節量の数は、前記現在の伝送のアップリンク伝送リソースの数に従って決定され、各アップリンク伝送リソースは、１つの電力調節量に対応する、
多入力多出力（ＭＩＭＯ）フロー特有の電力制御の場合、前記電力調節量の数は、前記アップリンク伝送リソースの全ての独立ＭＩＭＯフロー特有の電力制御をサポートする、ＭＩＭＯフローの合計である、または
多入力多出力（ＭＩＭＯ）フロー特有の電力制御の場合、前記電力調節量の数は、前記アップリンク伝送リソースの全ての独立ＭＩＭＯフロー特有の電力制御をサポートする、ＭＩＭＯ層の合計である
のうちの少なくとも１つに従って決定される、請求項２０に記載の方法。
【請求項２３】
前記第１の通信ノードに関して、前記第１の通信ノードによって電力ヘッドルームレポートを報告する様式を構成することをさらに含み、前記様式は、
前記第１の通信ノードのために構成される閉ループ電力制御のループ毎に前記電力ヘッドルームレポートを別個に報告すること、または
前記第１の通信ノードのために構成される複数のループに関して、前記複数のループの合同電力ヘッドルームレポートを合同で報告すること
のうちの少なくとも１つを含む、請求項１に記載の方法。
【請求項２４】
前記様式が前記第１の通信ノードのために構成される閉ループ電力制御のループ毎に前記電力ヘッドルームレポートを別個に報告することである場合において、前記電力ヘッドルームレポートを報告するように前記第１の通信ノードをトリガするために構成されるトリガ条件は、以下、すなわち、
規定ループのパスロス量変化が、第１の所定の閾値を超える、
前記規定ループの構成が、変化する、
前記規定ループに対応する電力制御パラメータ識別子の第１の電力制御パラメータが、再構成される、
前記規定ループに対応する前記第１の通信ノードによってローカルで維持される前記閉ループ電力調節量が、故障に起因する場合を除いてリセットされる、
前記電力ヘッドルームレポートと前もって報告された電力ヘッドルームレポートとの間の差異が、第２の所定の閾値を上回る、または
前記電力ヘッドルームレポートが、条件、すなわち、前記電力ヘッドルームレポートが０であること、前記電力ヘッドルームレポートが０未満であること、または前記電力ヘッドルームレポートが第３の所定の閾値未満であることのうちの少なくとも１つを満たす
のうちの少なくとも１つを備える、請求項２３に記載の方法。
【請求項２５】
前記様式が、前記第１の通信ノードのために構成される複数のループに関して、前記複数のループの合同電力ヘッドルームレポートを合同で報告することである場合において、前記電力ヘッドルームレポートを報告するように前記第１の通信ノードをトリガするために構成されるトリガ条件は、以下、すなわち、
前記複数のループの合同電力ヘッドルームレポートの前の報告時間に対して、前記複数のループのうちの全てのループのパスロス量変化の合計が、第４の所定の閾値を超える、
前記複数のループのうちの少なくとも１つのループの構成が、変化する、
前記複数のループのうちの少なくとも１つのループに関して、対応する電力制御パラメータ識別子の第１の電力制御パラメータが、再構成される、
前記複数のループのうちの少なくとも１つのループに関して、前記第１の通信ノードによってローカルで維持される前記閉ループ電力調節量が、故障に起因する場合を除いてリセットされる、
前記合同電力ヘッドルームレポートと前もって報告された合同電力ヘッドルームレポートとの間の差異が、第５の所定の閾値を上回る、または
前記合同電力ヘッドルームレポートが、条件、すなわち、前記合同電力ヘッドルームレポートが０であること、前記合同電力ヘッドルームレポートが０未満であること、または前記合同電力ヘッドルームレポートが第６の所定の閾値未満であることのうちの少なくとも１つを満たす
のうちの少なくとも１つを備える、請求項２３に記載の方法。
【請求項２６】
電力決定方法であって、
規定伝送パラメータセット識別子またはスケジューリング情報を獲得することであって、前記スケジューリング情報は、アップリンク伝送リソースを含む、ことと、
事前に提供される少なくとも１つの第１の伝送パラメータセットの中で、前記獲得された規定伝送パラメータセット識別子またはアップリンク伝送リソースに従って、前記アップリンク伝送リソースまたは前記規定伝送パラメータセット識別子に対応する、１つ以上の第１の伝送パラメータセットを決定することであって、前記第１の伝送パラメータセットは、前記第１の伝送パラメータセットを識別するための伝送パラメータセット識別子、標的受信電力構成情報、パスロス構成情報、または前記第１の通信ノードによってローカルで維持される閉ループ電力調節量をリセットするかどうかを示すための第１のインジケーション情報のうちの少なくとも１つを備える、ことと、
前記決定された第１の伝送パラメータセットに従って、現在のアップリンク伝送の電力を決定することと
を含む、方法。
【請求項２７】
前記標的受信電力構成情報は、前記第１の通信ノードに関連する標的受信電力の値、受信リソースに関連する前記標的受信電力の値、または伝送リソースおよび前記受信リソースの両方に関連する前記標的受信電力の値のうちの少なくとも１つを備える、請求項２６に記載の方法。
【請求項２８】
前記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、請求項２６に記載の方法。
【請求項２９】
前記処理ルールは、前記複数のパスロス量の同等平均を求めること、前記複数のパスロス量の加重平均を求めること、前記複数のパスロス量の最大値を求めること、または前記複数のパスロス量の最小値を求めることのうちの少なくとも１つを含む、請求項２８に記載の方法。
【請求項３０】
前記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、請求項２８に記載の方法。
【請求項３１】
前記規定伝送パラメータセット識別子または前記スケジューリング情報を獲得する前に、前記方法はさらに、
少なくとも１つの伝送パラメータ設定セットを獲得することを含み、前記少なくとも１つの伝送パラメータ設定セットは、前記少なくとも１つの第１の伝送パラメータセットを備える、請求項２６に記載の方法。
【請求項３２】
前記獲得された伝送パラメータセット識別子に従って、事前に提供された少なくとも１つの伝送パラメータセットの中の前記伝送パラメータセット識別子に対応する、１つの伝送パラメータセットを決定する場合、前記第１の伝送パラメータセットはさらに、前記第１の通信ノードのアップリンク伝送リソースを示すためのアップリンク伝送リソース構成情報を備え、前記アップリンク伝送リソース構成情報は、アップリンク参照信号リソースのインジケーション情報と、第２のダウンリンク参照信号リソースのインジケーション情報とを備える、請求項３１に記載の方法。
【請求項３３】
前記伝送パラメータ設定セットはさらに、前記伝送パラメータ設定セットを識別するための伝送パラメータ設定セット識別子、セル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、請求項３１に記載の方法。
【請求項３４】
前記電力ヘッドルームレポート構成パラメータは、電力ヘッドルームレポートスイッチ、電力ヘッドルームレポートのための報告周期、前記電力ヘッドルームレポートのための最小報告間隔、パスロス量変化量閾値、電力ヘッドルームレポート変化量閾値、または前記電力ヘッドルームレポートのタイプのうちの少なくとも１つを備える、請求項３３に記載の方法。
【請求項３５】
１つの決定された第１の伝送パラメータセットに従って、前記現在のアップリンク伝送の電力を決定する前に、前記方法はさらに、
前記伝送パラメータ設定セット識別子または前記スケジューリング情報のうちの少なくとも１つに従って、前記現在の伝送のアップリンク伝送リソースを決定することを含む、請求項３４に記載の方法。
【請求項３６】
１つの決定された第１の伝送パラメータセットに従って、前記現在のアップリンク伝送の電力を決定する前に、前記方法はさらに、
規定の第１の伝送パラメータセットを獲得することと、
前記獲得された規定の第１の伝送パラメータセットに従って、前記規定の第１の伝送パラメータの伝送パラメータセット識別子に対応する、前記第１の伝送パラメータセットを更新することと
を含む、請求項２６に記載の方法。
【請求項３７】
前記決定された第１の伝送パラメータセットに従って、前記現在のアップリンク伝送の電力を決定することは、
第１の伝送パラメータセットに関して、前記パスロス構成情報に従って、アップリンク伝送のパスロス量を計算することと、
前記第１の伝送パラメータセットの中で前記第１の通信ノードによってローカルで維持される前記閉ループ電力調節量を維持することと、
前記標的受信電力構成情報、前記アップリンク伝送のパスロス量、および前記第１の通信ノードによってローカルで維持される前記閉ループ電力調節量に従って、前記現在のアップリンク伝送の電力を決定することと
を含む、請求項２６に記載の方法。
【請求項３８】
前記第１の伝送パラメータセットの中で前記第１の通信ノードによってローカルで維持される前記閉ループ電力調節量を維持することは、
伝送電力制御コマンドを受信することと、
前記伝送電力制御コマンドによって搬送される電力調節量に従って、前記第１の通信ノードによってローカルで維持される前記閉ループ電力調節量を調節することと
を含む、請求項３７に記載の方法。
【請求項３９】
前記パスロス構成情報に従って、前記アップリンク伝送のパスロス量を計算することは、
前記アップリンク伝送リソースを使用して第１のダウンリンク参照信号リソース上で参照信号ＲＳを受信し、前記参照信号のパスロス値を取得することであって、前記第１のダウンリンク参照信号リソースは、前記パスロス構成情報に含まれる前記第１のダウンリンク参照信号リソースのインジケーション情報によって示される、ダウンリンク参照信号リソースである、ことと、
パスロス構成情報に含まれる複数のパスロス量のための処理ルールに従って、前記測定されたパスロス量を処理し、前記アップリンク伝送のパスロス量を取得することと
を含む、請求項３７に記載の方法。
【請求項４０】
前記第１の伝送パラメータセットが前記第１のインジケーション情報を備える場合において、前記第１の伝送パラメータセットに含まれる前記第１のインジケーション情報に従って、前記第１の伝送パラメータセットに対応する、前記第１の通信ノードによってローカルで維持される前記閉ループ電力調節量をリセットするかどうかを決定すること、
前記第１の通信ノードのために第２の通信ノードによって構成される所定のルールに従って、前記第１の通信ノードによってローカルで維持される前記閉ループ電力調節量をリセットするかどうかを決定することであって、前記所定のルールは、前記第１の伝送パラメータセットを構成するときに、前記第１の伝送パラメータセットに対応する、前記第１の通信ノードによってローカルで維持される前記閉ループ電力調節量をリセットすること、前記構成された第１の伝送パラメータセットの中の前記標的受信電力構成情報が変化するときに、前記第１の伝送パラメータセットに対応する、前記第１の通信ノードによってローカルで維持される前記閉ループ電力調節量をリセットすること、前記構成された第１の伝送パラメータセットの中の前記パスロス構成情報が変化するときに、前記第１の伝送パラメータセットに対応する、前記第１の通信ノードによってローカルで維持される前記閉ループ電力調節量をリセットすること、または前記第１の通信ノードのアップリンク伝送リソースが変化するときに、前記アップリンク伝送リソースに対応する前記第１の通信ノードによってローカルで維持される、前記閉ループ電力調節量をリセットすることのうちの少なくとも１つを含む、こと
のうちの少なくとも１つをさらに含む、請求項２６に記載の方法。
【請求項４１】
所定の報告様式で電力ヘッドルームレポートを前記第１の通信ノードに報告することをさらに含み、前記所定の報告様式は、
閉ループ電力制御のループ毎に前記電力ヘッドルームレポートを別個に報告すること、または
複数のループに関して、前記複数のループの合同電力ヘッドルームレポートを合同で報告すること
のうちの少なくとも１つを含む、請求項２６に記載の方法。
【請求項４２】
前記所定の報告様式が閉ループ電力制御のループ毎に前記電力ヘッドルームレポートを別個に報告することである場合において、前記電力ヘッドルームレポートの報告をトリガするために構成されるトリガ条件は、以下、すなわち、
規定ループのパスロス量変化が、第１の所定の閾値を超える、
前記規定ループの構成が、変化する、
前記規定ループに対応する電力制御パラメータ識別子の第１の電力制御パラメータが、再構成される、
前記規定ループに対応する前記第１の通信ノードによってローカルで維持される前記閉ループ電力調節量が、故障に起因する場合を除いてリセットされる、
前記電力ヘッドルームレポートと前もって報告された電力ヘッドルームレポートとの間の差異が、第２の所定の閾値を上回る、または
前記電力ヘッドルームレポートが、条件、すなわち、前記電力ヘッドルームレポートが０であること、前記電力ヘッドルームレポートが０未満であること、または前記電力ヘッドルームレポートが第３の所定の閾値未満であることのうちの少なくとも１つを満たす
のうちの少なくとも１つを備える、請求項４１に記載の方法。
【請求項４３】
前記所定の報告様式が、複数のループに関して、前記複数のループの合同電力ヘッドルームレポートを合同で報告することである場合において、前記電力ヘッドルームレポートの報告をトリガするために構成されるトリガ条件は、以下、すなわち、
前記複数のループの合同電力ヘッドルームレポートの前の報告時間に対して、前記複数のループのうちの全てのループのパスロス量変化の合計が、第４の所定の閾値を超える、
前記複数のループのうちの少なくとも１つのループの構成が、変化する、
前記複数のループのうちの少なくとも１つのループに関して、対応する電力制御パラメータ識別子の第１の電力制御パラメータが、再構成される、
前記複数のループのうちの少なくとも１つのループに関して、前記第１の通信ノードによってローカルで維持される前記閉ループ電力調節量が、故障に起因する場合を除いてリセットされる、
前記合同電力ヘッドルームレポートと前もって報告された合同電力ヘッドルームレポートとの間の差異が、第５の所定の閾値を上回る、または
前記合同電力ヘッドルームレポートが、条件、すなわち、前記合同電力ヘッドルームレポートが０であること、前記合同電力ヘッドルームレポートが０未満であること、または前記合同電力ヘッドルームレポートが第６の所定の閾値未満であることのうちの少なくとも１つを満たす
のうちの少なくとも１つを備える、請求項４１に記載の方法。
【請求項４４】
パラメータ構成デバイスであって、
第１の通信ノードのための少なくとも１つの伝送パラメータ設定セットを構成するように構成される、構成モジュールを備え、前記伝送パラメータ設定セットは、少なくとも１つの第１の伝送パラメータセットを備え、前記第１の伝送パラメータセットは、前記第１の伝送パラメータセットを識別するための伝送パラメータセット識別子、標的受信電力構成情報、パスロス構成情報、または前記第１の通信ノードによってローカルで維持される閉ループ電力調節量をリセットするかどうかを示すための第１のインジケーション情報のうちの少なくとも１つを備える、デバイス。
【請求項４５】
前記標的受信電力構成情報は、前記第１の通信ノードに関連する標的受信電力の値、受信リソースに関連する前記標的受信電力の値、または伝送リソースおよび前記受信リソースの両方に関連する前記標的受信電力の値のうちの少なくとも１つを備え、前記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、請求項４４に記載のデバイス。
【請求項４６】
前記処理ルールは、前記複数のパスロス量の同等平均を求めること、前記複数のパスロス量の加重平均を求めること、前記複数のパスロス量の最大値を求めること、または前記複数のパスロス量の最小値を求めることのうちの少なくとも１つを含む、請求項４５に記載のデバイス。
【請求項４７】
前記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、請求項４５に記載のデバイス。
【請求項４８】
前記第１の伝送パラメータセットはさらに、前記第１の通信ノードのアップリンク伝送リソースを示すためのアップリンク伝送リソース構成情報を備え、前記アップリンク伝送リソース構成情報は、アップリンク参照信号リソースのインジケーション情報と、第２のダウンリンク参照信号リソースのインジケーション情報とを備える、請求項４４に記載のデバイス。
【請求項４９】
前記伝送パラメータ設定セットはさらに、前記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、請求項４４に記載のデバイス。
【請求項５０】
電力決定デバイスであって、
規定伝送パラメータセット識別子またはスケジューリング情報を獲得するように構成される、獲得モジュールであって、前記スケジューリング情報は、アップリンク伝送リソースを含む、獲得モジュールと、
事前に提供される少なくとも１つの第１の伝送パラメータセットから、前記獲得された規定伝送パラメータセット識別子またはアップリンク伝送リソースに従って、前記規定伝送パラメータセット識別子またはアップリンク伝送リソースに対応する、１つ以上の第１の伝送パラメータセットを決定するように構成される、第１の決定モジュールであって、前記第１の伝送パラメータセットは、前記第１の伝送パラメータセットを識別するための伝送パラメータセット識別子、標的受信電力構成情報、パスロス構成情報、または前記第１の通信ノードによってローカルで維持される閉ループ電力調節量をリセットするかどうかを示すための第１のインジケーション情報のうちの少なくとも１つを備える、第１の決定モジュールと、
１つの決定された第１の伝送パラメータセットに従って、現在のアップリンク伝送の電力を決定するように構成される、第２の決定モジュールと
を備える、デバイス。
【請求項５１】
前記標的受信電力構成情報は、前記第１の通信ノードに関連する標的受信電力の値、受信リソースに関連する前記標的受信電力の値、または伝送リソースおよび前記受信リソースの両方に関連する前記標的受信電力の値のうちの少なくとも１つを備え、前記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、請求項５０に記載のデバイス。
【請求項５２】
前記処理ルールは、前記複数のパスロス量の同等平均を求めること、前記複数のパスロス量の加重平均を求めること、前記複数のパスロス量の最大値を求めること、または前記複数のパスロス量の最小値を求めることのうちの少なくとも１つを含む、請求項５１に記載のデバイス。
【請求項５３】
前記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、請求項５１に記載のデバイス。
【請求項５４】
前記第１の伝送パラメータセットはさらに、前記第１の通信ノードのアップリンク伝送リソースを示すためのアップリンク伝送リソース構成情報を備え、前記アップリンク伝送リソース構成情報は、アップリンク参照信号リソースのインジケーション情報と、第２のダウンリンク参照信号リソースのインジケーション情報とを備える、請求項５０に記載のデバイス。
【請求項５５】
前記獲得モジュールは、少なくとも１つの伝送パラメータ設定セットを獲得するように構成され、前記伝送パラメータ設定セットは、少なくとも１つの第１の伝送パラメータセットを備える、請求項５０に記載のデバイス。
【請求項５６】
前記伝送パラメータ設定セットはさらに、前記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、請求項５５に記載のデバイス。
【請求項５７】
プログラムを実行するように構成されるプロセッサを備える通信ノードであって、実行されると、前記プログラムは、請求項１−２５のいずれか１項に記載の方法を実行する、通信ノード。
【請求項５８】
プログラムを実行するように構成されるプロセッサを備える通信ノードであって、実行されると、前記プログラムは、請求項２６−４３のいずれか１項に記載の方法を実行する、通信ノード。
【請求項５９】
記憶されたプログラムを備える記憶媒体であって、前記プログラムは、実行されると、請求項１−４３のいずれか１項に記載の方法を実行する、記憶媒体。
【請求項６０】
プログラムを実行するように構成される、プロセッサであって、実行されると、前記プログラムは、請求項１−４３のいずれか１項に記載の方法を実行する、プロセッサ。
【発明の詳細な説明】
【技術分野】
【０００１】
（関連出願の相互参照）
本願は、その内容全体が参照することによって本明細書に組み込まれる、２０１７年８月１１日に出願された中国特許出願第２０１７１０６８７９６１．８号に基づき、その優先権を主張する。
【０００２】
本願は、通信の分野に関し、特に、パラメータ構成方法およびデバイス、電力決定方法およびデバイス、および通信ノードに関する。
【背景技術】
【０００３】
現在、新規無線（ＮＲ）技術が、開発中である。第５世代モバイル通信システムとして、本技術は、かつてないほど多くのタイプの用途シナリオをサポートする必要があり、また、従来の周波数帯域、高周波数帯域、およびビームモードを同時にサポートする必要もあり、これは、電力制御設計に多大な課題をもたらす。
【０００４】
ロングタームエボリューション（ＬＴＥ）における電力制御は、パスロス、標的受信電力、最大伝送電力、閉ループ電力調節量、伝送帯域幅、および伝送レート等の多くの要因に関連する。ＮＲにおけるマルチビームシナリオでは、電力制御パラメータの一部は、ビームまたは伝送ビームペアリンク（ＢＰＬ）に関連するべきである。精密な電力制御を追求するために、全てのビーム関連電力制御パラメータは、ＢＰＬに従って最良に構成および維持されるが、ＢＰＬ関連パラメータは、チャネル変化に敏感である。伝送または受信ビームの任意の変化は、ＢＰＬ関連パラメータ構成の更新を引き起こし、エアインターフェースシグナリングオーバーヘッドの増加につながり得る。また、頻繁なパラメータ変化はまた、閉ループ電力制御の安定性のために有益ではない。
【０００５】
可能な限りオーバーヘッドを低減させるため、かつ要件を満たすために、その伝送および受信リソース、特に、ビームリソースは、頻繁にビームモードを変化させ得、電力制御パラメータの中のビーム関連パラメータと、伝送に使用されるリソース、特に、ビームリソースとの間の関係が、明確にされる必要がある。
【０００６】
関連技術分野内の上記の技術的問題に照らして、いかなる有効なソリューションもまだ提案されていない。
【発明の概要】
【課題を解決するための手段】
【０００７】
本願の実施形態は、既存の技術分野内のＮＲマルチビームシナリオにおける電力制御方式の大きいオーバーヘッドを少なくとも解決するためのパラメータ構成方法およびデバイス、電力決定方法およびデバイス、および通信ノードを提供する。
【０００８】
本願のある実施形態によると、パラメータ構成方法が、提供される。本方法は、第１の通信ノードのための少なくとも１つの伝送パラメータ設定セットを構成するステップを含み、伝送パラメータ設定セットは、少なくとも１つの第１の伝送パラメータセットを含む。第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む。
【０００９】
実施形態では、Ｐ０構成情報は、第１の通信ノードに関連するＰ０の値、受信リソースに関連するＰ０の値、または伝送リソースおよび受信リソースの両方に関連するＰ０の値のうちの少なくとも１つを含む。
【００１０】
実施形態では、ＰＬ構成情報は、第１のダウンリンク参照信号（ＤＬ  ＲＳ）リソースのインジケーション情報、複数のＰＬ値のための処理ルール、アップリンク参照信号受信電力（ＲＳＲＰ）、またはアップリンクＰＬ値のうちの少なくとも１つを含む。
【００１１】
実施形態では、処理ルールは、複数のＰＬ値の同等平均を求めるステップ、複数のＰＬ値の加重平均を求めるステップ、複数のＰＬ値の最大値を求めるステップ、または複数のＰＬ値の最小値を求めるステップのうちの少なくとも１つを含む。
【００１２】
実施形態では、第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含む。
【００１３】
実施形態では、本方法はさらに、以下の情報、すなわち、質測定用参照信号リソース、質測定用参照信号リソースセット、または質測定用参照信号リソース設定のうちの少なくとも１つの中でＰＬ構成情報を搬送するステップを含む。
【００１４】
実施形態では、第１の伝送パラメータセットはさらに、第１の通信ノードのアップリンク伝送リソースを示すためのアップリンク伝送リソース構成情報を含み、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【００１５】
実施形態では、伝送パラメータセット識別子またはアップリンク伝送リソース構成情報は、異なる伝送チャネルまたは異なる信号によって、第１の伝送パラメータセットの中のパラメータの全てまたは一部を共有するために使用される。
【００１６】
実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【００１７】
実施形態では、ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含む。
【００１８】
実施形態では、本方法はさらに、第１の通信ノードに関して、第１の通信ノードによってローカルで維持され、伝送パラメータ設定セットに対応する、閉ループ電力調節量がリセットされるかどうかを示すための第２のインジケーション情報を構成するステップであって、第２のインジケーション情報は、伝送パラメータ設定セットの中の全ての第１の伝送パラメータセットに関して有効である、ステップ、または第１の通信ノードに関して、第１の通信ノードによってローカルで維持され、第１の通信ノードに対応する、閉ループ電力調節量がリセットされるかどうかを示すための第３のインジケーション情報を構成するステップであって、第３のインジケーション情報は、第１の通信ノードの全ての伝送パラメータ設定セットの中の全ての第１の伝送パラメータセットに関して有効である、ステップのうちの少なくとも１つを含む。
【００１９】
実施形態では、本方法はさらに、所定のルールを使用することによって、第１の通信ノードによってローカルで維持される閉ループ電力調節量がリセットされるかどうかを規定するステップを含む。
【００２０】
実施形態では、所定のルールを使用することによって、第１の通信ノードによってローカルで維持される閉ループ電力調節量がリセットされるかどうかを規定するステップは、第１の伝送パラメータセットを構成するときに、第１の伝送パラメータセットに対応する、第１の通信ノードによってローカルで維持される閉ループ電力調節量をリセットするステップ、構成された第１の伝送パラメータセットの中の標的受信電力構成情報が変化するときに、第１の伝送パラメータセットに対応する、第１の通信ノードによってローカルで維持される閉ループ電力調節量をリセットするステップ、構成された第１の伝送パラメータセットの中のパスロス構成情報が変化するときに、第１の伝送パラメータセットに対応する、第１の通信ノードによってローカルで維持される閉ループ電力調節量をリセットするステップ、または第１の通信ノードのアップリンク伝送リソースが変化するときに、アップリンク伝送リソースに対応する、第１の通信ノードによってローカルで維持される閉ループ電力調節量をリセットするステップのうちの少なくとも１つを含む。
【００２１】
実施形態では、第１の通信ノードのための少なくとも１つの伝送パラメータ設定セットを構成した後に、本方法はさらに、所定の様式で、または伝送パラメータ設定セット識別子によって、伝送パラメータ設定セットを示すステップを含む。
【００２２】
実施形態では、本方法はさらに、上位層シグナリングまたは物理層シグナリングまたは媒体アクセス制御要素（ＭＡＣ  ＣＥ）を通して、アップリンク伝送リソースを第１の通信ノードに示すステップを含む。
【００２３】
実施形態では、第１の伝送パラメータセットは、アップリンク伝送リソースと関連関係を有する。
【００２４】
実施形態では、関連関係は、デフォルト関連関係である、または関連関係は、物理層シグナリング、ＭＡＣ  ＣＥ、または上位層シグナリングのうちの少なくとも１つによって、第１の通信ノードのために構成される。
【００２５】
実施形態では、第１の通信ノードのための少なくとも１つの伝送パラメータ設定セットを構成した後に、本方法はさらに、アップリンク伝送リソース、または伝送パラメータ設定セットを識別するための伝送パラメータ設定セット識別子を通して、少なくとも１つの構成された伝送パラメータ設定セットを第１の通信ノードに示すステップを含む。
【００２６】
実施形態では、少なくとも１つの構成された伝送パラメータ設定セットを第１の通信ノードに示した後に、本方法はさらに、伝送電力制御コマンドを第１の通信ノードに送信するステップを含み、伝送電力制御コマンドは、１つ以上のアップリンク伝送リソースに対応する、１つ以上の電力調節量デルタを含む。
【００２７】
実施形態では、アップリンク伝送リソースの数は、現在の伝送の独立電力制御のアップリンク伝送リソースの数に関連し、アップリンク伝送リソースは、伝送パラメータ設定セット識別子またはダウンリンク制御情報（ＤＣＩ）の中で搬送されるスケジューリング情報によって示される。
【００２８】
実施形態では、伝送電力制御コマンドに含まれる電力調節量デルタの数は、以下、すなわち、電力調節量の数は、現在の伝送のアップリンク伝送リソースの数に従って決定され、各アップリンク伝送リソースは、１つのデルタに対応する、多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯフローの合計である、または多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯ層の合計である、のうちの少なくとも１つに従って決定される。
【００２９】
実施形態では、本方法はさらに、第１の通信ノードに関して、第１の通信ノードによってＰＨＲを報告する様式を構成するステップを含み、様式は、第１の通信ノードによって構成される閉ループ電力制御のループ毎にＰＨＲを別個に報告するステップ、または第１の通信ノードによって構成される複数のループに関して、複数のループの合同ＰＨＲを合同で報告するステップのうちの少なくとも１つを含む。
【００３０】
実施形態では、様式が第１の通信ノードによって構成される閉ループ電力制御のループ毎にＰＨＲを別個に報告するステップである場合において、ＰＨＲを報告するように第１の通信ノードをトリガするためのトリガ条件は、以下、すなわち、規定ループのＰＬ変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障に起因する場合を除いてリセットされる、ＰＨＲと前もって報告されたＰＨＲとの間の差異が、第２の所定の閾値を上回る、またはＰＨＲが、条件、すなわち、ＰＨＲが０であること、ＰＨＲが０未満であること、またはＰＨＲが第３の所定の閾値未満であることのうちの少なくとも１つを満たす、のうちの少なくとも１つを含む。
【００３１】
実施形態では、様式が、第１の通信ノードによって構成される複数のループに関して、複数のループの合同ＰＨＲを合同で報告するステップである場合において、ＰＨＲを報告するように第１の通信ノードをトリガするために構成されるトリガ条件は、以下、すなわち、複数のループの合同ＰＨＲの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同ＰＨＲと前もって報告された合同ＰＨＲレポートとの間の差異が、第５の所定の閾値を上回る、または合同ＰＨＲが、条件、すなわち、合同ＰＨＲが０であること、合同ＰＨＲが０未満であること、または合同ＰＨＲが第３の所定の閾値未満であることのうちの少なくとも１つを満たす、のうちの少なくとも１つを含む。
【００３２】
本願のある実施形態によると、電力決定方法が、提供される。本方法は、規定伝送パラメータセット識別子またはスケジューリング情報を獲得するステップであって、スケジューリング情報は、アップリンク伝送リソースを含む、ステップと、事前に提供される少なくとも１つの第１の伝送パラメータセットの間から、獲得された規定伝送パラメータセット識別子またはアップリンク伝送リソースに従って、アップリンク伝送リソースまたは規定伝送パラメータセット識別子に対応する、１つ以上の第１の伝送パラメータセットを決定するステップであって、第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む、ステップと、１つの決定された第１の伝送パラメータセットに従って、現在のアップリンク伝送の電力を決定するステップとを含む。
【００３３】
実施形態では、Ｐ０構成情報は、第１の通信ノードに関連するＰ０の値、受信リソースに関連するＰ０の値、または伝送リソースおよび受信リソースの両方に関連するＰ０の値のうちの少なくとも１つを含む。
【００３４】
実施形態では、ＰＬ構成情報は、第１のダウンリンク参照信号（ＤＬ  ＲＳ）リソースのインジケーション情報、複数のＰＬ値のための処理ルール、アップリンク参照信号受信電力（ＲＳＲＰ）、またはアップリンクＰＬ値のうちの少なくとも１つを含む。
【００３５】
実施形態では、処理ルールは、複数のＰＬ値の同等平均を求めるステップ、複数のＰＬ値の加重平均を求めるステップ、複数のＰＬ値の最大値を求めるステップ、または複数のＰＬ値の最小値を求めるステップのうちの少なくとも１つを含む。
【００３６】
実施形態では、第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含む。
【００３７】
実施形態では、規定伝送パラメータセット識別子またはスケジューリング情報を獲得する前に、本方法はさらに、少なくとも１つの伝送パラメータ設定セットを獲得するステップを含み、伝送パラメータ設定セットは、少なくとも１つの第１の伝送パラメータセットを含む。
【００３８】
実施形態では、獲得された伝送パラメータセット識別子に従って、事前に提供された少なくとも１つの伝送パラメータセットの中の伝送パラメータセット識別子に対応する、１つの伝送パラメータセットを決定する場合、第１の伝送パラメータセットはさらに、第１の通信ノードのアップリンク伝送リソースを示すためのアップリンク伝送リソース構成情報を含み、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【００３９】
実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【００４０】
実施形態では、ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含む。
【００４１】
実施形態では、１つの決定された第１の伝送パラメータセットに従って、現在のアップリンク伝送の電力を決定した後に、本方法はさらに、伝送パラメータ設定セット識別子またはスケジューリング情報のうちの少なくとも１つに従って、現在の伝送のアップリンク伝送リソースを決定するステップを含む。
【００４２】
実施形態では、１つの決定された第１の伝送パラメータセットに従って、現在のアップリンク伝送の電力を決定する前に、本方法はさらに、規定の第１の伝送パラメータセットを獲得するステップと、獲得された規定の第１の伝送パラメータセットに従って、規定の第１の伝送パラメータの伝送パラメータセット識別子に対応する、第１の伝送パラメータセットを更新するステップとを含む。
【００４３】
実施形態では、１つの決定された第１の伝送パラメータセットに従って、現在のアップリンク伝送の電力を決定するステップは、第１の伝送パラメータセットに関して、ＰＬ構成情報に従って、アップリンク伝送のＰＬを計算するステップと、第１の伝送パラメータセットの中で第１の通信ノードによってローカルで維持される閉ループ電力調節量を維持するステップと、Ｐ０構成情報、アップリンク伝送のパスロス量、および第１の通信ノードによってローカルで維持される閉ループ電力調節量に従って、現在のアップリンク伝送の電力を決定するステップとを含む。
【００４４】
実施形態では、第１の伝送パラメータセットの中で第１の通信ノードによってローカルで維持される閉ループ電力調節量を維持するステップは、伝送電力制御コマンドを受信するステップと、伝送電力制御コマンドによって搬送される電力調節量に従って、第１の通信ノードによってローカルで維持される閉ループ電力調節量デルタを調節するステップとを含む。
【００４５】
実施形態では、パスロス構成情報に従って、アップリンク伝送のパスロス量を計算するステップは、アップリンク伝送リソースを使用して第１のダウンリンク参照信号リソース上で参照信号ＲＳを受信し、参照信号のパスロス値を取得するステップであって、第１のダウンリンク参照信号リソースは、パスロス構成情報に含まれる第１のダウンリンク参照信号リソースのインジケーション情報によって示される、ダウンリンク参照信号リソースである、ステップと、パスロス構成情報に含まれる複数のパスロス量のための処理ルールに従って、測定されたパスロス量を処理し、アップリンク伝送のパスロス量を取得するステップとを含む。
【００４６】
実施形態では、本方法はさらに、第１の伝送パラメータセットが第１のインジケーション情報を含む場合において、第１の伝送パラメータセットに含まれる第１のインジケーション情報に従って、第１の伝送パラメータセットに対応する、第１の通信ノードによってローカルで維持される閉ループ電力調節量をリセットするかどうかを決定するステップ、第１の通信ノードのために第２の通信ノードによって構成される所定のルールに従って、第１の通信ノードによってローカルで維持される閉ループ電力調節量をリセットするかどうかを決定するステップのうちの少なくとも１つを含む。所定のルールは、第１の伝送パラメータセットを構成する度に、第１の伝送パラメータセットに対応する、第１の通信ノードによってローカルで維持される閉ループ電力調節量をリセットするステップ、構成された第１の伝送パラメータセットの中のＰ０構成情報が変化する度に、第１の伝送パラメータセットに対応する、第１の通信ノードによってローカルで維持される閉ループ電力調節量をリセットするステップ、構成された第１の伝送パラメータセットの中のＰＬ構成情報が変化する度に、第１の伝送パラメータセットに対応する、第１の通信ノードによってローカルで維持される閉ループ電力調節量をリセットするステップ、または第１の通信ノードのアップリンク伝送リソースが変化する度に、アップリンク伝送リソースに対応する、第１の通信ノードによってローカルで維持される閉ループ電力調節量をリセットするステップのうちの少なくとも１つを含む。
【００４７】
実施形態では、本方法はさらに、所定の報告様式で電力ヘッドルームレポートを第１の通信ノードに報告するステップを含み、所定の報告様式は、閉ループ電力制御のループ毎に電力ヘッドルームレポートを別個に報告するステップ、または複数のループに関して、複数のループの合同電力ヘッドルームレポートを合同で報告するステップのうちの少なくとも１つを含む。
【００４８】
実施形態では、所定の報告様式が閉ループ電力制御のループ毎に電力ヘッドルームレポートを別個に報告するステップである場合において、電力ヘッドルームレポートの報告をトリガするためのトリガ条件は、以下、すなわち、規定ループのパスロス量変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障に起因する場合を除いてリセットされる、電力ヘッドルームレポートと前もって報告された電力ヘッドルームレポートとの間の差異が、第２の所定の閾値を上回る、または電力ヘッドルームレポートが、条件、すなわち、電力ヘッドルームレポートが０であること、電力ヘッドルームレポートが０未満であること、または電力ヘッドルームレポートが第３の所定の閾値未満であることのうちの少なくとも１つを満たす、のうちの少なくとも１つを含む。
【００４９】
実施形態では、所定の報告様式が、複数のループに関して、複数のループの合同電力ヘッドルームレポートを合同で報告するステップである場合において、電力ヘッドルームレポートの報告をトリガするために構成されるトリガ条件は、以下、すなわち、複数のループの合同電力ヘッドルームレポートの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同電力ヘッドルームレポートと前もって報告された合同電力ヘッドルームレポートとの間の差異が、第５の所定の閾値を上回る、または合同電力ヘッドルームレポートが、条件、すなわち、合同電力ヘッドルームレポートが０であること、合同電力ヘッドルームレポートが０未満であること、または合同電力ヘッドルームレポートが第６の所定の閾値未満であることのうちの少なくとも１つを満たす、のうちの少なくとも１つを含む。
【００５０】
本願のある実施形態によると、パラメータ構成デバイスが、提供される。本デバイスは、第１の通信ノードのための少なくとも１つの伝送パラメータ設定セットを構成するように構成される、構成モジュールを含む。伝送パラメータ設定セットは、少なくとも１つの第１の伝送パラメータセットを含み、第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む。
【００５１】
実施形態では、Ｐ０構成情報は、第１の通信ノードに関連する標的受信電力の値、受信リソースに関連する標的受信電力の値、または伝送リソースおよび受信リソースの両方に関連する標的受信電力の値のうちの少なくとも１つを含み、パスロス構成情報は、第１のダウンリンク参照信号リソースのインジケーション情報、複数のパスロス量のための処理ルール、アップリンク参照信号受信電力、またはアップリンクパスロス量のうちの少なくとも１つを含む。
【００５２】
実施形態では、処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含む。
【００５３】
実施形態では、第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含む。
【００５４】
実施形態では、第１の伝送パラメータセットはさらに、第１の通信ノードのアップリンク伝送リソースを示すためのアップリンク伝送リソース構成情報を含み、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【００５５】
実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【００５６】
本願のある実施形態によると、電力決定デバイスが、提供される。本デバイスは、獲得モジュールと、第２の決定モジュールとを含む。獲得モジュールは、規定伝送パラメータセット識別子またはスケジューリング情報を獲得するように構成される。スケジューリング情報は、アップリンク伝送リソースを含み、第１の決定モジュールは、事前に提供される少なくとも１つの第１の伝送パラメータセットから、獲得された規定伝送パラメータセット識別子またはアップリンク伝送リソースに従って、規定伝送パラメータセット識別子またはアップリンク伝送リソースに対応する、１つ以上の第１の伝送パラメータセットを決定するように構成され、第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む。第２の決定モジュールは、１つの決定された第１の伝送パラメータセットに従って、現在のアップリンク伝送の電力を決定するように構成される。
【００５７】
実施形態では、Ｐ０構成情報は、第１の通信ノードに関連する標的受信電力の値、受信リソースに関連する標的受信電力の値、または伝送リソースおよび受信リソースの両方に関連する標的受信電力の値のうちの少なくとも１つを含み、パスロス構成情報は、第１のダウンリンク参照信号（ＤＬ  ＲＳ）リソースのインジケーション情報、複数のパスロス量のための処理ルール、アップリンク参照信号受信電力（ＲＳＲＰ）、またはアップリンクパスロス量のうちの少なくとも１つを含む。
【００５８】
実施形態では、処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含む。
【００５９】
実施形態では、第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含む。
【００６０】
実施形態では、第１の伝送パラメータセットはさらに、第１の通信ノードのアップリンク伝送リソースを示すためのアップリンク伝送リソース構成情報を含み、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【００６１】
実施形態では、獲得モジュールは、少なくとも１つの伝送パラメータ設定セットを獲得するように構成され、伝送パラメータ設定セットは、少なくとも１つの第１の伝送パラメータセットを含む。
【００６２】
実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【００６３】
本願の別の実施形態によると、通信ノードが、さらに提供される。通信ノードは、プログラムを実行するように構成されるプロセッサを含む。プログラムは、実行されると、上記に説明される実施形態のうちのいずれか１つのパラメータ構成方法を実施する。
【００６４】
本願のある実施形態によると、通信ノードが、さらに提供される。通信ノードは、プログラムを実行するように構成されるプロセッサを含む。プログラムは、実行されると、上記に説明される実施形態のうちのいずれか１つの電力決定方法を実施する。
【００６５】
本願のある実施形態によると、記憶媒体が、提供される。記憶媒体は、実行されると、上記に説明される任意の方法を実施する、記憶されたプログラムを含む。
【００６６】
本願のある実施形態によると、プロセッサが、提供される。プロセッサは、実行されると、上記に説明される任意の方法を実施する、プログラムを実行するように構成される。
【００６７】
本願を通して、第１の通信ノードは、少なくとも１つの第１の伝送パラメータセットを伴って構成されるため、第１の伝送パラメータセットは、柔軟に選択され得、それによって、頻繁なビーム切替中に、小さいエアインターフェースシグナリングオーバーヘッドを伴って平滑化された電力制御を達成する。したがって、既存の技術分野内のＮＲマルチビームシナリオにおける電力制御方式の大きいオーバーヘッドという問題が、解決されることができ、エアインターフェースシグナリングオーバーヘッドを低減させるという効果が、達成される。
【図面の簡単な説明】
【００６８】
本明細書に説明される図面は、本願のさらなる理解を提供し、本願の一部を形成するために使用される。本願における例示的実施形態およびその説明は、いかなる不適切な方法でも本願を限定するためではなく、本願を解説するために使用される。
【００６９】
【図１】図１は、本願の実施形態によって提供される、パラメータ構成方法のフローチャートである。
【００７０】
【図２】図２は、本願の実施形態によって提供される、電力決定方法のモバイル端末のハードウェアの構造ブロック図である。
【００７１】
【図３】図３は、本願の実施形態によって提供される、電力決定方法のフローチャートである。
【００７２】
【図４】図４は、本願の実施形態によって提供される、パラメータ構成デバイスのブロック図である。
【００７３】
【図５】図５は、本願の実施形態によって提供される、電力決定デバイスの構造ブロック図である。
【００７４】
【図６】図６は、本願の好ましい実施形態１によって提供される、基地局のビームおよびＵＥのビームの概略図である。
【００７５】
【図７】図７は、本願の好ましい実施形態１０によって提供される、方法の概略図である。
【００７６】
【図８】図８は、本願の好ましい実施形態１１によって提供される、方法の概略図である。
【００７７】
【図９】図９は、本願の好ましい実施形態１２によって提供される、ＰＨＲを用いて関連構成を実施することの概略図である。
【発明を実施するための形態】
【００７８】
本願は、図面を参照して、実施形態を通して詳細に本明細書の以降で説明されるであろう。矛盾しない場合、本願における実施形態およびその中の特徴は、相互と組み合わせられ得ることに留意されたい。
【００７９】
本願の説明、請求項、および図面の中の用語「第１の」、「第２の」、および同等物は、類似物体を区別するために使用され、必ずしも特定の順番または順序を説明するために使用されるわけではないことに留意されたい。
（実施形態１）
【００８０】
本願の実施形態は、パラメータ構成方法を提供する。図１は、本願の実施形態によって提供されるパラメータ構成方法のフローチャートである。図１に示されるように、本方法は、下記に説明されるステップを含む。
【００８１】
ステップＳ１０２では、少なくとも１つの伝送パラメータ設定セットが、第１の通信ノードのために構成され、伝送パラメータ設定セットは、少なくとも１つの第１の伝送パラメータセットを含む。第１の伝送パラメータセットは、第１の伝送パラメータセットを識別するための伝送パラメータセット識別子、標的受信電力構成（Ｐ０）情報、パスロス量（ＰＬ）構成情報、または第１の通信ノードによってローカルで維持される閉ループ電力調節量をリセットするかどうかを示すための第１のインジケーション情報のうちの少なくとも１つを含む。
【００８２】
ステップＳ１０４では、伝送パラメータ設定セットが、所定の様式で、または伝送パラメータ設定セット識別子によって、示される。
【００８３】
上記のステップを通して、第１の通信ノードが、少なくとも１つの第１の伝送パラメータセットを伴って構成されるため、伝送パラメータセットは、柔軟に選択されることができ、それによって、ビームが頻繁に切り替えられるときに、小さいエアインターフェースシグナリングオーバーヘッドを伴って平滑化された電力制御を達成する。したがって、既存の技術分野内のＮＲマルチビームシナリオにおける電力制御方式の大きいオーバーヘッドという問題が、解決されることができ、エアインターフェースシグナリングオーバーヘッドを低減させるという効果が、達成される。
【００８４】
上記の方法は、ステップＳ１０２のみを含み得、また、ステップＳ１０２およびＳ１０４も含み得るが、本方法は、それに限定されないことに留意されたい。
【００８５】
上記のステップＳ１０２は、種々の方法で少なくとも１つの伝送パラメータ設定セットを構成し得ることに留意されたい。例えば、少なくとも１つの伝送パラメータ設定セットは、ともに第１の通信ノードに構成されてもよく、または少なくとも１つの伝送パラメータ設定セットは、１つずつ第１の通信ノードに構成されてもよく、伝送パラメータ設定セットの中のパラメータもまた、１つずつ第１の通信ノードに構成されてもよく、それに限定されない。
【００８６】
Ｐ０構成情報は、第１の通信ノードに関連するＰ０の値、受信リソースに関連するＰ０の値、または伝送リソースおよび受信リソースの両方に関連するＰ０の値のうちの少なくとも１つを含み得ることに留意されたい。
【００８７】
受信リソースは、受信ビームまたは受信ビーム群であり得るが、受信リソースは、それに限定されないことに留意されたい。伝送リソースは、送信ビームまたは送信ビーム群であってもよい。受信リソースに関連するＰ０の値は、異なる受信リソースが異なるＰ０値に対応すると見なされてもよい、すなわち、Ｐ０の値は、異なる受信ビームまたは異なる受信ビーム群に関して異なる。伝送リソースおよび受信リソースの両方に関連するＰ０の値は、一対の送信ビームおよび受信ビームに対応するリンクの専用構成であってもよいが、それに限定されない。
【００８８】
ＰＬ構成情報は、第１のダウンリンク参照信号（ＤＬ  ＲＳ）リソースのインジケーション情報、複数のパスロス量のための処理ルール、アップリンク参照信号受信電力（ＲＳＲＰ）、またはアップリンクＰＬのうちの少なくとも１つを含むことに留意されたい。
【００８９】
処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含むことに留意されたい。第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含んでもよい。
【００９０】
本願の実施形態では、第１の伝送パラメータセットはさらに、第１の通信ノードのアップリンク伝送リソースを示すためのアップリンク伝送リソース構成情報を含んでもよく、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【００９１】
アップリンク伝送リソースは、伝送ビーム（ＴＸビーム）または伝送ビームの群（ＴＸビーム群）であり得るが、それに限定されないことに留意されたい。
【００９２】
アップリンク伝送リソース構成情報が第２のＤＬ  ＲＳリソースのインジケーション情報を含む場合において、第２のＤＬ  ＲＳリソースのインジケーション情報は、送信ビームとして最良であるダウンリンク参照信号受信を用いて、ビームをとるように第１の通信ノードに命令するために使用されることに留意されたい。
【００９３】
本方法はさらに、以下の情報、すなわち、質測定用参照信号リソース、質測定用参照信号リソースセット、または質測定用参照信号リソース設定のうちの少なくとも１つの中でパスロス構成情報を搬送するステップを含み得ることに留意されたい。
【００９４】
本願の実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【００９５】
伝送パラメータセット識別子またはアップリンク伝送リソース構成情報は、異なる伝送チャネルまたは異なる信号によって、第１の伝送パラメータセットの中のパラメータの全てまたは一部を共有するために使用されることに留意されたい。
【００９６】
第１の伝送パラメータセットは、アップリンク伝送リソースインジケーション情報を含み得る、またはアップリンク伝送リソースインジケーション情報を含み得ないことに留意されたい。第１の伝送パラメータセットがアップリンク伝送リソースインジケーション情報を含む場合において、第１の伝送パラメータセットまたは伝送パラメータ設定セットは、アップリンク伝送リソースを通して第１の通信ノードに示され得、第１の伝送パラメータセットがアップリンク伝送リソースインジケーション情報を含まない場合において、第１の伝送パラメータセットは、伝送パラメータセット識別子を通して示され得る、または伝送パラメータ設定セットは、伝送パラメータ設定セット識別子を通して示され得ることに留意されたい。
【００９７】
ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含み得ることに留意されたい。
【００９８】
本願の実施形態では、本方法はさらに、第１の通信ノードに関して、第１の通信ノードによってローカルで維持され、伝送パラメータ設定セットに対応する、閉ループ電力調節量がリセットされるかどうかを示すための第２のインジケーション情報を構成するステップであって、第２のインジケーション情報は、伝送パラメータ設定セットの中の全ての第１の伝送パラメータセットに関して有効である、ステップ、または第１の通信ノードに関して、第１の通信ノードによってローカルで維持され、第１の通信ノードに対応する、閉ループ電力調節量がリセットされるかどうかを示すための第３のインジケーション情報を構成するステップであって、第３のインジケーション情報は、第１の通信ノードの全ての伝送パラメータ設定セットの中の全ての第１の伝送パラメータセットに関して有効である、ステップのうちの少なくとも１つを含んでもよい。
【００９９】
第２のインジケーション情報は、伝送パラメータ設定セットを通して構成され得る、または他の様式を通しても構成され得るが、それに限定されないことに留意されたい。
【０１００】
本願の実施形態では、本方法はさらに、所定のルールを使用し、第１の通信ノードによってローカルで維持される閉ループ電力調節量をリセットするかどうかを規定するステップを含んでもよい。
【０１０１】
所定のルールを使用し、第１の通信ノードによってローカルで維持される閉ループ電力調節量がリセットされるかどうかを規定するステップは、第１の伝送パラメータセットを構成するときに、第１の伝送パラメータセットに対応する、第１の通信ノードによってローカルで維持される閉ループ電力調節量をリセットするステップ、構成された第１の伝送パラメータセットの中の標的受信電力構成情報が変化するときに、第１の伝送パラメータセットに対応する、第１の通信ノードによってローカルで維持される閉ループ電力調節量をリセットするステップ、構成された第１の伝送パラメータセットの中のパスロス構成情報が変化するときに、第１の伝送パラメータセットに対応する、第１の通信ノードによってローカルで維持される閉ループ電力調節量をリセットするステップ、または第１の通信ノードのアップリンク伝送リソースが変化するときに、アップリンク伝送リソースに対応する、第１の通信ノードによってローカルで維持される閉ループ電力調節量をリセットするステップのうちの少なくとも１つを含み得ることに留意されたい。Ｐ０構成情報、ＰＬ構成情報は、第１の伝送パラメータセットを通して、第１の通信ノードによってローカルで維持される閉ループ電力調節量をリセットするかどうかと相関性があり、それによって、オーバーヘッドをさらに低減させる。
【０１０２】
本願の実施形態では、ステップＳ１０４は、所定の様式で、または伝送パラメータ設定セット識別子によって、伝送パラメータ設定セットを示すステップとして表され得る。
【０１０３】
本願の実施形態では、本方法はさらに、上位層シグナリングまたは物理層シグナリングまたはＭＡＣ  ＣＥを通して、アップリンク伝送リソースを第１の通信ノードに示すステップを含んでもよい。
【０１０４】
第１の伝送パラメータセットは、アップリンク伝送リソースと関連関係を有することに留意されたい。
【０１０５】
関連関係は、デフォルト関連関係である、または関連関係は、物理層シグナリング、ＭＡＣ  ＣＥ、または上位層シグナリングのうちの少なくとも１つによって、第１の通信ノードのために構成されることに留意されたい。
【０１０６】
本願の実施形態では、ステップＳ１０２の後に、本方法はさらに、アップリンク伝送リソース、または伝送パラメータ設定セットを識別するための伝送パラメータ設定セット識別子を通して、少なくとも１つの構成された伝送パラメータ設定セットを第１の通信ノードに示すステップを含んでもよい。
【０１０７】
本願の実施形態では、ステップＳ１０４の後に、本方法はさらに、伝送電力制御コマンドを第１の通信ノードに送信するステップを含んでもよく、伝送電力制御コマンドは、１つ以上のアップリンク伝送リソースに対応する、１つ以上の電力調節量デルタを含む。
【０１０８】
アップリンク伝送リソースの数は、現在の伝送の独立電力制御のアップリンク伝送リソースの数に関連し、アップリンク伝送リソースは、伝送パラメータ設定セット識別子、またはダウンリンク制御情報（ＤＣＩ）の中で搬送されるスケジューリング情報によって示されることに留意されたい。
【０１０９】
本願の実施形態では、伝送電力制御コマンドに含まれる電力調節量デルタの数は、以下の様式のうちの少なくとも１つによって決定されてもよい。電力調節量の数は、現在の伝送のアップリンク伝送リソースの数に従って決定され、各アップリンク伝送リソースは、１つのデルタに対応する。多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯフローの合計である。多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯ層の合計である。
【０１１０】
本願の実施形態では、本方法はさらに、第１の通信ノードに関して、第１の通信ノードによってＰＨＲを報告する様式を構成するステップを含んでもよく、様式は、第１の通信ノードによって構成される閉ループ電力制御のループ毎にＰＨＲを別個に報告するステップ、または第１の通信ノードによって構成される複数のループに関して、複数のループの合同ＰＨＲを合同で報告するステップのうちの少なくとも１つを含む。
【０１１１】
様式が第１の通信ノードによって構成される閉ループ電力制御のループ毎にＰＨＲを別個に報告するステップである場合において、ＰＨＲを報告するように第１の通信ノードをトリガするために構成されるトリガ条件は、以下、すなわち、規定ループのＰＬ量変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障に起因する場合を除いてリセットされる、ＰＨＲと前もって報告されたＰＨＲとの間の差異が、第２の所定の閾値を上回る、またはＰＨＲが、条件、すなわち、ＰＨＲが０であること、ＰＨＲが０未満であること、またはＰＨＲが第３の所定の閾値未満であることのうちの少なくとも１つを満たす、のうちの少なくとも１つを含むことに留意されたい。
【０１１２】
様式が、第１の通信ノードによって構成される複数のループに関して、複数のループの合同ＰＨＲを合同で報告するステップである場合において、ＰＨＲを報告するように第１の通信ノードをトリガするために構成されるトリガ条件は、以下、すなわち、複数のループの合同ＰＨＲの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同ＰＨＲと前もって報告された合同ＰＨＲレポートとの間の差異が、第５の所定の閾値を上回る、または合同ＰＨＲが、条件、すなわち、合同ＰＨＲが０であること、合同ＰＨＲが０未満であること、または合同ＰＨＲが第３の所定の閾値未満であることのうちの少なくとも１つを満たす、のうちの少なくとも１つを含むことに留意されたい。
【０１１３】
第１の所定の閾値および第４の所定の閾値は、ＰＬ変化量閾値であり得ることに留意されたい。第１の所定の閾値および第４の所定の閾値は、同一であり、または異なり得、実際の状況に従って設定され得るが、それに限定されない。第２の所定の閾値、第３の所定の閾値、第５の所定の閾値、および第６の所定の閾値は、ＰＨＲ変化閾値であり得、値は、同一である、または異なり得るが、それに限定されない。
【０１１４】
上記のステップは、第２の通信ノードによって実行され得るが、必ずしもそうではない場合があり、それに限定されないことに留意されたい。
【０１１５】
第１の通信ノードは、端末であり得、第２の通信ノードは、基地局であり得るが、それに限定されないことに留意されたい。
【０１１６】
上記に説明される実施形態の説明から、上記に説明される実施形態における方法は、必要な汎用ハードウェアプラットフォームを加えたソフトウェアによって実装され得る、または当然ながらハードウェアによって実装され得ることが当業者に明白であろう。しかしながら、多くの場合、前者が、好ましい実装モードである。本理解に基づいて、実質的に本願によって提供されるソリューション、または既存の技術分野に寄与する部分は、ソフトウェア製品の形態で具現化され得る。ソフトウェア製品は、記憶媒体（ＲＯＭ／ＲＡＭ、磁気ディスク、または光ディスク等）上に記憶され、端末デバイス（携帯電話、コンピュータ、サーバ、またはネットワークデバイスであり得る）が本願の各実施形態による方法を実行することを可能にするためのいくつかの命令を含む。
（実施形態２）
【０１１７】
本願の実施形態２によって提供される方法の実施形態は、モバイル端末、コンピュータ端末、または他の類似コンピューティング装置上で実行されてもよい。モバイル端末で実行される方法を実施例としてとると、図２は、本願の実施形態による、電力決定方法のモバイル端末のハードウェアの構造ブロック図である。図２に示されるように、モバイル端末２０は、１つ以上の（１つだけが図に示されている）プロセッサ２０２（プロセッサ２０２は、限定ではないが、マイクロプロセッサＭＣＵ、ＦＰＧＡ等のプログラマブル論理デバイス、または他の処理デバイスを含んでもよい）、データを記憶するために使用されるメモリ２０４、および通信機能を実装するために使用される伝送デバイス２０６を含んでもよい。図２に示される構造は例証的にすぎず、上記に説明される電子装置の構造を限定することを意図していないことが、当業者によって理解される。例えば、モバイル端末２０はさらに、図２に示されるものよりも多いまたは少ないコンポーネントを含んでもよい、または図２に示される構成と異なる構成を有してもよい。
【０１１８】
メモリ２０４は、本願の実施形態における電力決定方法に対応するプログラム命令／モジュール等のアプリケーションソフトウェアのソフトウェアプログラムおよびモジュールを記憶するために使用されてもよい。プロセッサ２０２は、種々の機能アプリケーションおよびデータ処理を実施するように、すなわち、上記に説明される方法を実装するように、メモリ２０４の中に記憶されたソフトウェアプログラムおよびモジュールを実行する。メモリ２０４は、高速ランダムアクセスメモリを含んでもよい、またはさらに、１つ以上の磁気記憶装置、フラッシュメモリ、または他の不揮発性ソリッドステートメモリ等の不揮発性メモリを含んでもよい。いくつかの実施例では、メモリ２０４はさらに、プロセッサ２０２に対して遠隔に配置されるメモリを含んでもよい。これらの遠隔メモリは、ネットワークを介してモバイル端末２０に接続されてもよい。前述のネットワークの実施例は、限定ではないが、インターネット、イントラネット、ローカルエリアネットワーク、モバイル通信ネットワーク、およびそれらの組み合わせを含む。
【０１１９】
伝送デバイス２０６は、ネットワークを介してデータを受信および伝送するように構成される。上記に説明されるそのようなネットワークの具体的実施例は、モバイル端末２０の通信プロバイダによって提供される無線ネットワークを含んでもよい。一実施例では、伝送装置２０６は、基地局を介して他のネットワークデバイスに接続され得、したがって、インターネットと通信することが可能である、ネットワークインターフェースコントローラ（ＮＩＣ）を含む。一実施例では、伝送装置２０６は、無線方法でインターネットと通信するために使用される、高周波（ＲＦ）モジュールであってもよい。
【０１２０】
実施形態は、上記に説明されるモバイル端末で実行される電力決定方法を提供する。図３は、本願の実施形態による、電力決定方法のフローチャートである。図３に示されるように、本方法は、下記に説明されるステップを含む。
【０１２１】
ステップＳ３０２では、規定伝送パラメータセット識別子またはスケジューリング情報が、獲得され、スケジューリング情報は、アップリンク伝送リソースを含む。
【０１２２】
ステップＳ３０４では、事前に提供される少なくとも１つの第１の伝送パラメータセットの間から、アップリンク伝送リソースまたは規定伝送パラメータセット識別子に対応する、１つ以上の第１の伝送パラメータセットが、獲得された規定伝送パラメータセット識別子またはアップリンク伝送リソースに従って決定され、第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む。
【０１２３】
ステップＳ３０６では、現在のアップリンク伝送の電力が、１つの決定された第１の伝送パラメータセットに従って決定される。
【０１２４】
上記のステップを通して、少なくとも１つの第１の伝送パラメータセットは、事前に第１の通信ノードにおいて記憶され、１つ以上の第１の伝送パラメータセットは、規定伝送パラメータセット識別子またはスケジューリング情報に基づいて決定されるため、伝送パラメータセットは、柔軟に選択され、それによって、頻繁なビーム切替中に、小さいエアインターフェースシグナリングオーバーヘッドを伴って平滑化された電力制御を達成する。したがって、ＮＲマルチビームシナリオにおける電力制御方式のオーバーヘッドが大きいという既存の技術分野内の問題が、解決されることができ、エアインターフェースシグナリングオーバーヘッドを低減させるという効果が、達成される。
【０１２５】
ステップＳ３０２は、規定伝送パラメータセット識別子またはスケジューリング情報が物理層シグナリングまたはＭＡＣ  ＣＥを通して獲得されることとして、表され得ることに留意されたい。
【０１２６】
Ｐ０構成情報は、第１の通信ノードに関連するＰ０の値、受信リソースに関連するＰ０の値、または伝送リソースおよび受信リソースの両方に関連するＰ０の値のうちの少なくとも１つを含み得ることに留意されたい。
【０１２７】
ＰＬ構成情報は、第１のダウンリンク参照信号（ＤＬ  ＲＳ）リソースのインジケーション情報、複数のパスロス量のための処理ルール、アップリンク参照信号受信電力（ＲＳＲＰ）、またはアップリンクＰＬのうちの少なくとも１つを含むことに留意されたい。
【０１２８】
処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含むことに留意されたい。第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含んでもよい。
【０１２９】
本願の実施形態では、ステップＳ３０２の前に、本方法はさらに、少なくとも１つの伝送パラメータ設定セットを獲得するステップを含み、伝送パラメータ設定セットは、少なくとも１つの第１の伝送パラメータセットを含む。
【０１３０】
伝送パラメータセット識別子に対応する１つの伝送パラメータセットが、獲得された伝送パラメータセット識別子に従って、事前に提供される少なくとも１つの第１の伝送パラメータセットの間から決定される場合において、第１の伝送パラメータセットはさらに、第１の通信ノードのアップリンク伝送リソースを示すためのアップリンク伝送リソース構成情報を含み得、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含むことに留意されたい。
【０１３１】
本願の実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含んでもよい。
【０１３２】
ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含み得ることに留意されたい。
【０１３３】
ステップＳ３０６の後に、本方法はさらに、伝送パラメータ設定セット識別子またはスケジューリング情報のうちの少なくとも１つに従って、現在の伝送のアップリンク伝送リソースを決定するステップを含むことに留意されたい。
【０１３４】
本願の実施形態では、ステップＳ３０６の前に、本方法はさらに、規定の第１の伝送パラメータセットを獲得するステップと、獲得された規定の第１の伝送パラメータセットに従って、少なくとも１つの第１の伝送パラメータセットの中で、規定の第１の伝送パラメータの伝送パラメータセット識別子に対応する、第１の伝送パラメータセットを更新するステップとを含んでもよい。
【０１３５】
１つの決定された第１の伝送パラメータセットに従って、現在のアップリンク伝送の電力を決定するステップは、第１の伝送パラメータセットに関して、ＰＬ構成情報に従って、アップリンク伝送のＰＬを計算するステップ、第１の伝送パラメータセットの中で第１の通信ノードによってローカルで維持される閉ループ電力調節量を維持するステップ、およびＰ０構成情報、アップリンク伝送のパスロス量、および第１の通信ノードによってローカルで維持される閉ループ電力調節量に従って、現在のアップリンク伝送の電力を決定するステップとして表され得ることに留意されたい。
【０１３６】
第１の伝送パラメータセットの中で第１の通信ノードによってローカルで維持される閉ループ電力調節量を維持するステップは、伝送電力制御コマンドを受信するステップと、伝送電力制御コマンドによって搬送される電力調節量デルタに従って、第１の通信ノードによってローカルで維持される閉ループ電力調節量デルタを調節するステップとを含み得ることに留意されたい。
【０１３７】
パスロス構成情報に従って、アップリンク伝送のパスロス量を計算するステップは、アップリンク伝送リソースを使用して第１のダウンリンク参照信号リソース上で参照信号ＲＳを受信し、参照信号のパスロス値を取得するステップであって、第１のダウンリンク参照信号リソースは、ＰＬ構成情報に含まれる第１のダウンリンク参照信号リソースのインジケーション情報によって示される、ダウンリンク参照信号リソースである、ステップと、ＰＬ構成情報に含まれる複数のパスロス量のための処理ルールに従って、測定されたパスロス量を処理し、アップリンク伝送のパスロス量を取得するステップとを含むことに留意されたい。
【０１３８】
本願の実施形態では、本方法はさらに、第１の伝送パラメータセットが第１のインジケーション情報を含む場合において、第１の伝送パラメータセットに含まれる第１のインジケーション情報に従って、第１の伝送パラメータセットに対応する、第１の通信ノードによってローカルで維持される閉ループ電力調節量をリセットするかどうかを決定するステップ、または第１の通信ノードのために第２の通信ノードによって構成される所定のルールに従って、第１の通信ノードによってローカルで維持される閉ループ電力調節量をリセットするかどうかを決定するステップのうちの少なくとも１つを含む。所定のルールは、第１の伝送パラメータセットを構成する度に、第１の伝送パラメータセットに対応する、第１の通信ノードによってローカルで維持される閉ループ電力調節量をリセットするステップ、構成された第１の伝送パラメータセットの中の標的受信電力構成情報が変化する度に、第１の伝送パラメータセットに対応する、第１の通信ノードによってローカルで維持される閉ループ電力調節量をリセットするステップ、構成された第１の伝送パラメータセットの中のパスロス構成情報が変化する度に、第１の伝送パラメータセットに対応する、第１の通信ノードによってローカルで維持される閉ループ電力調節量をリセットするステップ、または第１の通信ノードのアップリンク伝送リソースが変化する度に、アップリンク伝送リソースに対応する、第１の通信ノードによってローカルで維持される閉ループ電力調節量をリセットするステップのうちの少なくとも１つを含む。
【０１３９】
本願の実施形態では、本方法はさらに、所定の報告様式で電力ヘッドルームレポートを第１の通信ノードに報告するステップを含み、所定の報告様式は、閉ループ電力制御のループ毎に電力ヘッドルームレポートを別個に報告するステップ、または複数のループのための合同電力ヘッドルームレポートを合同で報告するステップのうちの少なくとも１つを含む。
【０１４０】
所定の報告様式が閉ループ電力制御のループ毎に電力ヘッドルームレポートを別個に報告するステップである場合において、電力ヘッドルームレポートの報告をトリガするためのトリガ条件は、以下、すなわち、規定ループのＰＬ変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障に起因する場合を除いてリセットされる、電力ヘッドルームレポートと前もって報告された電力ヘッドルームレポートとの間の差異が、第２の所定の閾値を上回る、または電力ヘッドルームレポートが、条件、すなわち、電力ヘッドルームレポートが０であること、電力ヘッドルームレポートが０未満であること、または電力ヘッドルームレポートが第３の所定の閾値未満であることのうちの少なくとも１つを満たす、のうちの少なくとも１つを含むことに留意されたい。
【０１４１】
所定の報告様式が、複数のループのための合同電力ヘッドルームレポートを合同で報告するステップである場合において、電力ヘッドルームレポートの報告をトリガするためのトリガ条件は、以下、すなわち、複数のループの合同電力ヘッドルームレポートの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同電力ヘッドルームレポートと前もって報告された合同電力ヘッドルームレポートとの間の差異が、第５の所定の閾値を上回る、または合同電力ヘッドルームレポートが、条件、すなわち、合同電力ヘッドルームレポートが０であること、合同電力ヘッドルームレポートが０未満であること、または合同電力ヘッドルームレポートが第６の所定の閾値未満であることのうちの少なくとも１つを満たす、のうちの少なくとも１つを含むことに留意されたい。
【０１４２】
実装モードでは、上記のステップは、第１の通信ノードによって実行されてもよいが、必ずしもそうではなくてもよい。
【０１４３】
第１の通信ノードは、端末であり得、第２の通信ノードは、基地局であり得るが、それに限定されないことに留意されたい。
【０１４４】
上記に説明される実施形態の説明から、上記に説明される実施形態における方法は、必要な汎用ハードウェアプラットフォームを加えたソフトウェアによって実装され得る、または当然ながらハードウェアによって実装され得ることが当業者に明白であろう。しかしながら、多くの場合、前者が、好ましい実装モードである。本理解に基づいて、実質的に本願によって提供されるソリューション、または既存の技術分野に寄与する部分は、ソフトウェア製品の形態で具現化され得る。ソフトウェア製品は、記憶媒体（ＲＯＭ／ＲＡＭ、磁気ディスク、または光ディスク等）上に記憶され、端末デバイス（携帯電話、コンピュータ、サーバ、またはネットワークデバイスであり得る）が本願の各実施形態による方法を実行することを可能にするためのいくつかの命令を含む。
（実施形態３）
【０１４５】
本実施形態はさらに、上記の実施形態および好ましい実装モードを実装するように構成される、パラメータ構成デバイスを提供する。説明されたものは、繰り返されないであろう。下記で使用されるように、用語「モジュール」は、所定の機能を実装することが可能なソフトウェア、ハードウェア、またはそれらの組み合わせであり得る。下記に説明される実施形態におけるデバイスは、好ましくは、ソフトウェアによって実装されるが、ハードウェアによる、またはソフトウェアおよびハードウェアの組み合わせによる実装もまた、可能であり、構想される。
【０１４６】
図４は、本願のある実施形態による、パラメータ構成デバイスのブロック図である。図４に示されるように、本デバイスは、構成モジュール４２と、インジケーションモジュール４４とを含む。
【０１４７】
構成モジュール４２は、第１の通信ノードのための少なくとも１つの伝送パラメータ設定セットを構成するように構成される。伝送パラメータ設定セットは、少なくとも１つの第１の伝送パラメータセットを含み、第１の伝送パラメータセットは、第１の伝送パラメータセットを識別するための伝送パラメータセット識別子、標的受信電力（Ｐ０）構成情報、パスロス量（ＰＬ）構成情報、または第１の通信ノードによってローカルで維持される閉ループ電力調節量をリセットするかどうかを示すための第１のインジケーション情報のうちの少なくとも１つを含む。
【０１４８】
インジケーションモジュール４４は、構成モジュール４２に接続され、少なくとも１つの構成された第１の伝送パラメータセットを第１の通信ノードに示すように構成される。
【０１４９】
上記のデバイスを通して、少なくとも１つの伝送パラメータ設定セットが、第１の通信ノードのために構成されるため、伝送パラメータ設定セットは、柔軟に選択され得、それによって、ビームが頻繁に切り替えられるときに、小さいエアインターフェースシグナリングオーバーヘッドを伴って平滑化された電力制御を達成する。したがって、既存の技術分野内のＮＲマルチビームシナリオにおける電力制御方式の大きいオーバーヘッドという問題が、解決されることができ、エアインターフェースシグナリングオーバーヘッドを低減させるという効果が、達成される。
【０１５０】
上記のデバイスは、構成モジュール４２のみを含み得る、または構成モジュール４２およびインジケーションモジュール４４の両方を含み得るが、本デバイスは、それに限定されないことに留意されたい。
【０１５１】
Ｐ０構成情報は、第１の通信ノードに関連するＰ０の値、受信リソースに関連するＰ０の値、または伝送リソースおよび受信リソースの両方に関連するＰ０の値のうちの少なくとも１つを含み得ることに留意されたい。
【０１５２】
受信リソースは、受信ビームまたは受信ビーム群であり得るが、それに限定されないことに留意されたい。伝送リソースは、送信ビームまたは送信ビーム群であってもよい。受信リソースに関連するＰ０の値は、異なる受信リソースが異なるＰ０値に対応すると見なされてもよい、すなわち、Ｐ０の値は、異なる受信ビームまたは異なる受信ビーム群に関して異なる。伝送リソースおよび受信リソースの両方に関連するＰ０の値は、一対の送信ビームおよび受信ビームに対応するリンクの専用構成であってもよいが、それに限定されない。
【０１５３】
ＰＬ構成情報は、第１のダウンリンク参照信号（ＤＬ  ＲＳ）リソースのインジケーション情報、複数のパスロス量のための処理ルール、アップリンク参照信号受信電力（ＲＳＲＰ）、またはアップリンクＰＬのうちの少なくとも１つを含むことに留意されたい。
【０１５４】
処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含むことに留意されたい。第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含んでもよい。
【０１５５】
本願の実施形態では、第１の伝送パラメータセットはさらに、第１の通信ノードのアップリンク伝送リソースを示すためのアップリンク伝送リソース構成情報を含んでもよく、アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【０１５６】
アップリンク伝送リソース構成情報が、第２のＤＬ  ＲＳリソースのインジケーション情報を含む場合において、第２のＤＬ  ＲＳリソースのインジケーション情報は、送信ビームとして最良であるダウンリンク参照信号受信を使用することによって、ビームをとるように第１の通信ノードに命令するために使用されることに留意されたい。
【０１５７】
ＰＬ構成情報は、以下の情報、すなわち、質測定用参照信号リソース、質測定用参照信号リソースセット、または質測定用参照信号リソース設定のうちの少なくとも１つの中でパスロス構成情報を搬送し得ることに留意されたい。
【０１５８】
本願の実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含む。
【０１５９】
伝送パラメータセット識別子またはアップリンク伝送リソース構成情報は、異なる伝送チャネルまたは異なる信号によって、第１の伝送パラメータセットの中のパラメータの全てまたは一部を共有するために使用されることに留意されたい。
【０１６０】
第１の伝送パラメータセットは、アップリンク伝送リソースインジケーション情報を含み得る、またはアップリンク伝送リソースインジケーション情報を含み得ないことに留意されたい。第１の伝送パラメータセットが、アップリンク伝送リソースインジケーション情報を含む場合において、第１の伝送パラメータセットまたは伝送パラメータ設定セットは、アップリンク伝送リソースを通して第１の通信ノードに示され得、第１の伝送パラメータセットがアップリンク伝送リソースインジケーション情報を含まない場合において、第１の伝送パラメータセットは、伝送パラメータセット識別子を通して示され得る、または伝送パラメータ設定セットは、伝送パラメータ設定セット識別子を通して示され得ることに留意されたい。
【０１６１】
ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含み得ることに留意されたい。
【０１６２】
本願の実施形態では、構成モジュール４２はさらに、第１の通信ノードに関して、第１の通信ノードによってローカルで維持され、伝送パラメータ設定セットに対応する、閉ループ電力調節量がリセットされるかどうかを示すための第２のインジケーション情報を構成するステップであって、第２のインジケーション情報は、伝送パラメータ設定セットの中の全ての第１の伝送パラメータセットに関して有効である、ステップ、または第１の通信ノードに関して、第１の通信ノードによってローカルで維持され、第１の通信ノードに対応する、閉ループ電力調節量がリセットされるかどうかを示すための第３のインジケーション情報を構成するステップであって、第３のインジケーション情報は、第１の通信ノードの全ての伝送パラメータ設定セットの中の全ての第１の伝送パラメータセットに関して有効である、ステップのうちの少なくとも１つを実施するように構成されてもよい。
【０１６３】
第２のインジケーション情報は、伝送パラメータ設定セットを通して構成され得る、または他の様式を通しても構成され得るが、それに限定されないことに留意されたい。
【０１６４】
本願の実施形態では、構成モジュール４４はさらに、所定のルールを使用し、第１の通信ノードによってローカルで維持される閉ループ電力調節量をリセットするかどうかを規定するために、使用されてもよい。
【０１６５】
所定のルールは、第１の伝送パラメータセットを構成するときに、第１の伝送パラメータセットに対応する、第１の通信ノードによってローカルで維持される閉ループ電力調節量をリセットするステップ、構成された第１の伝送パラメータセットの中の標的受信電力構成情報が変化するときに、第１の伝送パラメータセットに対応する、第１の通信ノードによってローカルで維持される閉ループ電力調節量をリセットするステップ、構成された第１の伝送パラメータセットの中のパスロス構成情報が変化するときに、第１の伝送パラメータセットに対応する、第１の通信ノードによってローカルで維持される閉ループ電力調節量をリセットするステップ、または第１の通信ノードのアップリンク伝送リソースが変化するときに、アップリンク伝送リソースに対応する第１の通信ノードによってローカルで維持される、閉ループ電力調節量をリセットするステップのうちの少なくとも１つを含み得ることに留意されたい。Ｐ０構成情報、ＰＬ構成情報、および第１の通信ノードによってローカルで維持される閉ループ電力調節量をリセットするかどうかについての情報は、第１の伝送パラメータセットを通して相関性があり、それによって、オーバーヘッドをさらに低減させる。
【０１６６】
本願の実施形態では、インジケーションモジュール４４は、所定の様式で、または伝送パラメータ設定セット識別子を通して、伝送パラメータ設定セットを示すように構成されてもよい。
【０１６７】
本願の実施形態では、インジケーションモジュール４４はさらに、上位層シグナリングまたは物理層シグナリングまたはＭＡＣ  ＣＥを通して、アップリンク伝送リソースを第１の通信ノードに示すように構成されてもよい。
【０１６８】
第１の伝送パラメータセットは、アップリンク伝送リソースと関連関係を有することに留意されたい。
【０１６９】
関連関係は、デフォルト関連関係である、または関連関係は、物理層シグナリング、ＭＡＣ  ＣＥ、または上位層シグナリングのうちの少なくとも１つによって、第１の通信ノードのために構成されることに留意されたい。
【０１７０】
本願の実施形態では、インジケーションモジュール４４はさらに、アップリンク伝送リソース、または伝送パラメータ設定セットを識別するための伝送パラメータ設定セット識別子を通して、少なくとも１つの構成された伝送パラメータ設定セットを第１の通信ノードに示すように構成されてもよい。
【０１７１】
本願の実施形態では、本デバイスはさらに、送信モジュールを含んでもよい。送信モジュールは、インジケーションモジュール４４に接続され、伝送電力制御コマンドを第１の通信ノードに送信するように構成され、伝送電力制御コマンドは、１つ以上のアップリンク伝送リソースに対応する、１つ以上の電力調節量デルタを含む。
【０１７２】
アップリンク伝送リソースの数は、現在の伝送の独立電力制御のアップリンク伝送リソースの数に関連し、アップリンク伝送リソースは、伝送パラメータ設定セット識別子、またはダウンリンク制御情報の中で搬送されるスケジューリング情報によって示されることに留意されたい。
【０１７３】
本願の実施形態では、伝送電力制御コマンドに含まれる電力調節量デルタの数は、以下、すなわち、電力調節量の数は、現在の伝送のアップリンク伝送リソースの数に従って決定され、各アップリンク伝送リソースは、１つのデルタに対応する、多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯフローの合計である、または多入力多出力（ＭＩＭＯ）フロー特有の電力制御の場合、電力調節量の数は、アップリンク伝送リソースの全ての独立ＭＩＭＯフロー特有の電力制御をサポートする、ＭＩＭＯ層の合計である、のうちの少なくとも１つに従って決定されてもよい。
【０１７４】
本願の実施形態では、構成モジュール４４はさらに、第１の通信ノードに関して、ＰＨＲを報告する様式を構成するように構成されてもよく、様式は、第１の通信ノードによって構成される閉ループ電力制御のループ毎にＰＨＲを別個に報告するステップ、または第１の通信ノードによって構成される複数のループに関して、合同ＰＨＲを合同で報告するステップのうちの少なくとも１つを含む。
【０１７５】
様式が第１の通信ノードによって構成される閉ループ電力制御のループ毎にＰＨＲを別個に報告するステップである場合において、ＰＨＲを報告するように第１の通信ノードをトリガするために構成されるトリガ条件は、以下、すなわち、規定ループのＰＬ変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障ではなく、ある理由に起因してリセットされる、ＰＨＲと前もって報告されたＰＨＲとの間の差異が、第２の所定の閾値を上回る、またはＰＨＲが、条件、すなわち、ＰＨＲが０であること、ＰＨＲが０未満であること、またはＰＨＲが第３の所定の閾値未満であることのうちの少なくとも１つを満たす、のうちの少なくとも１つを含むことに留意されたい。
【０１７６】
様式が、第１の通信ノードによって構成される複数のループのための合同ＰＨＲを合同で報告するステップである場合において、ＰＨＲを報告するように第１の通信ノードをトリガするために構成されるトリガ条件は、以下、すなわち、複数のループの合同ＰＨＲの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同ＰＨＲと前もって報告された合同ＰＨＲレポートとの間の差異が、第５の所定の閾値を上回る、または合同ＰＨＲが、条件、すなわち、合同ＰＨＲが０であること、合同ＰＨＲが０未満であること、または合同ＰＨＲが第３の所定の閾値未満であることのうちの少なくとも１つを満たす、のうちの少なくとも１つを含むことに留意されたい。
【０１７７】
第１の所定の閾値および第４の所定の閾値は、ＰＬ変化量閾値であり得ることに留意されたい。第１の所定の閾値および第４の所定の閾値は、同一であり、または異なり得、実際の状況に従って設定され得るが、それに限定されない。第２の所定の閾値、第３の所定の閾値、第５の所定の閾値、および第６の所定の閾値は、ＰＨＲ変化閾値であり得、値は、同一である、または異なり得るが、それに限定されない。
【０１７８】
前述のデバイスは、第２の通信ノードの中に配置され得るが、必ずしもそうではない場合があることに留意されたい。
【０１７９】
第１の通信ノードは、端末であり得、第２の通信ノードは、基地局であり得るが、それに限定されないことに留意されたい。
【０１８０】
本願の実施形態はさらに、通信ノードを提供する。通信ノードは、プログラムを実行するように構成される、プロセッサを含む。プログラムは、実行されると、実施形態１に説明される方法を実施する。
【０１８１】
上記に説明される種々のモジュールは、ソフトウェアまたはハードウェアによって実装され得ることに留意されたい。ハードウェアによる実装は、以下の様式、すなわち、上記に説明される種々のモジュールは、同一のプロセッサの中に位置する、または上記に説明される種々のモジュールは、任意の組み合わせの形態でそれらの個別のプロセッサの中に位置する、で実施されてもよいが、必ずしもそうではなくてもよい。
（実施形態４）
【０１８２】
本願の実施形態はさらに、電力決定デバイスを提供する。図５は、本願の実施形態によって提供される電力決定デバイスの構造ブロック図である。図５に示されるように、本デバイスは、獲得モジュール５２と、第１の決定モジュール５４と、第２の決定モジュール５６とを含む。
【０１８３】
獲得モジュール５２は、規定伝送パラメータセット識別子またはスケジューリング情報を獲得するように構成され、スケジューリング情報は、アップリンク伝送リソースを含む。
【０１８４】
第１の決定モジュール５４は、獲得モジュール５２に接続され、事前に提供される少なくとも１つの第１の伝送パラメータセットの間から、獲得された規定伝送パラメータセット識別子またはアップリンク伝送リソースに従って、規定伝送パラメータセット識別子またはアップリンク伝送リソースに対応する、１つ以上の第１の伝送パラメータセットを決定するように構成される。第１の伝送パラメータセットは、第１の伝送パラメータセットを識別するための伝送パラメータセット識別子、Ｐ０構成情報、ＰＬ構成情報、または第１の通信ノードによってローカルで維持される閉ループ電力調節量をリセットするかどうかを示すための第１のインジケーション情報のうちの少なくとも１つを含む。
【０１８５】
第２の決定モジュール５６は、第１の決定モジュール５４に接続され、１つの決定された第１の伝送パラメータセットに従って、現在のアップリンク伝送の電力を決定するように構成される。
【０１８６】
上記のデバイスを通して、少なくとも１つの第１の伝送パラメータセットは、事前に第１の通信ノードにおいて記憶され、１つ以上の第１の伝送パラメータセットは、規定伝送パラメータセット識別子またはスケジューリング情報に基づいて決定されるため、伝送パラメータ設定セットは、柔軟に選択され、それによって、ビームが頻繁に切り替えられるときに、小さいエアインターフェースシグナリングオーバーヘッドを伴って平滑化された電力制御を達成する。したがって、既存の技術分野内のＮＲマルチビームシナリオにおける電力制御方式の大きいオーバーヘッドという問題が、解決されることができ、エアインターフェースシグナリングオーバーヘッドを低減させるという効果が、達成される。
【０１８７】
規定伝送パラメータ設定セット識別子またはスケジューリング情報は、物理層シグナリングまたはＭＡＣ  ＣＥを通して取得され得るが、それに限定されないことに留意されたい。
【０１８８】
Ｐ０構成情報は、第１の通信ノードに関連するＰ０の値、受信リソースに関連するＰ０の値、または伝送リソースおよび受信リソースの両方に関連するＰ０の値のうちの少なくとも１つを含み得ることに留意されたい。
【０１８９】
ＰＬ構成情報は、第１のダウンリンク参照信号（ＤＬ  ＲＳ）リソースのインジケーション情報、複数のパスロス量のための処理ルール、アップリンク参照信号受信電力（ＲＳＲＰ）、またはアップリンクＰＬのうちの少なくとも１つを含むことに留意されたい。
【０１９０】
処理ルールは、複数のパスロス量の同等平均を求めるステップ、複数のパスロス量の加重平均を求めるステップ、複数のパスロス量の最大値を求めるステップ、または複数のパスロス量の最小値を求めるステップのうちの少なくとも１つを含むことに留意されたい。第１のＤＬ  ＲＳリソースのインジケーション情報は、チャネル状態情報参照信号（ＣＳＩ−ＲＳ）リソースインジケーション（ＣＲＩ）、同期化信号ブロック（ＳＳ−ブロック）リソースインジケーション、または追跡参照信号（ＴＲＳ）リソースインジケーションのうちの少なくとも１つを含んでもよい。
【０１９１】
本願の実施形態では、伝送パラメータセット識別子に対応する１つの伝送パラメータセットが、獲得された伝送パラメータセット識別子に従って、事前に提供される少なくとも１つの第１の伝送パラメータセットの間から決定される場合において、第１の伝送パラメータセットはさらに、第１の通信ノードのアップリンク伝送リソースを示すためのアップリンク伝送リソース構成情報を含んでもよい。アップリンク伝送リソース構成情報は、アップリンク参照信号（ＵＬ  ＲＳ）リソースのインジケーション情報と、第２のダウンリンク参照信号（ＤＬ  ＲＳ）リソースのインジケーション情報とを含む。
【０１９２】
獲得モジュール５２はさらに、少なくとも１つの伝送パラメータ設定セットを獲得するように構成され、伝送パラメータ設定セットは、少なくとも１つの第１の伝送パラメータセットを含むことに留意されたい。
【０１９３】
本願の実施形態では、伝送パラメータ設定セットはさらに、伝送パラメータ設定セットを識別するための伝送パラメータ設定セット識別子、セル特有のＰ０、波形特有の最大電力バックオフ値、物理的フレーム構造パラメータに関連する構成パラメータ、サービスタイプ特有の構成パラメータ、または電力ヘッドルームレポート（ＰＨＲ）構成パラメータのうちの少なくとも１つを含んでもよい。
【０１９４】
ＰＨＲ構成パラメータは、ＰＨＲスイッチ、ＰＨＲのための報告周期、ＰＨＲのための最小報告間隔、ＰＬ変化量閾値、ＰＨＲ変化量閾値、またはＰＨＲのタイプのうちの少なくとも１つを含み得ることに留意されたい。
【０１９５】
本デバイスはさらに、第２の決定モジュール５６に接続される、第３の決定モジュールを含み得ることに留意されたい。第３の決定モジュールは、以下の情報、すなわち、伝送パラメータ設定セット識別子またはスケジューリング情報のうちの少なくとも１つに従って、現在の伝送のアップリンク伝送リソースを決定するように構成される。
【０１９６】
本願の実施形態では、上記のデバイスはさらに、規定の第１の伝送パラメータセットを獲得するように構成される、獲得モジュールと、獲得モジュールおよび第２の決定モジュール５６に接続される、更新モジュールとを含む。更新モジュールは、１つの決定された伝送パラメータ設定セットの中の少なくとも１つの第１の伝送パラメータの中の規定の第１の伝送パラメータの伝送パラメータセット識別子に対応する、第１の伝送パラメータセットを更新するように構成される。
【０１９７】
第２の決定モジュール５６はさらに、１つの第１の伝送パラメータセットに関して、ＰＬ構成情報に従って、アップリンク伝送のＰＬを計算し、第１の伝送パラメータセットの中で第１の通信ノードによってローカルで維持される閉ループ電力調節量を維持し、Ｐ０構成情報、アップリンク伝送のパスロス量、および第１の通信ノードによってローカルで維持される閉ループ電力調節量に従って、現在のアップリンク伝送の電力を決定するように構成されることに留意されたい。
【０１９８】
第１の伝送パラメータセットの中で第１の通信ノードによってローカルで維持される閉ループ電力調節量を維持するステップは、伝送電力制御コマンドを受信するステップ、および伝送電力制御コマンドの中で搬送される電力調節量デルタに従って、第１の通信ノードによってローカルで維持される閉ループ電力調節量を調節するステップとして表され得ることに留意されたい。
【０１９９】
パスロス構成情報に従って、アップリンク伝送のパスロス量を計算するステップは、アップリンク伝送リソースを使用して第１のダウンリンク参照信号リソース上で参照信号ＲＳを受信し、参照信号のパスロス値を取得するステップであって、第１のダウンリンク参照信号リソースは、パスロス構成情報に含まれる第１のダウンリンク参照信号リソースのインジケーション情報によって示される、ダウンリンク参照信号リソースである、ステップ、およびパスロス構成情報に含まれる複数のパスロス量のための処理ルールに従って、測定されたパスロス量を処理し、アップリンク伝送のパスロス量を取得するステップとして表され得ることに留意されたい。
【０２００】
本願の実施形態では、本デバイスはさらに、以下の動作、すなわち、第１の伝送パラメータセットが第１のインジケーション情報を含む場合において、第１の伝送パラメータセットに含まれる第１のインジケーション情報に従って、第１の伝送パラメータセットに対応する、第１の通信ノードによってローカルで維持される閉ループ電力調節量をリセットするかどうかを決定するステップ、または第１の通信ノードのために第２の通信ノードによって構成される所定のルールに従って、第１の通信ノードによってローカルで維持される閉ループ電力調節量をリセットするかどうかを決定するステップのうちの少なくとも１つを実施するように構成される、リセットモジュールを含んでもよい。所定のルールは、第１の伝送パラメータセットを構成する度に、第１の伝送パラメータセットに対応する、第１の通信ノードによってローカルで維持される閉ループ電力調節量をリセットするステップ、構成された第１の伝送パラメータセットの中の標的受信電力構成情報が変化する度に、第１の伝送パラメータセットに対応する、第１の通信ノードによってローカルで維持される閉ループ電力調節量をリセットするステップ、構成された第１の伝送パラメータセットの中のパスロス構成情報が変化する度に、第１の伝送パラメータセットに対応する、第１の通信ノードによってローカルで維持される閉ループ電力調節量をリセットするステップ、または第１の通信ノードのアップリンク伝送リソースが変化する度に、アップリンク伝送リソースに対応する、第１の通信ノードによってローカルで維持される閉ループ電力調節量をリセットするステップのうちの少なくとも１つを含む。
【０２０１】
本願の実施形態では、本デバイスはさらに、所定の報告様式で電力ヘッドルームレポートを第１の通信ノードに報告するように構成される、報告モジュールを含んでもよく、所定の報告様式は、閉ループ電力制御のループ毎に電力ヘッドルームレポートを別個に報告するステップ、または複数のループのための合同電力ヘッドルームレポートを合同で報告するステップのうちの少なくとも１つを含む。
【０２０２】
所定の報告様式が閉ループ電力制御のループ毎に電力ヘッドルームレポートを別個に報告するステップである場合において、電力ヘッドルームレポートの報告をトリガするために構成されるトリガ条件は、以下、すなわち、規定ループのパスロス量変化が、第１の所定の閾値を超える、規定ループの構成が、変化する、規定ループに対応する電力制御パラメータ識別子の第１の電力制御パラメータが、再構成される、規定ループに対応する第１の通信ノードによってローカルで維持される閉ループ電力調節量が、故障に起因する場合を除いてリセットされる、電力ヘッドルームレポートと前もって報告された電力ヘッドルームレポートとの間の差異が、第２の所定の閾値を上回る、または電力ヘッドルームレポートが、条件、すなわち、電力ヘッドルームレポートが０であること、電力ヘッドルームレポートが０未満であること、または電力ヘッドルームレポートが第３の所定の閾値未満であることのうちの少なくとも１つを満たす、のうちの少なくとも１つを含むことに留意されたい。
【０２０３】
所定の報告様式が、複数のループの合同電力ヘッドルームレポートを合同で報告するステップである場合において、電力ヘッドルームレポートの報告をトリガするために構成されるトリガ条件は、以下、すなわち、複数のループの合同電力ヘッドルームレポートの前の報告時間に対して、複数のループのうちの全てのループのパスロス量変化の合計が、第４の所定の閾値を超える、複数のループのうちの少なくとも１つのループの構成が、変化する、複数のループのうちの少なくとも１つのループに関して、対応する電力制御パラメータ識別子の第１の電力制御パラメータが、再構成される、複数のループのうちの少なくとも１つのループに関して、第１の通信ノードによってローカルで維持される閉ループ電力調節量が、故障に起因する場合を除いてリセットされる、合同電力ヘッドルームレポートと前もって報告された合同電力ヘッドルームレポートとの間の差異が、第５の所定の閾値を上回る、または合同電力ヘッドルームレポートが、条件、すなわち、合同電力ヘッドルームレポートが０であること、合同電力ヘッドルームレポートが０未満であること、または合同電力ヘッドルームレポートが第６の所定の閾値未満であることのうちの少なくとも１つを満たす、のうちの少なくとも１つを含むことに留意されたい。
【０２０４】
実施形態では、本デバイスは、第１の通信ノードに位置してもよいが、必ずしもそうではなくてもよい。
【０２０５】
第１の通信ノードは、端末であり得、第２の通信ノードは、基地局であり得るが、それに限定されないことに留意されたい。
【０２０６】
本願の実施形態はさらに、通信ノードを提供する。通信ノードは、プログラムを実行するように構成される、プロセッサを含む。プログラムは、実行されると、実施形態２に説明される方法を実施する。
【０２０７】
上記に説明される種々のモジュールは、ソフトウェアまたはハードウェアによって実装され得ることに留意されたい。ハードウェアによる実装は、以下の様式、すなわち、上記に説明される種々のモジュールは、同一のプロセッサの中に位置する、または上記に説明される種々のモジュールは、任意の組み合わせの形態でそれらの個別のプロセッサの中に位置する、で実施されてもよいが、必ずしもそうではなくてもよい。
（実施形態５）
【０２０８】
記憶媒体が、本願の実施形態によってさらに提供される。記憶媒体は、実行されると、上記の方法のうちのいずれかを実行する、記憶されたプログラムを含む。
【０２０９】
実施形態では、本実施形態において、記憶媒体は、限定ではないが、Ｕディスク、読取専用メモリ（ＲＯＭ）、ランダムアクセスメモリ（ＲＡＭ）、モバイルハードディスク、磁気ディスク、光ディスク、またはプログラムコードを記憶することが可能な別の媒体を含んでもよい。
【０２１０】
本願の実施形態はさらに、プロセッサを提供する。プロセッサは、実行されると、任意の上記の方法のステップを実施する、プログラムを実行するように構成される。
【０２１１】
一実施形態では、本実施形態における具体的実施例に関して、上記の実施形態および随意の実装モードで説明される実施例が、参照され得、具体的実施例は、本実施形態では繰り返されないであろう。
【０２１２】
本願の実施形態をさらに理解するために、本願は、好ましい実施形態と併せて、下記でさらに説明されるであろう。
【０２１３】
無線通信システムでは、送信機器の電力消費量および他の伝送への不必要な高電力伝送によって引き起こされる干渉を削減するために、伝送電力制御が、伝送上で実施される必要がある。通信範囲サイズ、２つの通信当事者の伝送デバイスおよび受信デバイスの最大送信電力および受信感度、データの変調およびコーディング方式およびレート、動作周波数帯域、伝送によって占有される帯域幅等の要因が全て、送信電力に影響を及ぼす。概して、より低い送信電力が、受信端の受信信号に関する品質要件を満たすという条件で、使用される。
【０２１４】
一般的通信技術では、通信ノード１は、参照信号を送信し、通信ノード２は、参照信号に従って、ノード１からノード２までのパスロス（ＰＬ）を測定する。ＰＬは、ノード１の参照信号の送信電力およびノード２によって受信される参照信号の電力によって取得される。ノード２は、ノード２からノード１までの伝送チャネルのＰＬが、ノード１からノード２までのチャネルのものと同一であると仮定し、受信端に到達する伝送の受信電力が受信要件を満たすことができるように、送信電力を設定する。ＰＬが一方的に測定される結果であるため、本要因は、送信電力の中の開ループ部分に属する。ノード２は、伝送後に分析し、ノード１に関する電力調節情報は、受信された品質に従って提供され、本プロセスは、閉ループ電力制御に属する。
【０２１５】
ＬＴＥでは、基地局から端末へのリンクは、ダウンリンクであり、端末から基地局へのリンクは、アップリンクである。ダウンリンク電力は、各スケジュールされたＵＥのチャネル測定結果およびスケジューリングアルゴリズムに従って、基地局によって決定される。アップリンク電力制御は、閉ループと組み合わせられる開ループの様式である。ＵＥ測定によって決定される電力制御要因は、開ループ部分に属し、基地局によって測定され、ＵＥにフィードバックされる電力制御要因は、閉ループ部分に属する。加えて、送信レート、ＭＣＳレベル、送信帯域幅等の伝送に関連する具体的数量もまた、電力に影響を及ぼす。
【０２１６】
ＬＴＥにおけるＰＵＳＣＨの送信電力計算式が、下記に説明され、電力に影響を及ぼす種々のパラメータが、本実施例を使用することによって説明される。ＰＵＣＣＨはまた、類似パラメータおよび機構も有する。
【化１】
2020529808.tif 000003
【０２１７】
上記の式の中の下付き文字ｃは、セルを指す。キャリアアグリゲーション（ＣＡ）機能をサポートする各コンポーネントキャリア（ＣＣ）は、１つのセルに対応する。上記の式から、電力計算式の中の各パラメータは、セルを区別するために構成または計算されることが分かり得る。本願における全ての説明は、１つのＣＣに関するため、セルは、具体的には記述されない。本願における全てのパラメータは、複数のＣＣに拡張され得、これは、ＣＣ毎に電力関連構成および計算されたパラメータを独立して構成する必要のみがあることに留意されたい。
【０２１８】
アップリンク伝送ＰＵＳＣＨの電力ＰＰＰＵＳＣＨの開ループ部分は、標的受信電力ＰＯ＿ＰＵＳＣＨのパスロス量ＰＬおよびパスロス係数αによって決定され、標的受信電力は、基地局によって決定され、ＵＥのために構成される、セルレベルおよびＵＥレベルパラメータに分割される。閉ループ部分では、基地局は、測定結果と標的との間の差異に従って、閉ループ電力制御調節量を決定し、伝送電力制御コマンド
【０２１９】
（ＴＰＣコマンド、すなわち、ＤＣＩにおいて、ＰＵＳＣＨに関しては
【化２】
2020529808.tif 000004
、ＰＵＣＣＨに関しては
【化３】
2020529808.tif 000005
）によって、ＵＥに通知する。
【０２２０】
ＵＥは、ローカル電力調節量ｆ（ｉ）を維持し、伝送電力制御コマンドに従ってそれを更新し、上記の式を使用して、閉ループ制御電力の目的を達成する。ｉは、サブフレーム番号を表す。ΔＴＦは、ＭＣＳ関連電力オフセットであり、ＰＣＭＡＸは、ＵＥの最大電力限界であり、ＭＰＵＳＣＨは、ＰＵＳＣＨによって占有されるリソースブロック（ＲＢ）の数である。
【０２２１】
ＬＴＥのセルレベル標的受信電力Ｐ０＿ｎｏｍｉｎａｌは、異なるＢＬＥＲ要件に別個に対応する、ＰＵＳＣＨ（半静的、動的、ＭＳＧ３）およびＰＵＣＣＨを区別する。ＵＥレベル標的受信電力パラメータＰ０＿ＵＥ＿ｓｐｅｃｉｆｉｃもまた、上記の項目を区別するために設定される。本機能は、ＰＬ推定誤差および絶対出力電力によって設定される誤差等の系統的偏差を補償することである。
【０２２２】
ｆ（ｉ）は、伝送電力制御コマンドに従って、２つの方法で、すなわち、累積様式および絶対値様式で、更新される。絶対値様式は、基地局によって送信される伝送電力制御コマンドを用いて、ＵＥのローカル電力調節量ｆ（ｉ）を直接更新することであり、累積様式は、基地局によって送信される伝送電力制御コマンドおよびＵＥのローカル電力調節量の履歴値によって、ＵＥのローカル電力調節量ｆ（ｉ）を合同で決定することである。
【０２２３】
ｆ（ｉ）は、ここでは、ＵＥのローカル閉ループ電力調節量を表すことに留意されたい。ＬＴＥでは、ＰＵＣＣＨのＵＥのローカル閉ループ電力調節量は、ｇ（ｉ）として記録される。本願では、ｆ（ｉ）はまた、ＰＵＣＣＨに適用されてもよく、電力制御におけるその機能は、ＰＵＳＣＨに適用されるものに類似する。
【０２２４】
５Ｇ技術は、ビーム伝送モードを導入する。基地局およびＵＥは両方とも、複数のビームをサポートする。ビームモードで動作する時点で、電力計算は、ビーム特性を考慮する必要がある。本願は、マルチビーム電力制御方法を提案する。本願で記述される種々のパラメータは、ＰＵＳＣＨ、ロングＰＵＳＣＨ、ショートＰＵＳＣＨ、ＰＵＣＣＨ、ロングＰＵＣＣＨ、ショートＰＵＣＣＨ、および信号ＳＲＳ等の異なるチャネルに適用可能である。同一のタイプのパラメータが、上記に説明される各チャネルまたは信号に適用されるとき、パラメータは、独立して構成される、または複合様式で構成されてもよい。構成される複合様式で構成することは、異なるチャネルおよび信号が同一の値を共有し得ることを意味する。同一の値を共有し得る、異なるチャネルまたは信号は、所定の様式で決定される、または基地局によって構成される。
【０２２５】
種々のビーム関連概念が、本願の好ましい実施形態の説明で使用される。理解を促進するために、以下の解説が行われる。
【０２２６】
本願で記述される送信モードは、送信ビーム、送信ポート、伝送リソース、参照信号シーケンス、または送信プリコーディングマトリクス（アナログ、デジタル、またはハイブリッド様式）のうちの少なくとも１つを含む。
【０２２７】
本願で記述される送信モードは、送信ビーム、送信ポート、伝送リソース、参照信号シーケンス、送信プリコーディングマトリクス（アナログ、デジタル、またはハイブリッド様式）、および受信機アルゴリズムのうちの少なくとも１つを含む。
【０２２８】
ビームは、リソース（送信端におけるプリコーディング、受信端におけるプリコーディング、アンテナポート、アンテナ加重ベクトル、およびアンテナ加重マトリクス等）であってもよく、ビームシーケンス番号は、ビームのリソースインデックスと置換されてもよく、いくつかの時間周波数コードリソースに向かう伝送を実施してもよい。ビームはまた、伝送（送信／受信）モードであってもよく、伝送モードは、空間分割多重化、周波数ドメイン／時間ドメインダイバーシティ等を含んでもよい。
【０２２９】
ビームインジケーションは、送信端が、現在の参照信号およびアンテナポートによって示され得、擬似コロケーション（ＱＣＬ）仮定が、参照信号（または基礎参照信号）およびＵＥによってフィードバックされ、基地局によって走査されるアンテナポートによって、満たされることを意味する。
【０２３０】
受信ビームは、インジケーションを要求しない受信端のビーム、または現在の参照信号とアンテナポートとの間の擬似コロケーション（ＱＣＬ）、および参照信号（または基礎参照信号）およびＵＥによってフィードバックされ、基地局によって走査されるアンテナポートによって示される、受信端のビームリソースを指す。
【０２３１】
チャネル特性は、すなわち、水平送信方位角、垂直送信方位角、水平受信方位角、および垂直受信方位角等の物理的伝送チャネル特性を含み、また、要素パターン特性、アンテナ群、アンテナパネル、アンテナサブアレイ、ＴＸＲＵ、受信ビームセット、アンテナ設置、およびベースバンド時間オフセット、周波数オフセット、および位相雑音等の無線周波数およびベースバンド回路の特性も含む。
【０２３２】
擬似コロケーション（ＱＣＬ）に関与するパラメータは、少なくとも、ドップラ拡散、ドップラ偏移、遅延拡散、平均遅延、および平均利得を含み、また、到着角、受信ビームの空間相関、平均遅延、時間周波数チャネル応答の相関（位相情報を含む）等の空間パラメータ情報を含んでもよい。
【０２３３】
アップリンクおよびダウンリンク参照信号相関は、アップリンク（ダウンリンク）参照信号の空間パラメータ特性が、ＱＣＬ仮定を満たすもの、または空間相互ＱＣＬ仮定を満たすものとしても公知である、ダウンリンク（アップリンク）参照信号によって受けられるチャネルの空間パラメータ特性によって決定され得ることを意味する。具体的には、アップリンク参照信号送信ビームは、ダウンリンク参照信号に対応する受信ビームによって、決定されてもよく、ダウンリンク参照信号送信ビームは、アップリンク参照信号に対応する受信ビームによって、決定されてもよく、アップリンク参照信号受信ビームは、ダウンリンク参照信号に対応する送信ビームによって、決定されてもよく、ダウンリンク参照信号受信ビームは、アップリンク参照信号に対応する送信ビームによって、決定されてもよい。
【０２３４】
本願の実施形態では、説明を容易にするために、基地局およびＵＥ（ユーザ機器、ユーザ機器）が、説明のために使用されるが、これは、本願を限定することを意図していない。実装処理では、基地局およびＵＥは、ノードＢ（ＮＢ）、ｇＮＢ、および伝送機・受信機ポイント（ＴＲＰ）、アクセスポイント（ＡＰ）、局、ユーザ、ＳＴＡ、継電器、継電器および端末等と置換されてもよい。
【０２３５】
本願の好ましい実施形態におけるビーム（群）の意味は、ビームまたはビーム群である。
（好ましい実施形態１）
【０２３６】
ＮＲのマルチビームシナリオにおける電力制御パラメータおよびエアインターフェースシグナリングでは、少なくとも、以下の数量、すなわち、Ｐ０、ＰＬ、ｆ（ｉ）、およびＴＰＣコマンドが、ビームに関連する。Ｐ０は、標的受信電力、特に、ＵＥ特有またはビーム特有であり得る、標的受信電力の非セル関連部分を指す。標的受信電力は、ＵＥ特有のＰ０として集合的に説明され、本パラメータは、具体的ビーム、またはビーム群、またはビームペアリンク（ＢＰＬ）、またはＢＰＬ群に関するものであり得る。ＢＰＬ群は、１つ以上の送信ビームまたは１つ以上の受信ビームの間のリンクペア群を指す。
【０２３７】
１回の伝送に関して、ビームリソースのみが調査され、明確な送信および受信リソースが、提供される。すなわち、１回の伝送に関して、具体的送信および受信ビーム（群）が、提供される。しかしながら、実際のシステムでは、エアインターフェースオーバーヘッドまたは他の理由に起因して、アップリンク伝送に関して、ＵＥは、送信端として、受信ビーム等の受信のための受信端によって使用されるリソースを明確に把握することが可能ではあり得ない。この場合、ＰＬ、Ｐ０、およびｆ（ｉ）は、受信端の受信リソースが明確ではないため、決定され得ない。
【０２３８】
アップリンク伝送の受信ビームを把握するようにＵＥをサポートし、開ループプラス閉ループ電力制御モードを実装するために、本願の好ましい実施形態１は、以下のステップを含む方法を提供する。
【０２３９】
１．基地局は、上位層シグナリングまたはＭＡＣ  ＣＥを通して、電力制御に関連する情報を構成し、電力制御に関連する情報は、電力制御設定パラメータまたは第１の伝送パラメータセットと呼ばれる。本実施例では、情報は、電力制御セット（ＰＣセット）パラメータと呼ばれる。基地局は、ＵＥ毎にＰＣセットパラメータの１つ以上のセットを構成する。
各ＰＣセットは、以下のコンテンツを含む。基地局は、ＵＥに関して、以下の情報のうちの少なくとも１つ、すなわち、
ＰＣセットＩＤ、
ｆ（ｉ）をクリアするかどうかのインジケーション、
以下のうちの少なくとも１つを含む、Ｐ０関連構成、すなわち、
ＵＥ特有のＰ０の値、
以下のうちの少なくとも１つを含む、ＰＬ関連構成、すなわち、
ＤＬ  ＲＳリソース：ＣＲＩおよび／またはＳＳ−ブロックインジケーションおよび／またはＴＲＳリソースインジケーション、
複数のＤＬ  ＲＳのための組み合わせルール、
アップリンクＲＳＲＰ／ＰＬ値、
を構成してもよい。
【０２４０】
ＰＣセットＩＤは、ＰＣセットパラメータを識別するために使用される。ＰＣセットパラメータの各セットは、ＰＣセットＩＤによって識別される。ＵＥのために基地局によって構成されるＰＣセットは、複数回、構成されてもよい。同一のＩＤに関して、後に構成されるものは、前もって構成されたものの更新である。各ＰＣセットＩＤは、基地局側におけるビームの群を表す。基地局の受信ビームがビーム群の群内で変化するとき、基地局およびＵＥは両方とも、ＰＣセットパラメータを不変であると見なす。基地局の受信ビームが異なるビーム群の間で変化するとき、基地局およびＵＥは両方とも、ＰＣセットパラメータが異なり得、異なるビーム群が独立して構成されることを考慮する。
【０２４１】
ある周期では、基地局は、ＵＥのためのＰＣセットパラメータの１つのセットを構成してもよい。パラメータの全てまたは一部が再構成される必要があるとき、基地局は、上位層シグナリングを通して、関連パラメータをＵＥに再発行する。
【０２４２】
ある周期では、基地局はまた、ＵＥのためのＰＣセットパラメータの１つを上回るセットを構成してもよく、基地局は、上位層シグナリングを通して、ＰＣセットパラメータの異なるセットを更新してもよい。
【０２４３】
基地局がＵＥのためのＰＣセットパラメータの１つのセットのみを構成する場合、ＰＣセットパラメータは、ＰＣセットＩＤを含み得ない。ＰＣセットＩＤを搬送するかどうかは、基地局によって決定される。
【０２４４】
ｆ（ｉ）をクリアするかどうかのインジケーションは、ＵＥ側でローカルで維持される閉ループ電力調節量ｆ（ｉ）の中のＰＣセットＩＤに関連する数量が、０にクリアされるかどうかを指す。
【０２４５】
ＵＥ特有のＰ０の値は、基地局側のＰＣセットＩＤに対応する、１つの受信ビームまたは受信ビームの群の標的受信電力の調節値を指す。実際の用途は、受信ビーム（群）上の干渉、システム電力偏差、アップリンクおよびダウンリンクＰＬオフセット等を具現化し得る。
【０２４６】
ＤＬ  ＲＳリソースは、基地局のダウンリンク送信ビームを示すために以下、すなわち、ＣＲＩ、ＳＳ−ブロックリソースインジケーション、またはＴＲＳリソースインジケーションのうちの少なくとも１つを含む。ＣＲＩは、ＣＳＩ−ＲＳリソースインジケーションを指し、本情報は、規定ＣＳＩ−ＲＳを使用することによって、ＰＬ測定を実施するようにＵＥに命令するために使用される。ＳＳ−ブロックリソースインジケーションは、一次ブロードキャストチャネル（ＰＢＣＨ）の復調参照信号（ＤＭＲＳ）またはＮＲ−ＳＳにおける二次同期化信号（ＳＳＳ）のリソースインジケーションを指し、情報は、規定ＳＳ−ブロックを用いてＰＬ測定を実施するようにＵＥに示す。ＴＲＳは、追跡参照信号であり、ＴＲＳリソースインジケーションは、規定ＴＲＳを用いてＰＬ測定を実施するようにＵＥに示すものである。
【０２４７】
ＣＲＩ、ＳＳ−ブロックリソースインジケーション、およびＴＲＳリソースインジケーションのうちの２つまたは全てがＵＥのために構成される場合、ＣＲＩ、ＳＳ−ブロック、およびＴＲＳのＰＬ値が組み合わせられるかどうかは、基地局によって事前定義または規定される。ＰＬ値が組み合わせられる場合、組み合わせがオフセットを有するかどうかは、事前定義または基地局仕様様式で決定される。
【０２４８】
複数のＤＬ  ＲＳのための組み合わせルールは、複数のＰＬの同等平均を求めるステップ、複数のＰＬの非同等加重平均を求めるステップ、複数のＰＬの最大値を求めるステップ、または複数のＰＬの最小値を求めるステップを含む、ダウンリンク受信ビーム上で測定される複数のＤＬ  ＲＳのＰＬ値のための組み合わせルールを指す。非同等加重平均の場合に関して、組み合わせルールはさらに、非同等加重値を決定するための方法を含み、本方法は、加重値を直接示すための方式を含む。例えば、３つのＤＬ  ＲＳリソースが、構成され、３つのＤＬ  ＲＳリソースを測定することによって取得されるＰＬ結果は、規定割合に従って加重される。本方法はさらに、３つのＤＬ  ＲＳリソースを構成するステップ、３つのＤＬ  ＲＳリソースを測定することによって取得されるＰＬ結果を最初にソートするステップ、および規定割合に従ってソート後に３つのＰＬ値を加重するステップ等のソート後に加重を規定するための様式を含む。規定割合は、値の事前構成されたセット、または複数の事前構成されたセットであってもよく、基地局は、複数の事前構成されたセットのうちの１つをを構成する。
【０２４９】
組み合わせルールはまた、組み合わせルールに従って、複数の構成されたＤＬ  ＲＳの全てのＰＬ値において条件を満たす、ＰＬを組み合わせるステップ等の限界を有し得る。条件は、ＰＬ値がある閾値要件を満たすことを含む。閾値は、標準によって規定される、またはセルレベル／ＵＥレベルパラメータとして基地局によってＵＥに構成される、またはＰＣセットパラメータの組み合わせルールにおいて１つの項目として基地局によってＵＥに構成される。
【０２５０】
アップリンクＲＳＲＰ／ＰＬ値：基地局は、アップリンク伝送リンクＰＬに使用されるダウンリンクＲＳ測定値を使用して、ＵＥのエラーを補正するように、対応するアップリンク伝送リンクのＲＳＲＰ／ＰＬ値をＵＥにフィードバックする。
ＰＬについての説明
【０２５１】
１つのＣＲＩが、ＰＬ情報の中で構成されてもよく、ＵＥは、ＰＬを測定するために基地局によって構成されるＱＣＬ関係を通して、ＣＲＩによって示されるＣＳＩ−ＲＳとのＱＣＬ関係を有するＣＳＩ−ＲＳのセットを取得する。
【０２５２】
複数のＣＲＩリソースが、ＰＬ情報の中で構成されてもよく、これは、主に、不良なＰＬ相互関係という問題を解決するために使用される。相互関係が良好である場合、情報は、構成され得ない、または留保された値を使用することによって示され、ＰＬは、実際のＢＰＬまたは推測されるＢＰＬ（基地局がＵＥ  ＲＸビームを表示しないとき）に従って、ＵＥによって計算される。
【０２５３】
スケジューリング情報は、ＣＲＩおよび／またはＳＲＩ等のＵＥ  ＴＸビームを決定するために使用される情報を含むべきである。ＳＲＩは、ＵＥのＴＸビームを示すために直接使用され、ＣＲＩは、２つの方法で、すなわち、基地局のＲＸビームを示すため、またはＵＥのＴＸビームを間接的に示すために、使用されてもよい。要するに、ＵＥは、少なくとも、スケジューリング情報からＴＸビームを決定してもよい。
【０２５４】
スケジューリング情報はまた、ＰＣセットＩＤを含んでもよい。ＰＣセットＩＤが含まれない、すなわち、１つだけのセットがＵＥのために提供される場合、インジケーションは要求されない。スケジューリング情報の中のＰＣセットＩＤによって示されるＰＬ情報が、通常のＤＬ  ＲＳリソースインジケーションを有するとき、ＰＬは、示されたＤＬ  ＲＳに従って計算される。別様に、これは、ＰＬ相互関係が利用可能である場合である。ＵＥは、ＴＸビーム、または決定または参照されたＲＸビームのＢＰＬのダウンリンクＰＬを使用し、アップリンクＰＬを置換する。
【０２５５】
２．基地局は、ＵＥのためのＰＣセットのパラメータを示す。
【０２５６】
基地局は、上位層シグナリングまたは物理層シグナリングまたはＭＡＣ  ＣＥを通して、ＵＥのために、ＴＸビームまたはＴＸビーム群等のアップリンク伝送の伝送リソースを示す。
【０２５７】
ＴＸビーム（群）は、ＳＲＳリソースインジケーションまたはＣＳＩ−ＲＳリソースインジケーションによって識別されてもよい。ＳＲＳリソースインジケーションは、ＳＲＳを前もって送信するために使用されたＵＥ送信ビーム（群）を識別し、ＣＳＩ−ＲＳのリソースインジケーションは、前もって送信されたＣＳＩ−ＲＳに対応する、ＵＥの最良の受信ビーム（群）を識別し、最良の受信ビーム（群）をアップリンク伝送の送信ビーム（群）として受け取る。
【０２５８】
基地局は、上位層シグナリングまたは物理層シグナリングまたはＭＡＣ  ＣＥを通して、ＵＥのために、ＲＸビームまたはＲＸビーム群等のアップリンク伝送の受信リソースを示す。
【０２５９】
ＲＸビーム（群）は、ＤＬ  ＲＳリソース識別子によって識別されてもよい。
ＰＣセットパラメータとＴＸビーム（群）との間の関連関係は、以下のうちの１つであってもよい。
【０２６０】
物理層シグナリングまたはＭＡＣ  ＣＥによって、ＴＸビーム（群）に対応するＰＣセットＩＤを構成するステップ、
【０２６１】
上位層シグナリングによって、ＰＣセットＩＤとＴＸビームとの間の関連性を構成し、物理層シグナリングまたはＭＡＣ  ＣＥによって、ＴＸビーム（群）を構成するステップ。
【０２６２】
ＰＣセットパラメータとＴＸビームとの間の関連関係は、デフォルトである。例えば、ＰＣ設定パラメータの１つのセットのみが、常に更新され、全てのＴＸビームに使用される。代替として、ＰＣセットＩＤは、昇順で物理層シグナリングを通して構成されるＴＸビームに対応する。
【０２６３】
物理層シグナリングは、ＤＣＩ情報、またはスケジューリングに関連する情報を含む他の物理層シグナリングエンティティであってもよい。
【０２６４】
ＰＣセットＩＤは、ＲＸビーム群ＩＤと同等である、ＵＥのためのアップリンク受信ビームのセットを識別する。このようにして、基地局は、具体的受信ビーム情報を隠す。概して、基地局は、同一のＰＣセットＩＤのための同一の受信ビーム群を構成してもよいが、基地局はまた、異なる機会に同一のＰＣセットＩＤのための異なる受信ビームを構成し、具体的ＰＣセットパラメータを置換することによって、実際の受信ビームとの対応を実装してもよい。
【０２６５】
基地局がＵＥのためのＰＣセットパラメータの１つのセットのみを構成するとき、ＰＣセットＩＤ情報は、物理層情報の中に含まれ得ない。ＰＣセットＩＤが含まれるかどうかは、異なるＤＣＩフォーマット等の異なる物理層シグナリングフォーマットに対応し得る。
３．基地局は、物理層シグナリングによって伝送電力制御コマンドを動的に送信する。
【０２６６】
ＴＰＣコマンド情報は、１つ以上のＴＸビーム（群）に対応する、１つ以上の電力調節量を含む。ＴＸビーム（群）の数は、現在の伝送の独立電力制御のビーム（群）に関連し、対応するアップリンクＲＸビーム（群）は、ＰＣセットＩＤによって暗示的に示される。
【０２６７】
実施例は、以下の通りである。ＵＥは、２つの送信ビームを使用することによって、２層データを基地局に送信し、そのそれぞれの電力制御は、独立して実施され、基地局は、１つの受信ビームを使用して、データを受信することが仮定される。基地局は、ＵＥの２つの送信ビームの品質、すなわち、基地局の受信ビームに到達する２層データを区別してもよく、次いで、基地局は、ＵＥの２つの送信ビームに対応するＴＰＣコマンドの中で２つの閉ループ電力調節量（デルタ１およびデルタ２に設定される）を伝送する。ＵＥは、これら２つの閉ループ電力調節量を、それぞれ、ＵＥの２つの送信ビームに対応する、ｆ（ｉ）に適用する。基地局はまた、複数の受信ビームを使用して、データを同時に受信してもよい。この場合、基地局の複数の受信ビームは、受信ビーム群である。基地局は、受信ビーム群の中の複数のビームの受信品質を包括的に考慮し、ＵＥの送信ビーム毎に１つの閉ループ電力調節量を送信する。ｆ（ｉ）へのＵＥの処理は、基地局が１つのビームを用いてデータを受信する場合のものと同一である。すなわち、基地局が複数の受信ビームを使用してデータを同時に受信することの詳細は、ＵＥの閉ループ電力制御プロセスに対して透過的である。閉ループ電力調節量に対応するｆ（ｉ）は、現在伝送されているＰＣセットＩＤに対応する量である。
【０２６８】
４．ＵＥは、以下の方法を使用して、アップリンク伝送（ＰＵＳＣＨ／ＰＵＣＣＨ／ＳＲＳ）の電力を計算する。
【０２６９】
ＵＥは、上位層情報を受信し、ＰＣセットパラメータの１つ以上のセットを取得する。
【０２７０】
ＵＥは、物理層シグナリングまたはＭＡＣ  ＣＥのスケジューリング情報に従って、現在の伝送のＴＸビームおよび現在の伝送に対応するＰＣセットＩＤを決定する。
【０２７１】
ＵＥは、ＰＣセットパラメータの中のＰＣセットＩＤ毎に、ＵＥ特有のＰ０の値およびＰＬパラメータを設定する。
【０２７２】
ＵＥは、一対のＴＸビーム（群）およびＰＣセットＩＤ毎にｆ（ｉ）を維持する。
【０２７３】
ＵＥの複数のＴＸビームのそれぞれが独立電力制御を受け得る、すなわち、基地局が異なるＴＸビームのためにＴＰＣコマンドを送信する場合、ＵＥは、一対の（ＴＸビームおよびＰＣセットＩＤ）毎にｆ（ｉ）を維持する。
【０２７４】
別様に、複数のＴＸビームが群ベースの電力制御を受ける、すなわち、基地局がＵＥのＴＸビーム群のユニットの中でＴＰＣコマンドを送信する場合、ＵＥは、一対の（ＴＸビームおよびＰＣセットＩＤ）毎にｆ（ｉ）を維持する。
【０２７５】
ＵＥは、伝送電力制御コマンドを受信し、コマンドを（ＴＸビーム（群）およびＰＣセットＩＤ）の対応するｆ（ｉ）に適用し、基地局によって作成される構成に従って、累積様式または非累積様式を採用する。
【０２７６】
ＵＥがＰＣセットを受信した後、Ｐ０関連情報が含まれる場合、ＰＣセットＩＤに対応するＵＥ特有のＰ０の値が、更新され、可能性として考えられるクリア動作が、基地局によって示されるルールに従って、ｆ（ｉ）に実施される。
【０２７７】
ＵＥがＰＣセットを受信した後、Ｐ０関連情報が含まれる場合、ＰＬ計算のパラメータ構成が、更新され、可能性として考えられるクリア動作が、基地局によって示されるルールに従って、ｆ（ｉ）に実施される。
【０２７８】
ＰＬ計算のために要求される、可能性として考えられる組み合わせルールおよびＤＬ  ＲＳリソースは、ＰＣセットＩＤに従って、上位層構成のＰＣセットパラメータから取得され、物理層情報によって決定されるアップリンク伝送のＴＸビームは、可能性として考えられる組み合わせルールに従って、受信ビームによってＤＬ  ＲＳリソースを受信するためのＰＬおよびアップリンク伝送を計算するためのＰＬとしてとられる。
【０２７９】
ＰＬ、Ｐ０、ｆ（ｉ）は、本アップリンク伝送の電力を計算するために使用される。
【０２８０】
基地局およびＵＥの送信ビームは、基地局およびＵＥの受信ビームに対応する、すなわち、送信ビームおよび受信ビームは、ビーム幅および数量が同一であることが仮定される。
【０２８１】
図６は、本願の好ましい実施形態１によって提供される、基地局のビームおよびＵＥのビームの概略図である。図６に示されるように、説明を簡単にするために、基地局のビームは、数字によって表され、ＵＥのビームは、文字によって表される。
【０２８２】
ビーム管理段階での測定後、基地局は、基地局とＵＥとの間のビームペアリンクについて学習し、これを使用して、ＵＥのためのアップリンク伝送ペアリソースをスケジュールする。伝送のある周期にわたって、基地局は、ビームＢを使用することによって伝送を実施するようにＵＥに示す。１つ以上の最良の受信ビームが、図６に示されるように、全ての受信ビームから基地局によって選択され、Ｂ−＞２、Ｂ−＞３、Ｂ−＞４、Ｂ−＞５の随意のセットが、選択されてもよい。次いで、基地局は、本随意のセットの中の１つ以上のビームを選定してもよい。
【０２８３】
ＰＬアップリンクおよびダウンリンク相互関係が利用可能であり、基地局がビーム３等の受信ビームを示す場合には、ＵＥは、ビーム３を通して基地局によって送信されるＤＬ  ＲＳを使用することによって、チャネルを測定し、アップリンク伝送リンクＢ−＞３の電力計算のためのＰＬとして、それを使用する。この場合、基地局は、ＵＥのためのＰＬ関連パラメータを構成する必要があり得ない。
【０２８４】
ＰＬアップリンクおよびダウンリンク相互関係が利用可能ではない場合、ＵＥのために基地局によって構成されるＰＣセットは、ＰＬ関連パラメータを搬送する。本伝送の周期にビームＢを使用するために、基地局によってＵＥに送信されるＰＣセットの中に含まれるＰＬ関連パラメータは、ＵＥが、基地局のビーム２、３、４、および５のＤＬ  ＲＳを使用して、ダウンリンクＰＬを測定し、次いで、ＵＥが、組み合わせルールに従って、アップリンク伝送のためのＰＬを取得することを規定する。本時点で、基地局は、ＵＥに具体的受信ビームを通知する場合とそうではない場合がある。ＰＬ計算に関して、ＵＥは、具体的受信ビームを把握する必要がない。
【０２８５】
ＵＥが、伝送ダイバーシティ機能を実装するため等に、送信ビームを頻繁に切り替えることが必要である場合、基地局は、ＵＥのためのＰＣセットの複数のセットを構成してもよい。図６に示されるように、ＰＣセットＩＤ１の中のＰＬ関連パラメータは、ビーム２、３、４、および５を通して基地局によって送信されるＤＬ  ＲＳを示し、ＰＣセットＩＤ２の中のＰＬ関連パラメータは、ビーム４および６を通して基地局によって送信されるＤＬ  ＲＳを示す。基地局が、ビームＢを使用することによって伝送を実施するようにＵＥに命令するとき、基地局は、ＰＣセットＩＤ１を搬送し、基地局が、ビームＤを使用することによって伝送を実施するようにＵＥに命令するとき、基地局は、ＰＣセット２を搬送する。
【０２８６】
送信ビームを頻繁に切り替える必要がない場合、ＰＣセットパラメータの１つのセットのみが、構成されてもよく、例えば、ＰＬ関連パラメータは、ビーム２、３、４、および５によって送信されるＤＬ  ＲＳリソースが使用されるものであることを示すように構成される。ＵＥがビームＡに切り替える必要がある場合、基地局は、ＰＣセットパラメータを再送信し、ビーム１、２、３、および４によって送信されるＤＬ  ＲＳリソースが使用されるものであることを示すようにＰＬ関連パラメータを構成する。
【０２８７】
Ｐ０パラメータに関して、ＵＥ特有の部分が、ＵＥのために独立して構成され、これは、基地局によって被られる干渉レベルおよびＵＥの電力調節偏差を反映し得る。マルチビームシナリオでは、基地局の異なる受信ビーム上の干渉が異なるため、構成は、基地局の受信ビームに基づく必要がある。アップリンクおよびダウンリンクビーム測定結果に従って、基地局は、ＵＥのためのいくつかの可能性として考えられる受信ビームを選択し、基地局の受信ビームによって独立して構成される、または群による基地局の受信ビームによって独立して構成され得る、これらのビームに従って、ＵＥ特有のＰ０を決定する。本値は、電力制御の初期計算値として使用され、ビームによる構成の正確度は、必要ではないため、受信ビーム群に従って構成することがより実行可能である。構成された値と実際の値との間の誤差は、閉ループ電力制御プロセスによって補償される。
【０２８８】
図６に示されるように、基地局は、ＵＥのためのＰＣセットパラメータを構成する。Ｐ０関連パラメータは、１０ｄＢであるように構成され、対応するＰＣセットＩＤは、１であるように構成され、ＰＣセットＩＤ２のＰ０関連パラメータは、１５ｄＢであるように構成される。
【０２８９】
基地局は、ＴＰＣコマンドを通してＵＥのローカル閉ループ電力調節量ｆ（ｉ）を調節し、それによって、送信電力に影響を及ぼす。ビームシナリオでは、受信または伝送端においてビームを切り替えることは、電力調節量の調節範囲を従来のＬＴＥのものよりも大きくさせ得る。本問題は、ＴＰＣコマンドのビット数を増加させることによって解決され得る。しかしながら、本問題は、全てのシナリオに適用可能ではない、すなわち、全てのＵＥが、ＴＰＣコマンドのオーバーヘッドを増加させる必要があるわけではない。上記の問題は、下記に説明されるソリューションによって解決されることができる。
【０２９０】
ソリューション１：拡張ＴＰＣコマンドが、提供され、拡張ＴＰＣコマンドは、通常のＴＰＣコマンドよりも多くのビットを有する。
【０２９１】
拡張ＴＰＣコマンドのビット数は、標準の事前定義された値である。例えば、拡張ＴＰＣコマンドは、通常のＴＰＣコマンドよりも１つまたは２つ多いビットを有してもよい、拡張ＴＰＣコマンドのビット数は、３または４であってもよい、またはビット数は、上位層シグナリングを通して基地局によって構成されてもよい。
【０２９２】
基地局は、上位層シグナリングを使用して、ＵＥが通常のＴＰＣコマンドまたは拡張ＴＰＣコマンドを使用するかどうかを構成する。または、基地局は、異なるＤＣＩフォーマットを使用し、異なる長さのＴＰＣコマンドを搬送する。ＤＣＩフォーマットは、ＵＥによって無分別に検出される、または上位層シグナリングを通して基地局によって構成される。
【０２９３】
ソリューション２：Ｐ０パラメータが、ＴＰＣコマンドがオーバーヘッド限界に起因して電力調節量を示すことができないという問題を解決するように再送信される。
【０２９４】
実際のシステムの用途では、基地局は、包括的スケジューリングに起因して、受信ビームを変更する必要があり得るが、ＵＥは、明示的に通知されない。この場合、基地局は、送信電力の調節量が比較的に大きく、通常のＴＰＣコマンドの範囲を超えることをＵＥに通知する必要がある。ＬＴＥのＴＰＣコマンドが通常のＴＰＣコマンドである場合を実施例としてとると、ビットオーバーヘッドは、２ビットであり、示される範囲は、累積調節に関しては−１〜３ｄＢ、絶対調節に関しては−４〜４ｄＢである。累積調節および絶対調節は、半静的に構成され、動的に変更されることができない。絶対調節範囲が、比較的に大きく、調節粒度が、比較的に粗い一方で、累積調節範囲は、比較的に小さく、調節粒度は、比較的に細かい。累積調節が、採用され、通常のＴＰＣコマンドの調節範囲が、−１〜３ｄＢであり、基地局が、受信ビームを切り替える必要があり、要求される調節電力量が、−６ｄＢであり、これは、通常のＴＰＣコマンドの調節範囲を超えることが仮定される。基地局は、新しいＰ０を含む、ＰＣ設定パラメータを再送信する。以下の方法が、処理のために採用される。
【０２９５】
基地局は、（新しいＰ０値−最後に送信されたＰ０値＋新しい通常のＴＰＣコマンド）が要求される標的電力調節量であることを確実にする。ここでは、標的電力調節量は、−６ｄＢであり、次いで、基地局は、ＴＣＰコマンドの中で標的電力調節量の一部を示すことを選定してもよく、残りの部分は、新しいＰ０の中で搬送される。具体的配分ルールは、基地局に依存する。通常のＴＰＣコマンドは、Ｐ０値が可能な限り安定していることを確実にするために、正または負の調節量の最大絶対値を示すために使用されてもよく、残りの部分は、新しいＰ０と最後に送信されたＰ０との間の差異によって示されてもよい。この場合、基地局は、Ｐ０を送信するためにＰＣセットパラメータの中のｆ（ｉ）をクリアする必要がない。
【０２９６】
基地局によるＰ０の再送信が、ＴＰＣコマンドの不十分なインジケーション範囲という問題を解決するためではないが、受信ビームの新しいセットを変更するためである場合、ＰＣセットパラメータの１つのセットのみが提供される場合において、基地局は、ｆ（ｉ）をクリアする必要があり得る。
【０２９７】
ＰＣセットパラメータの複数のセットの場合、対応するｆ（ｉ）が長期間にわたって維持されない場合、ＵＥは、０であるようにローカル閉ループ電力調節量を設定してもよい。本時間長は、基地局によって事前定義または構成される。
【０２９８】
基地局は、必要に応じて、ゼロであるように対応するＰＣセットＩＤの対応するｆ（ｉ）を設定してもよい。
【０２９９】
ＰＣセットパラメータの複数のセットを設定することの利点は、ＰＣセットＩＤのみがインデックス化のために使用され、パラメータの複数のセットの間の切替を促進することである。オーバーヘッドは、パラメータの完全セットを毎回再構成することと比較して小さい。加えて、パラメータの各セットに関連する閉ループ電力制御パラメータはまた、履歴値を使用してもよい。
（好ましい実施形態２）
【０３００】
アップリンク伝送の電力制御における閉ループ電力制御は、連続性を必要とする、すなわち、ＵＥは、前もって送信された電力に従って、基地局から調節された電力のフィードバックを取得し、新しい伝送の送信電力を調節する。ＮＲビームシナリオでは、ビーム切替が、基地局およびＵＥの通信プロセス中に必要とされる。厳密に言えば、閉ループ電力制御プロセスは、ビームペアリンクを送信および受信するためである。閉ループ電力制御プロセスは、送信または受信ビームが変更されるときに、再び実施される必要がある。しかし、実際には、類似特性を伴ういくつかのビームに関して、閉ループ電力制御のパラメータが、共有および継承されてもよい。
【０３０１】
異なる受信ビームまたは受信ビーム群のために同一のＰＣセットＩＤを構成することによって、基地局は、閉ループ電力制御量が共有されるかどうかを設定してもよい。ｆ（ｉ）がクリアされるように構成される場合、ｆ（ｉ）は、構成前のビーム組み合わせおよび構成後のビーム組み合わせのための継承を有していない。ｆ（ｉ）がクリアされるように構成されない場合、ｆ（ｉ）は、構成前のビーム組み合わせのための継承を有し、構成後のビーム組み合わせは、継承を有する。ＰＣセットＩＤのみが、ＵＥに可視であり得る。基地局がビームを切り替えるかどうかは、ＵＥに対して透過的であり得る。
【０３０２】
本願では、Ｐ０、ＰＬ、およびｆ（ｉ）は、ＰＣセットＩＤによって関連付けられる。ＰＣセットＩＤに対応する実際の基地局ビームまたは基地局ビーム群は、基地局によって自由に選択される。基地局は、異なる方法でＴＲＰおよびＰＣセットＩＤに対応し得る。例えば、異なるＴＲＰが、異なるＰＣセットＩＤに対応するように異なる群に割り当てられる。または、１つのＴＲＰが、複数の群に分割されてもよい、または複数のＴＲＰが、１つの群に設定されてもよい。
【０３０３】
頻繁なビーム切替を要求するシナリオに関して、すなわち、ビームが最初のビーム構成に切り替えられるとき、閉ループ電力制御は、最初のビーム構成の値を継承することが予期され、基地局は、ＵＥのためにＰＣセットパラメータの複数のセットおよび異なるＰＣセットＩＤを構成してもよい。ＵＥは、複数のＰＣセットＩＤのためにローカル閉ループ電力調節量ｆ（ｉ）を別個に維持し、ＰＣセットの中のインジケーション情報に従って、ｆ（ｉ）をクリアするかどうかを決定する。
【０３０４】
基地局は、受信ビーム情報を示し得る、ＤＣＩ等のスケジューリング情報をＵＥに提供する。ＰＬが相互関係を有する場合、ＵＥは、本情報に従ってＰＬを計算するためのダウンリンクＢＰＬリンクを決定することができる。基地局による受信ビーム切替は、ＰＬの変化によって反映され得る。ＤＣＩが受信ビームの情報を明示的に示さない、またはＰＬが相互関係を有していない場合、ＵＥは、ＰＣセットパラメータの中のＰＬ関連情報の構成に従って、ＰＬを計算する。
【０３０５】
基地局の視点から、ｆ（ｉ）をクリアするかどうかは、ＰＬの構成から独立している、またはＰＬの構成とある関係を有し得る、ＰＣセットＩＤに、基地局によって構成される。基地局による、ｆ（ｉ）をクリアするかどうかの決定では、ビームペアの実際の変化もまた、考慮される。ｆ（ｉ）は、ここでは、ＵＥによってローカルで維持される閉ループ電力調節量であり、ＰＣセットＩＤに関連する。
【０３０６】
ＵＥの視点から、ｆ（ｉ）は、送信ビームまたは送信ビーム群毎に異なる。基地局は、ＰＣセットパラメータの２つのセットを構成し、対応するＰＣセットＩＤは、１および２であることが仮定される。ＵＥは、４つのビームを有する。図６に示されるように、ビームＡおよびＢは、１つの群の中にあり、ビームＣは、独立して群である。
【０３０７】
基地局が、ビームＣを使用することによって伝送を実施するようにＵＥに命令するように、アップリンクリソースを構成し、ＰＣセットＩＤが１であることを示すとき、ＵＥは、ビームＣ−＞ＰＣセットＩＤ１のためにローカル閉ループ電力調節量ｆ（ｉ）＿１を維持し、初期値は、０である。送信ビームが不変のままであり、ＰＣセットＩＤが不変のままであるとき、値は、ＴＰＣコマンドに従って更新される。
【０３０８】
ＵＥが送信ビームをビームＢに切り替えるように命令されるとき、ＵＥは、ビームＡ／Ｂ−＞ＰＣセットＩＤ１のためにローカル閉ループ電力調節量ｆ（ｉ）＿２を維持し、初期値は、０である。送信ビームが不変のままであり、ＰＣセットＩＤが不変のままであるとき、値は、ＴＰＣコマンドに従って更新される。
【０３０９】
ＵＥが送信ビームｉをビームＡに切り替えるように命令されるとき、ＵＥは、依然として、ビームＡ／Ｂ−＞ＰＣセットＩＤ１のためにローカル閉ループ電力調節量ｆ（ｉ）＿２を維持し、ＴＰＣコマンドに従って値を更新する。
【０３１０】
ＵＥが送信ビームをビームＣに切り替えるように命令されるとき、ＵＥは、ビームＣに対応するｆ（ｉ）＿１を再有効化し、ＴＰＣコマンドに従って値を更新する。
【０３１１】
基地局が、ビームＣを使用することによって伝送を実施するようにＵＥに命令するように、アップリンクリソースを構成し、ＰＣセットＩＤが２であることを示すとき、ＵＥは、ビームＣ−＞ＰＣセットＩＤ２のためにローカル閉ループ電力調節量ｆ（ｉ）＿３を維持し、初期値は、０である。送信ビームが不変のままであり、ＰＣセットＩＤが不変のままであるとき、値は、ＴＰＣコマンドに従って更新される。
【０３１２】
ＵＥの送信ビームがビームＣであるが、ＰＣセットＩＤが１であることが示されるとき、ＵＥは、ビームＣ−＞ＰＣセットＩＤ１のためにローカル閉ループ電力調節量ｆ（ｉ）＿１を維持し、ＴＰＣコマンドに従って値を更新する。
【０３１３】
基地局は、必要に応じてＰＣセットパラメータを構成することによって、ＵＥの現在の送信ビーム（ペア）に対応するｆ（ｉ）をクリアしてもよい。
【０３１４】
上記の説明は、基地局がＰＣセットパラメータ毎にｆ（ｉ）をクリアするかどうかを設定することである。本方法に加えて、基地局はまた、ＵＥのためのｆ（ｉ）をクリアするかどうかのＵＥレベルインジケーションを構成してもよい。ＵＥがＰＣセットパラメータの複数のセットを伴って構成される場合、ＵＥレベルインジケーションは、ＵＥの全てのＰＣセットＩＤに関して有効である。
【０３１５】
ｆ（ｉ）をクリアするかどうかは、ＰＬセットおよび／またはＰ０再構成等のデフォルトルールを使用することによって決定されてもよく、次いで、対応するｆ（ｉ）が、クリアされる。この場合、ＰＣセットパラメータの中のｆ（ｉ）をクリアするかどうかのインジケーションを構成する必要はない。
【０３１６】
基地局はさらに、インジケーション情報を通して上記のデフォルトルールを有効／無効にしてもよい。デフォルトルールが有効にされるとき、ＰＣセットパラメータの中のｆ（ｉ）をクリアするかどうかを構成する必要はなく、ＰＬセットおよび／またはＰ０は、再構成され、ｆ（ｉ）は、クリアされる。デフォルトルールが無効にされるとき、ＰＣセットパラメータは、ｆ（ｉ）をクリアするかどうかを含んでもよい。
（好ましい実施形態３）
【０３１７】
本願の方法は、ＰＣセットパラメータの１つのセットがＵＥの１つのｆ（ｉ）に対応する、以下の用途シナリオをサポートし得る。
【０３１８】
本シナリオでは、基地局は、上位層シグナリングを通して、ＵＥへのＰＣセットパラメータを構成する。
ＰＣセットパラメータは、以下のうちの少なくとも１つを含む。
【０３１９】
ｆ（ｉ）をクリアするかどうかのインジケーション、
【０３２０】
ＵＥ特有のＰ０の値のうちの少なくとも１つを含む、Ｐ０関連構成、
【０３２１】
ＤＬ  ＲＳリソース、ＣＲＩ、および／またはＳＳ−ブロックインジケーションのうちの少なくとも１つを含む、ＰＬ関連構成、
複数のＤＬ  ＲＳのための組み合わせルール、または
【０３２２】
アップリンクＲＳＲＰ／ＰＬ値。
【０３２３】
上記の項目の具体的意味は、実施形態１に説明される。
【０３２４】
基地局は、物理層シグナリングまたはＭＡＣ  ＣＥを通して、ＵＥのために、ＴＸビームまたはＴＸビーム群等のアップリンク伝送の伝送リソースを示す。
【０３２５】
基地局は、物理層シグナリングまたはＭＡＣ  ＣＥを通して、ＵＥのために、ＲＸビームまたはＲＸビーム群等のアップリンク伝送の受信リソースを示す。
【０３２６】
基地局は、ＭＡＣ  ＣＥまたは物理層シグナリングを通して、ＵＥのためのＴＰＣコマンド（「デルタ」によって表される）を送信する。
【０３２７】
ＵＥは、基地局によって示されるアップリンク伝送の送信ビーム（群）等の伝送リソースのための送信電力を計算する。
【０３２８】
電力計算のために要求されるＵＥ特有のＰ０の値は、ＵＥのために基地局によって構成される、ＰＣ設定パラメータの中のＵＥ特有のＰ０のパラメータの最新の値を使用する。
【０３２９】
ＰＬは、ＵＥのために基地局によって構成される、ＰＣセットパラメータの中の最新のＰＬ関連設定に従って計算される。具体的方法は、実施形態１に説明される。
【０３３０】
ＵＥは、閉ループ電力調節量ｆ（ｉ）をローカルで維持し、基地局によって送信されるデルタに従って、ｆ（ｉ）を更新する。具体的方法は、実施形態１に説明される。
【０３３１】
ＵＥは、上記のＵＥ特有のＰ０の値、ＰＬ、およびｆ（ｉ）を使用し、本アップリンク伝送の送信電力を計算する。
【０３３２】
上記の方法を通して、基地局は、マルチビームモードでアップリンク伝送電力制御を実装してもよい。チャネル変更とともに、基地局は、アップリンク伝送の送信ビーム（群）および／または受信ビーム（群）を変更するかどうかを決定する。
【０３３３】
送信ビーム（群）が変更される場合、基地局は、物理層シグナリングまたはＭＡＣ  ＣＥを通してＵＥに通知する。同時に、基地局は、ＰＣセットパラメータを再構成するかどうかを決定してもよい。ＰＣセットが再構成される場合、基地局はまた、ｆ（ｉ）をクリアするかどうかを決定してもよい。再構成されたＰＣセットパラメータは、Ｐ０関連設定のみを含む、または設定にＰＬ関連設定のみを含む等、パラメータの一部のみを含んでもよい。
【０３３４】
受信ビーム（群）が変化する場合、基地局は、物理層シグナリングまたはＭＡＣ  ＣＥを通してＵＥに通知してもよい、またはＵＥに通知し得ない。同時に、基地局は、ＰＣセットパラメータを再構成するかどうかを決定してもよい。ＰＣセットが再構成される場合、基地局はまた、ｆ（ｉ）をクリアするかどうかを決定してもよい。再構成されたＰＣセットパラメータは、パラメータの一部のみを含んでもよい。
【０３３５】
ＵＥは、最新のＰＣセットパラメータに従って、ローカルｆ（ｉ）をクリアするかどうかを決定し、基地局によって送信されるＴＰＣコマンドに従って、ｆ（ｉ）を調節する。
【表１】
2020529808.tif 000006
【０３３６】
表１に示されるように、閉ループ電力調節のループは、基地局とＵＥとの間にある。
【０３３７】
時間ｔ０では、基地局は、ＰＣセットパラメータの１つのセットを構成する。現在の時間またはある後続の時間では、アップリンク伝送のＴＸビーム（群）１を含む、伝送リソースは、物理層シグナリングまたはＭＡＣ  ＣＥの中で搬送される。ＵＥは、ローカル閉ループ電力調節量ｆ（ｉ）を確立する。基地局は、ここではデルタであると仮定される、ＴＸビーム（群）１のためのＴＰＣコマンドを送信する。ＴＰＣコマンドを受信した後、ＵＥは、ｆ（ｉ）を更新する。
【０３３８】
時間ｔ１では、基地局は、ＴＸビーム（群）を２に変更し、ＰＣセットパラメータを再構成しない。この場合、ＵＥは、以下の動作を実行してもよい。
【０３３９】
ＵＥは、ｆ（ｉ）の履歴値を使用し続け、新しいデルタ値を用いて、本時点でのｆ（ｉ）を更新する。
【０３４０】
代替として、ｆ（ｉ）をクリアするかどうかは、基地局によってＵＥに構成されるｆ（ｉ）のデフォルトルールまたはクリアするルールに従って、決定される。ルールが送信ビームを切り替えることである場合、ｆ（ｉ）は、クリアされ、ｆ（ｉ）の履歴値は、クリアされる。別様に、履歴値は、連続的に使用される。
【０３４１】
時間ｔ２では、基地局は、ＰＣセット２であるようにＰＣセットパラメータを更新する。現在の時間またはある後続の時間では、アップリンク伝送のＴＸビーム（群）３を含む、伝送リソースは、物理層シグナリングまたはＭＡＣ  ＣＥの中で搬送される。ＵＥは、ＰＣセット２の中のｆ（ｉ）をクリアするかどうかのインジケーションに従って、ｆ（ｉ）を動作させる。代替として、ｆ（ｉ）をクリアするかどうかのインジケーションが、ＰＣセット２の中にない場合、ＵＥは、基地局によってＵＥに構成されるｆ（ｉ）のデフォルトルールまたはクリアするルールに従って、ｆ（ｉ）をクリアするかどうかを決定してもよい。
【０３４２】
時間ｔ３では、基地局は、伝送リソースをＴＸビーム（群）２に変更し、ＵＥの動作は、時間ｔ１におけるものに類似する。
【０３４３】
ＵＥは、上記の説明におけるローカル閉ループ電力調節量ｆ（ｉ）を維持する。ＴＸビーム（群）が、ＭＩＭＯマルチフロー伝送をサポートし、対応する複数のストリームが、独立電力制御をサポートするとき、ＵＥは、ループ毎に、対応するＴＸビーム（群）の中のＭＩＭＯストリームの数のｆ（ｉ）を維持するべきである。上記のＭＩＭＯマルチフロー伝送は、マルチ伝送ブロック（ＴＢ）伝送を指す。ＴＸビーム（群）がＭＩＭＯ多層伝送をサポートし、独立階層電力制御をサポートするとき、ＵＥは、ＰＣ設定ループ毎に、対応するＴＸビーム（群）の中のＭＩＭＯストリームの数のｆ（ｉ）を維持するべきである。
（好ましい実施形態４）
【０３４４】
本願の好ましい実施形態は、ＰＣセットパラメータのＮ個のセットが、同時に送信されるＮ個のＴＸビーム（群）およびＵＥのＮ個のｆ（ｉ）に対応する、以下の用途シナリオをサポートし得る。Ｎは、１を上回るまたはそれに等しい整数である。
【０３４５】
基地局およびＵＥは、最大でも、Ｎ個の閉ループ電力調節ループをサポートする。各ループは、ＰＣセットＩＤおよびＵＥのローカル閉ループ電力調節量ｆ（ｉ）に対応する。対応して、ＵＥのために基地局によって送信されるＴＰＣコマンドは、それぞれ、Ｎ個のループに対応する、最大でＮ個のデルタ調節量を含む。ループは、ＰＣセットＩＤに対応するが、ＰＣセットパラメータは、必要に応じて基地局によって決定されてもよい、すなわち、同一のＰＣセットＩＤは、異なるコンテンツを有するＰＣセットパラメータを伴って構成されてもよい。ループは、必要に応じて基地局によって構成される、異なる時間における異なるＴＸビーム（群）に対応し得る。
【０３４６】
ループの概念が、説明の便宜上、ここで使用される。実際のシステムでは、本実施形態におけるループ番号は、ＰＣセットＩＤによって置換され得る。
【０３４７】
本シナリオでは、基地局は、上位層シグナリングを通して、ＵＥへのＰＣセットパラメータのＮ個のセットを構成する。
ＰＣセットパラメータの各セットは、以下のうちの少なくとも１つを含む。
【０３４８】
ＰＣセットＩＤ、
【０３４９】
ｆ（ｉ）をクリアするかどうかのインジケーション、
【０３５０】
ＵＥ特有のＰ０の値のうちの少なくとも１つを含む、Ｐ０関連構成、
【０３５１】
ＤＬ  ＲＳリソース、ＣＲＩ、および／またはＳＳ−ブロックインジケーションのうちの少なくとも１つを含む、ＰＬ関連構成、
複数のＤＬ  ＲＳのための組み合わせルール、または
【０３５２】
アップリンクＲＳＲＰ／ＰＬ値。
【０３５３】
上記の項目の具体的意味は、実施形態１に説明される。
【０３５４】
基地局は、物理層シグナリングによって、ＵＥのために、ＴＸビーム群等のアップリンク伝送の伝送リソースを示す。本シナリオでは、Ｎ個のＴＸビーム（群）が、示される必要があり、これらＮ個のＴＸビーム（群）は、同時に送信される。
【０３５５】
基地局は、物理層シグナリングによって、ＵＥのために、ＲＸビーム（群）等のアップリンク伝送の受信リソースを示す。本シナリオでは、基地局は、それぞれ、Ｎ個のＴＸビーム（群）のための対応するＲＸビーム（群）を示してもよい。対応するＲＸビーム（群）の数は、Ｎに等しい、それ未満である、またはそれを上回り得る。
【０３５６】
ＰＣセットパラメータとＴＸビーム（群）との間の関連関係は、実施形態１の関連説明に説明される。
【０３５７】
基地局は、物理層シグナリングを通して、ＵＥのためのＴＰＣコマンドデルタを送信する。デルタは、それぞれ、Ｎ個のＴＸビーム（群）に対応する、Ｎ個の電力調節コマンドを含む。
【０３５８】
ＵＥは、基地局によって示されるアップリンク伝送のＮ個の送信ビーム（群）等のＮ個の伝送リソース毎に、送信電力を計算する。上記の説明によると、各ビーム（群）に対応するＰＣセットパラメータが、決定される。次いで、ＵＥの送信ビーム（群）毎の送信電力は、実施形態３に説明される方法に従って計算される。
【０３５９】
上記の方法を通して、基地局は、マルチビームモードでアップリンク伝送電力制御を実装し、複数のビームの同時アップリンク伝送をサポートし、独立電力制御を実装してもよい。チャネル変更とともに、基地局は、アップリンク伝送の送信ビーム（群）および／または受信ビーム（群）を変更するかどうかを決定する。ＰＣセットパラメータのＮ個のセットが並行しているため、基地局は、パラメータの各セットの構成を独立して更新してもよい。異なる時間に、基地局は、同一のＰＣセットＩＤに対応するＰＣセットが同一の受信ビーム（群）に対応するかどうかを決定する。すなわち、同一のＰＣセットＩＤが基地局の異なる受信ビーム（群）に対応することがサポートされる。
【０３６０】
基地局は、チャネル変更に従って、ＰＣセットパラメータとＴＸビームとの間の対応を更新する。Ｎ個のＰＣセットＩＤは、それぞれ、Ｎ個のＴＸビーム（群）に対応する。Ｎ個のＰＣセットＩＤは、それぞれ、Ｎ個のＴＸビーム（群）に対応することが、サポートされる。また、Ｎ個の異なるＰＣセットＩＤの一部は、同一のＰＣセットパラメータに対応する、またはＮ個のＰＣセットＩＤに対応するＮ個のＴＸビーム（群）の一部は、同一であることもサポートされる。
【０３６１】
基地局は、Ｎ個のＰＣセットＩＤが、それぞれ、Ｎ個のＴＸビーム（群）に対応し、ＵＥが、ＰＣセットＩＤおよびＴＸビーム（群）のＮ個の組み合わせのために、Ｎ個のローカル閉ループ電力調節量ｆ（ｉ）＿１，…ｆ（ｉ）＿Ｎを維持する必要があることをサポートする。各ｆ（ｉ）＿ｎ（ｎは１〜Ｎに及ぶ）は、独立ＰＣセットパラメータに対応し、基地局のＴＰＣコマンドの中のＮ個のデルタに従って更新される。
【０３６２】
基地局およびＵＥは、最大でＮ個のＰＣセットＩＤおよびＴＸビーム（群）の関係構成をサポートする。ある時間にスケジュールされるアップリンク伝送は、同様にサポートされ得る、Ｎ個全てのＴＸビーム（群）を使用し得ない。
【表２−１】
2020529808.tif 000007
【表２−２】
2020529808.tif 000008
【０３６３】
表２に示されるように、Ｎ＝２、すなわち、基地局は、最大で２個のＰＣセットＩＤと２個のＴＸビーム（群）との間の対応を構成する。時間ｔ０では、基地局は、それぞれ、ＰＣセットＩＤ１およびＰＣセットＩＤ２に対応する、ＰＣセットパラメータの２つのセットを構成する。基地局によって構成される、ＰＣセットとＴＸビーム（群）との間の関係は、ＰＣセットＩＤ１がＴＸビーム（群）１（ループ１によって表される）に関連し、ＰＣセット２がＴＸビーム（群）２（ループ２によって表される）に関連することである。アップリンク伝送のＴＸビーム（群）１および２を含む、伝送リソースは、現在の時間または後続の時間にアップリンクスケジューリング情報の中で搬送される。ＵＥは、それぞれ、ループ１およびループ２のためのローカル閉ループ電力調節量ｆ（ｉ）＿ｌｏｏｐ１およびｆ（ｉ）＿ｌｏｏｐ２を確立する。基地局は、ここではデルタ１およびデルタ２であると仮定される、ＴＸビーム（群）１および２のためのＴＰＣコマンドを送信する。ＴＰＣコマンドを受信した後、ＵＥは、それぞれ、ｆ（ｉ）＿ｌｏｏｐ１およびｆ（ｉ）＿ｌｏｏｐ２を更新する。
【０３６４】
時間ｔ１では、基地局は、スケジューリングリソースを変更し、最初のループ２のＴＸビーム（群）２をＴＸビーム（群）３に調節する。この場合、基地局は、最初の（ｉ）＿ｌｏｏｐ２が依然として使用され得るため、ＰＣセットＩＤ２に関連するＰＣセットパラメータが送信されず、ループ２のｆ（ｉ）がクリアされることを考慮する。ＵＥは、ループ２の伝送リソースとしてＴＸビーム（群）３をとり、伝送リソースのための送信電力を計算する。
【０３６５】
時間ｔ２では、基地局は、ＰＣセットＩＤ１および２のＰＣセットパラメータを更新する必要がある。表２に示されるように、コンテンツは、それぞれ、ＰＣセット３およびＰＣセット４であるように更新される。更新の理由は、基地局がＲＸビーム（群）を切り替える、またはＰＬの構成を変更することを決定することであり得る、または理由は、対応するｆ（ｉ）をクリアするかどうかを構成するためにすぎない。本時間後に、ＰＣセットとＴＸビーム（群）との間の関係についての新しい構成がないため、最初の関係構成が、依然として、ＵＥによって使用される。
【０３６６】
時間ｔ３では、基地局は、１つだけのＴＸビーム（群）３をスケジュールすることを決定し、次いで、ＵＥは、ＰＣセットＩＤ２がＴＸビーム（群）３と関連付けられることを決定する。基地局はまた、ＴＰＣコマンドの中で、ＴＸビーム（群）のみのための調節コマンドデルタ１も送信する。ＵＥは、ループ２のｆ（ｉ）を更新する。
（好ましい実施形態５）
【０３６７】
本願の好ましい実施形態は、以下の用途シナリオをサポートし得る。
【０３６８】
ＰＣセットＩＤおよびＴＸビーム（群）識別子は、ループを決定する。ＵＥは、ループ毎に独立ローカル閉ループ電力調節量ｆ（ｉ）を維持する。
【０３６９】
複数のループは、同時に稼働してもよく、基地局は、異なる時間におけるＵＥのアップリンク伝送のために、送信／受信ビーム（群）等の異なる送信および／または受信リソースを構成してもよい。スケジューリング理由に起因して、ビーム切替は、頻繁であり得る。本シナリオでは、前の送信ビーム（群）または受信ビーム（群）に切り替えるとき、対応するｆ（ｉ）もまた、使用されてもよく、他の送信および受信ビーム（群）の閉ループ電力調節コマンドによって変更され得ない。
【０３７０】
本シナリオでは、基地局は、上位層シグナリングを通して、ＵＥへのＰＣセットパラメータの複数のセットを構成する。ＰＣセットパラメータの各セットのコンテンツは、好ましい実施形態４におけるものと同一である。
【０３７１】
基地局は、物理層シグナリングを通して、ＵＥのためのアップリンク伝送の伝送リソースを示す。基地局は、物理層シグナリングを通して、ＵＥのためのアップリンク伝送の受信リソースを示してもよい。具体的詳細は、実施形態４におけるものと同一である。
【０３７２】
ＰＣセットパラメータとＴＸビーム（群）との間の対応関係は、好ましい実施形態４におけるものと同一であり得る、いくつかの方法で構成されてもよい。
【０３７３】
ＵＥは、基地局によって示されるアップリンク伝送の送信ビーム（群）等の複数の伝送リソース毎に送信電力を計算する。上記の説明によると、各ビーム（群）に対応するＰＣセットパラメータが、決定される。次いで、ＵＥの送信ビーム（群）毎の送信電力が、好ましい実施形態３に説明される方法に従って計算される。
【表３】
2020529808.tif 000009
【０３７４】
表３に示されるように、時間ｔ０では、基地局は、それぞれ、ＰＣセットＩＤ１およびＰＣセットＩＤ２に対応する、ＰＣセットパラメータの２つのセットを構成する。基地局によって構成される、ＰＣセットとＴＸビーム（群）との間の関係は、ＰＣセットＩＤ１がＴＸビーム（群）１（ループ１によって表される）に関連し、ＰＣセット２がＴＸビーム（群）２（ループ２によって表される）に関連することである。アップリンク伝送のＴＸビーム（群）１および２を含む、伝送リソースは、現在の時間または後続の時間にアップリンクスケジューリング情報の中で搬送される。ＵＥは、それぞれ、ループ１およびループ２のためのローカル閉ループ電力調節量ｆ（ｉ）＿ｌｏｏｐ１およびｆ（ｉ）＿ｌｏｏｐ２を確立する。基地局は、ここではデルタ１およびデルタ２であると仮定される、ＴＸビーム（群）１および２のためのＴＰＣコマンドを送信する。ＴＰＣコマンドを受信した後、ＵＥは、それぞれ、ｆ（ｉ）＿ｌｏｏｐ１およびｆ（ｉ）＿ｌｏｏｐ２を更新する。
【０３７５】
時間ｔ１では、基地局は、それぞれ、ＰＣセットＩＤ３およびＰＣセットＩＤ４に対応する、ＰＣセットパラメータの２つのセットを構成する。基地局によって構成される、ＰＣセットとＴＸビーム（群）との間の関係は、ＰＣセットＩＤ３がＴＸビーム（群）３（ループ３によって表される）に関連し、ＰＣセット４がＴＸビーム（群）４（ループ４によって表される）に関連することである。アップリンク伝送のＴＸビーム（群）３および４を含む、伝送リソースは、現在の時間または後続の時間にアップリンクスケジューリング情報の中で搬送される。ＵＥは、それぞれ、ループ３およびループ４のためのローカル閉ループ電力調節量ｆ（ｉ）＿ｌｏｏｐ３およびｆ（ｉ）＿ｌｏｏｐ４を確立する。基地局は、ここではデルタ１およびデルタ２であると仮定される、ＴＸビーム（群）３および４のためのＴＰＣコマンドを送信する。ＴＰＣコマンドを受信した後、ＵＥは、それぞれ、ｆ（ｉ）＿ｌｏｏｐ３およびｆ（ｉ）＿ｌｏｏｐ４を更新する。
【０３７６】
時間ｔ２では、基地局は、ＰＣセットＩＤ１および２のＰＣセットパラメータを更新する必要がある。表３に示されるように、コンテンツは、それぞれ、ＰＣセット５およびＰＣセット６であるように更新される。更新の理由は、基地局がＲＸビーム（群）を切り替える、またはＰＬの構成を変更することを決定することであり得る、または理由は、対応するｆ（ｉ）をクリアするかどうかを構成するためにすぎない。基地局はまた、ＰＣセットＩＤ１がＴＸビーム（群）５（ループ５によって表される）に対応する、ＰＣセットＩＤとＴＸビーム（群）との間の対応も更新する。アップリンク伝送のＴＸビーム（群）５および２を含む、伝送リソースは、現在の時間または後続の時間にアップリンクスケジューリング情報の中で搬送される。ＵＥは、ループ５のためのローカル閉ループ電力調節量ｆ（ｉ）＿ｌｏｏｐ５を確立する。基地局は、ここではデルタ１およびデルタ２であると仮定される、ＴＸビーム（群）５および２のためのＴＰＣコマンドを送信する。ＴＰＣコマンドを受信した後、ＵＥは、それぞれ、ｆ（ｉ）＿ｌｏｏｐ５およびｆ（ｉ）＿ｌｏｏｐ２を更新する。
【０３７７】
時間ｔ３では、基地局は、ＰＣセットパラメータを更新することも、ＰＣセットＩＤとＴＸビーム（群）との間の関係を構成することもしていない。アップリンクスケジューリング情報は、伝送リソースがＴＸビーム（群）３および４であり、関連付けられるＰＣセットＩＤが、それぞれ、３および４であることを示す。基地局は、ここではデルタ１およびデルタ２であると仮定される、ＴＸビーム（群）３および４のためのＴＰＣコマンドを送信する。ＴＰＣコマンドを受信した後、ＵＥは、それぞれ、ｆ（ｉ）＿ｌｏｏｐ３およびｆ（ｉ）＿ｌｏｏｐ４を更新する。
（好ましい実施形６）
【０３７８】
基地局は、各ループが、少なくとも、ＰＣセットＩＤと、ＴＸビーム（群）識別子とを含む、ＵＥのための少なくとも１つの閉ループ電力制御ループを構成する。ＵＥは、ループ毎に独立ローカル閉ループ電力調節量ｆ（ｉ）を維持する。
【０３７９】
基地局は、ループを識別するように、ループ毎にループＩＤを構成する。
【０３８０】
閉ループ電力制御ループは、上位層シグナリングまたはＭＡＣ  ＣＥまたは物理層シグナリングを通して、構成されてもよい。
【０３８１】
基地局がＵＥのためのアップリンク伝送のビーム（群）を切り替えることを決定するとき、送信ビームのみが切り替えられ、基地局側の対応するＰＣセット構成が変更されない、すなわち、ＰＣセットＩＤが不変のままであると仮定される。基地局は、２つのモードを有する。第１のモードは、最初のＰＣセットＩＤと、新しいＴＸビーム（群）ＩＤとを含む、付加的ループが構成されるものである。第２のモードは、最初のループ構成を更新し、ＴＸビーム（群）ＩＤを新しいものに更新することである。第１のモードの特性は、ＴＸビーム（群）が変更されるとき、異なるＴＸビーム（群）が独立閉ループ電力調節パラメータを有することである。送信ビーム（群）が切り替えられるシナリオに関して、最初のＴＸビーム（群）への切替はまた、本構成の閉ループ電力調節パラメータを使用してもよい。第２のモードの特性は、新しいループ構成を追加することなく、ＴＸビーム（群）のみが変更され、変更前のＴＸビーム（群）および変更後のＴＸビーム（群）がｆ（ｉ）の履歴記録を共有し得ることである。
【０３８２】
基地局がＵＥのためのアップリンク伝送のためのビーム（群）を切り替えることを決定するとき、ＵＥのＴＸビーム（群）を変更することなく、受信ビーム（群）のみが切り替えられると仮定して、基地局は、以下のモードを有する。第１のモードは、ＰＣセットパラメータのセットを再構成するステップと、新しいＰＣセットＩＤを用いてセットを識別するステップと、新しいループを追加するステップと、新しいループＩＤを用いてループを識別するステップと、ＰＣセットＩＤと最初のＴＸビーム（群）との間の関連関係を構成するステップとを含む。第２のモードは、ループの構成を不変に保ち、ＰＣセットＩＤに対応するＰＣセットパラメータのコンテンツのみを更新するステップを含む。第３のモードは、特別な構成または通知を要求しないステップと、依然として、最初のＰＣセットＩＤに対応するＰＣセットパラメータを使用するステップとを含む。第１のモードの特性は、異なる受信ビーム（群）が独立閉ループ電力調節パラメータに対応することである。受信ビーム（群）が頻繁に切り替えられるシナリオに関して、最初のＲＸビーム（群）への切替もまた、本構成の閉ループ電力調節パラメータを使用してもよい。第２のモードの特性は、異なる受信ビーム（群）が、おそらく、変化の前および後のＲＸビーム（群）のｆ（ｉ）の履歴記録値を共有することである。第３のモードの特性は、異なる受信ビーム（群）が、変化の前および後のＲＸビーム（群）のｆ（ｉ）の履歴記録値を共有し得ることである。
【０３８３】
基地局がＵＥのためのアップリンク伝送のビーム（群）を切り替えることを決定するとき、送信および受信ビームが両方とも変更される必要があると仮定される。基地局は、以下のモードを有する。第１のモードは、新しいＴＸビーム（群）と、新しい受信ビーム（群）とを含む、新しいループ構成を追加することである。第２のモードは、新しいＴＸビーム（群）および新しい受信ビーム（群）に対応するＰＣセットＩＤを含む、最初のループ構成を更新することである。新しい受信ビーム（群）に対応するＰＣセットＩＤは、構成される、または新たに構成されてもよい。第１のモードの特性は、閉ループ電力パラメータが、それぞれ、変更前のビーム構成および変更後のビーム構成に関して維持され、最初の送信および受信ビーム（群）構成に切り替えるときに、閉ループ電力パラメータが履歴値を使用し得ることである。第２のモードの特性は、変更前のビーム構成および変更後のビーム構成が、おそらく、閉ループ電力パラメータを共有することである。
（好ましい実施形態７）
【０３８４】
全ての上記の好ましい実施形態では、ＵＥは、ループ毎にｆ（ｉ）を維持する。長期間にわたって更新されていないループに関して、期間満了機構が、存在するべきである、すなわち、本ループのｆ（ｉ）は、クリアされる、または無効な値に構成される。ループの期間満了機構は、以下の様式のうちの少なくとも１つを採用してもよい。
【０３８５】
基地局は、ＵＥのための時間量を構成する。ＵＥが、本時間量内の基地局によって示される動作に従ってループのｆ（ｉ）を更新しない場合、ＵＥは、ループのｆ（ｉ）をクリアする、またはそれを無効な値としてマークする。更新はまた、基地局によって送信されるＰＣセットの中のｆ（ｉ）をクリアするかどうかによってトリガされる、またはｆ（ｉ）をクリアすることに応じてＵＥのために基地局によって構成される条件によってトリガされ得る、クリアする動作も含む。
【０３８６】
基地局は、各ループの有効期限を制御する。いったんループが、ある時間周期にわたって、または基地局側で更新されていない、ダウンリンク送信および／またはアップリンク受信のためのビームの構成が、同一のＣＲＩに関して置換されている、または他の理由が、基地局に、あるループがその履歴記録値を使用するべきではないと考慮させると、基地局が伝送のために本ループを再有効化するとき、基地局は、ＰＣセットパラメータをＵＥに送信し、ｆ（ｉ）をクリアするかどうかのインジケーションを「はい」に設定する。
【０３８７】
ＵＥは、上記に説明される全ての実施形態では、ループ毎にローカル閉ループ電力調節量ｆ（ｉ）を維持する。ＴＸビーム（群）がＭＩＭＯマルチフロー伝送をサポートし、対応する複数のストリームが独立電力制御をサポートするとき、ＵＥは、ＰＣセットループ毎に、対応するＴＸビーム（群）の中のＭＩＭＯストリームの数のｆ（ｉ）を維持するべきである。上記のＭＩＭＯマルチフロー伝送は、マルチ伝送ブロック（ＴＢ）伝送を指す。ＴＸビーム（群）がＭＩＭＯ多層伝送をサポートし、独立階層電力制御をサポートするとき、ＵＥは、ＰＣセットループ毎に、対応するＴＸビーム（群）の中のＭＩＭＯストリームの数のｆ（ｉ）を維持するべきである。
（好ましい実施形態８）
【０３８８】
基地局がＵＥのアップリンク伝送をスケジュールするとき、時間周波数リソース、伝送レート、変調およびコーディング方式、およびＭＩＭＯ方法等を含む、多くの要因が、決定される必要がある。受信品質に従って、基地局は、変調およびコーディング方式を改良すること、および送信電力を増加させること等の後続のスケジューリングのために調節される必要がある要因を決定する必要がある。しかしながら、基地局は、ＵＥの現在の送信電力を把握せず、送信電力が改良され得るかどうかを把握しない。したがって、機構が、ＬＴＥにおいて提供される。ＵＥは、現在の送信電力と最大送信電力との間の差異を明確に通知する、電力ヘッドルームレポート（ＰＨＲ）を基地局に送信する。
【０３８９】
ＮＲビームモードでは、ＰＨＲはまた、ビームの変更を考慮する必要もある。上記の実施形態によると、複数の閉ループ電力制御ループが、おそらく、基地局とＵＥとの間に存在し、１つのループに対応する、ＵＥの１つだけのＴＸビーム（群）が、一度にスケジュールされてもよい。代替として、複数のループに対応するＴＸビーム（群）が、スケジュールされてもよく、ループは、異なる時間に異なり得る。複数のＴＸビーム（群）が同時に送信されるとき、各ＴＸビーム（群）の送信電力は、別個に計算されてもよい。実際の送信電力の合計もまた、ＵＥの最大送信電力によって限定される。最大送信電力が全てのＴＸビーム（群）の送信電力の要件を満たすために十分ではないとき、電力削減が、実施されてもよい、またはＴＸビーム（群）の一部の送信が、放棄されてもよい。したがって、報告されたＰＨＲは、複数のＴＸビーム（群）の電力の合計と最大電力との間の差異を合同ＰＨＲとして反映するべきである。単一のＴＸビーム（群）のＰＨＲもまた、基地局スケジューリングのために有用である。したがって、複数のループが同一の伝送に使用される場合に関して、ＰＨＲ報告が、ループ毎に独立して実施されてもよい、または１つのＰＨＲが、複数のループに関して報告されてもよい、または両方が提供される。
【０３９０】
ＵＥのために基地局によって構成されるＰＨＲ報告モードは、以下のモードのうちの１つである。第１のモードは、ループ毎にＰＨＲを別個に報告することである。第２のモードは、複数のループのためのＰＨＲをともに報告することである。第３のモードは、複数のループのための合同ＰＨＲ、および複数のループ毎に独立ＰＨＲを報告することである。
【０３９１】
代替として、ＵＥのために基地局によって構成されるＰＨＲ報告モードは、以下のモードのうちの１つである。第１のモードは、ＴＸビーム（群）毎にＰＨＲを別個に報告することである。第２のモードは、ＵＥの同一のスケジューリング時間に全てのＴＸビーム（群）のためのＰＨＲを合同で報告することである。第３のモードは、統一スケジューリング時間に全てのＴＸビーム（群）のための合同ＰＨＲ、およびＴＸビーム（群）毎に独立ＰＨＲを報告することである。
【０３９２】
ＰＨＲがループ毎またはＴＸビーム（群）毎に独立して報告され、電力が計算されるとき、ループに対応するＴＸビーム（群）または基地局によって示されるＴＸビーム（群）のみが、送信電力を独占的に占有すると仮定される。
【０３９３】
複数のループまたは複数のＴＸビーム（群）のための合同ＰＨＲが報告されるとき、複数のループに対応する複数のＴＸビーム（群）または基地局によって示される複数のＴＸビーム（群）の送信電力は、電力が計算されるときに考慮される必要があり、報告する合同ＰＨＲとして、ＵＥの最大送信電力と合計との間の差異がある。
【０３９４】
ＰＨＲがループ毎に独立して報告されるとき、ＰＨＲのトリガ条件は、以下、すなわち、ループのＰＬ変化が、事前定義された閾値を超える、ループの構成が、変化する、または基地局が、ループに対応するＰＣセットＩＤのＰＣセットパラメータを再構成する、またはループに対応するｆ（ｉ）が、故障に加えた理由によりクリアされる、ループの構成が、変化する、または基地局が、ループに対応するＰＣセットＩＤのＰＣセットパラメータを再構成する、またはループに対応するｆ（ｉ）が、故障に加えた理由によりクリアされる、およびＰＨＲと前もって報告されたＰＨＲとの間の差異が、上記の条件に起因して、事前定義された閾値を上回る、ループの構成が、変化する、または基地局が、ループに対応するＰＣセットＩＤのＰＣセットパラメータを再構成する、またはループに対応するｆ（ｉ）が、故障に加えた理由によりクリアされる、およびＰＨＲが、上記の条件に起因して、０、０未満、または事前定義された閾値未満にされる、のうちの少なくとも１つを含む。
【０３９５】
上記の条件は、他の条件と組み合わせて有効になり得る。例えば、ＰＨＲ報告間隔は、事前定義された時間量未満であることはできない。
【０３９６】
ＰＨＲが複数のループ（ループ群と呼ばれる）に関して合同で報告されるとき、ＰＨＲのトリガ条件は、以下、すなわち、最後に報告されたループ群の合同ＰＨＲに対して、ループ群の中の全てのループのＰＬ変化量の合計が、事前定義された閾値を超える、ループ群の中の少なくとも１つのループの構成が、変化する、または基地局が、ループ群の中の少なくとも１つのループに対応するＰＣセットＩＤのＰＣセットパラメータを再構成する、またはループ群の中の少なくとも１つのループに対応するｆ（ｉ）が、故障に加えた理由によりクリアされる、ループ群の中の少なくとも１つのループの構成が、変化する、または基地局が、ループ群の中の少なくとも１つのループに対応するＰＣセットＩＤのＰＣセットパラメータを再構成する、またはループ群の中の少なくとも１つのループに対応するｆ（ｉ）が、故障に加えた理由によりクリアされる、および合同ＰＨＲと前もって報告された合同ＰＨＲとの間の差異が、上記の条件に起因して、事前定義された閾値を上回る、ループ群の中の少なくとも１つのループの構成が、変化する、または基地局が、ループ群の中の少なくとも１つのループに対応するＰＣセットＩＤのＰＣセットパラメータを再構成する、またはループ群の中の少なくとも１つのループに対応するｆ（ｉ）が、故障に加えた理由によりクリアされる、およびＰＨＲが、上記の条件に起因して、０、０未満、または事前定義された閾値未満にされる、のうちの少なくとも１つを含む。
【０３９７】
上記の条件は、他の条件と組み合わせて有効になり得る。例えば、ＰＨＲの報告間隔は、事前定義された時間量未満であることはできない。
【０３９８】
ループ毎にＰＨＲを独立して報告する場合に関して、各ループは、プロセスを維持する必要があり、トリガ条件が別個に満たされるかどうかを決定する。
【０３９９】
複数のループのためのＰＨＲを合同で報告する場合に要求されるプロセスの数は、基地局によって示される必要がある。受信および／または送信ビーム（群）の間で頻繁に切り替える、すなわち、異なるループ群の間で切り替えるという要件が提供される場合、ＰＨＲプロセスは、異なるループ群に関して独立して維持される必要がある。別様に、異なるループが切り替えられるとしても、同一のプロセスのみが、ＰＨＲの報告を維持するために使用される。したがって、基地局は、以下のモードでＵＥのためのＰＨＲ報告プロセスを示す。
【０４００】
１つのＰＨＲプロセスに関して、基地局によって構成されるＰＨＲプロセスの数は、１である。
【０４０１】
複数のＰＨＲプロセスに関して、基地局は、ＰＨＲプロセスの数を構成し、各ＰＨＲプロセスの識別子およびループＩＤを示す。
【０４０２】
ＵＥは、構成に従って、ＰＨＲプロセス毎にトリガ条件に関連する決定およびパラメータ更新を維持する。
【０４０３】
ＰＨＲプロセスの数が１であるとき、ＵＥは、全てのアクティブ化されたループがＰＨＲプロセスに属することをデフォルトで設定する。
【０４０４】
ＰＨＲプロセスの数が１を上回るとき、ＵＥによって報告されるＰＨＲは、少なくとも、ＰＨＲプロセス識別子、合同ＰＨＲ、合同ＰＨＲに対応するループＩＤのうちの１つを搬送する。
【０４０５】
報告されたＰＨＲが複数のループの合同ＰＨＲおよび各ループの独立ＰＨＲであるとき、トリガ条件は、複数のループの合同ＰＨＲのトリガ条件を使用する。ＰＨＲ情報は、合同ＰＨＲおよび別個のループのＰＨＲを搬送する。
【０４０６】
ループに対応する受信および送信ビーム（群）は、チャネル変更に従って変化し得る。加えて、（ＰＨＲプロセスによって構成されるループセットのサブセットに属する）異なる時間に同一のＰＨＲプロセスに関して有効化されるループセットは、異なり得、合同ＰＨＲの計算は、現在スケジュールされているループに基づくべきである。
【０４０７】
合同ＰＨＲを伴って報告される別個のループＰＨＲの計算は、他のループのＴＸビーム（群）が送信されないと仮定する必要がある。
【０４０８】
合同ＰＨＲを伴って報告される別個のループＰＨＲの一部に含まれるループは、合同ＰＨＲ計算で使用されるループセット、またはＰＨＲプロセスによって構成されるループセット全体と同一である。
【０４０９】
実際のアップリンク伝送がなく、ＰＨＲ報告も必要とされるとき、報告されたＰＨＲ計算は、送信および受信ビーム（群）が最後に正常に伝送されたアップリンクのビーム構成と同一であることに基づくべきである。
（好ましい実施形態９）
【０４１０】
好ましい実施形態は、別の電力制御アーキテクチャを説明する。
【０４１１】
１．基地局は、ＵＥのための少なくとも１つのＰＣ設定パラメータを構成または再構成する。各ＰＣ設定パラメータは、異なるサービス、異なる波形構成、異なる数秘術構成、および異なるビームリソース構成等の異なる用途シナリオに対応する。
各ＰＣ設定パラメータは、以下のうちの少なくとも１つを含む。
【０４１２】
ＰＣ設定識別子；
【０４１３】
セル特有のＰ０およびＰＣＭＡＸ等のセル特有の構成パラメータ、
【０４１４】
ＰＣＭＡＸのバックオフ値等の波形特有の構成パラメータ、
数秘術等の数秘術特有の構成パラメータ、すなわち、物理層フレームの構成に関連する電力制御パラメータ、または
【０４１５】
トラフィックに関連する電力制御パラメータ等のトラフィック特有の構成パラメータ。
ＰＨＲ関連構成パラメータは、以下のうちの少なくとも１つを含む。
【０４１６】
ＰＨＲスイッチ、
【０４１７】
ＰＨＲ報告周期、
【０４１８】
最小ＰＨＲ報告間隔、
ＰＬ変化量閾値、または
【０４１９】
ＰＨＲのタイプ。
【０４２０】
ＰＨＲのタイプは、電力ヘッドルームが計算される方法を決定するために使用される。
【０４２１】
ＰＬ変化量閾値は、ＰＨＲをトリガするための１つの条件である、現在のＰＬと最後のＰＨＲ報告で使用されたＰＬとの間の差異が十分に大きいかどうかを決定するために使用される。
少なくとも１つのＰＣセットが、提供され、各ＰＣセットは、以下のうちの少なくとも１つを含む。
【０４２２】
ＰＣセット識別子、
【０４２３】
ｆ（ｉ）をクリアするかどうかのインジケーション、
【０４２４】
ＵＥ特有のＰ０の値のうちの少なくとも１つを含む、ＵＥ特有のＰ０の値の関連構成、
【０４２５】
ＤＬ  ＲＳリソース、ＣＲＩ、および／またはＳＳ−ブロックインジケーションのうちの少なくとも１つを含む、ＰＬ関連構成、
【０４２６】
複数のＤＬ  ＲＳのための組み合わせルール、
アップリンクＲＳＲＰ／ＰＬ値、または
【０４２７】
ＳＲＩ等のＵＬ  ＲＳリソース、またはＣＲＩ等のＤＬ  ＲＳリソースのうちの少なくとも１つを含む、アップリンク伝送リソース設定。
【０４２８】
ＵＥ特有のＰ０の値関連設定およびＰＬ関連設定は、実施形態１に説明されるものと同一である。
【０４２９】
ＰＣセット識別子は、１つを上回るＰＣセットに関して有効であり、ＰＣセットを識別するために使用される。
【０４３０】
ｆ（ｉ）は、ＵＥによって維持される閉ループ電力調節量であり、ＵＥは、ＰＣセット毎に１つのｆ（ｉ）を維持する。ＰＣセットの中のＴＸビーム（群）が、ＭＩＭＯマルチフロー伝送をサポートし、複数のストリームのそれぞれの電力制御が、独立して実施されることができるとき、ＵＥは、ＰＣセット毎にｆ（ｉ）を維持するべきであり、ｆ（ｉ）の数量は、対応するＴＸビーム（群）の中のＭＩＭＯストリームの数量に等しい。上記のＭＩＭＯマルチフロー伝送は、マルチ伝送ブロック（ＴＢ）伝送を指す。ＴＸビーム（群）が、ＭＩＭＯ多層伝送をサポートし、独立電力制御をサポートするとき、ＰＣ設定ループ毎にＵＥによって維持されるｆ（ｉ）の数量は、対応するＴＸビーム（群）の中のＭＩＭＯストリームの数量に等しい。
【０４３１】
ｆ（ｉ）をクリアするかどうかの構成は、基地局が、ＰＣセットパラメータ変更に応答して、変更前のｆ（ｉ）を留保するかどうかを選択することを可能にする。
【０４３２】
アップリンク伝送リソース設定は、アップリンクＴＸビーム（群）等のＵＥのアップリンク伝送リソースを示すために使用される。
【０４３３】
ＴＸビーム（群）は、ＳＲＳ（ＳＲＩ）のリソースインジケーション等のＵＬ  ＲＳリソース、またはＣＳＩ−ＲＳ（ＣＲ）のリソースインジケーション等のＤＬ  ＲＳリソースによって識別されてもよい。ＳＲＳリソースインジケーションは、ＳＲＳを前もって送信するために使用されたＵＥ送信ビーム（群）を識別し、ＣＳＩ−ＲＳのリソースインジケーションは、前もって送信されたＣＳＩ−ＲＳに対応する、ＵＥの最良の受信ビーム（群）を識別し、最良の受信ビーム（群）をアップリンク伝送の送信ビーム（群）として受け取る。
【０４３４】
上記の説明は、基地局がＰＣセット毎にｆ（ｉ）をクリアするかどうかを設定することである。本方法に加えて、これはまた、下記に説明される方法のうちの１つであってもよい。
【０４３５】
基地局は、ＵＥのためのｆ（ｉ）をクリアするかどうかのＰＣ設定レベルインジケーションを構成する。ＰＣ設定がＰＣセットパラメータの複数のセットを含む場合、ＰＣ設定レベルインジケーションは、ＰＣ設定の中の全てのＰＣセットに関して有効である。
【０４３６】
基地局は、ＵＥのためのｆ（ｉ）をクリアするかどうかのＵＥレベルインジケーションを構成する。ＵＥがＰＣセットパラメータの複数のセットを伴って構成される場合、ＵＥレベルインジケーションは、ＵＥの全てのＰＣ設定ＩＤの全てのＰＣセットに関して有効である。
【０４３７】
ｆ（ｉ）をクリアするかどうかは、ＰＬ設定および／またはＰ０（セル特有のＰ０またはＵＥ特有のＰ０）再構成等のデフォルトルールを使用することによって決定されてもよく、次いで、対応するｆ（ｉ）が、クリアされる。この場合、ｆ（ｉ）をクリアするかどうかのインジケーションは、ＰＣ設定パラメータのために構成される必要はない。
【０４３８】
基地局は、インジケーション情報を通して上記のデフォルトルールを有効／無効にする。デフォルトルールが有効にされるとき、ＰＣ設定パラメータの中のｆ（ｉ）をクリアするかどうかを構成する必要はなく、ｆ（ｉ）は、ＰＬ設定および／またはＰ０が再構成されるときにクリアされる。デフォルトルールが無効にされるとき、ＰＣ設定パラメータは、ｆ（ｉ）をクリアするかどうかを含んでもよい。
【０４３９】
２．基地局は、ＵＥのためのアップリンク伝送のＰＣ設定パラメータを示す。
【０４４０】
基地局は、ＭＡＣ  ＣＥまたは物理層シグナリングを通して、ＵＥのためのＰＣ設定ＩＤをアクティブ化または非アクティブ化する。
ＰＣ設定ＩＤがアクティブ化されるとき、ＵＥは、ＰＣ設定ＩＤによって識別されるＰＣ設定パラメータを通して、ＵＥのアップリンク伝送の電力制御関連パラメータを決定する。
【０４４１】
代替として、ＵＥは、ＰＣ設定ＩＤを通して、ＵＥのアップリンク伝送の電力制御関連パラメータおよびＴＸビーム（群）等のアップリンク伝送に使用される伝送リソースを決定する。
【０４４２】
アクティブ化されたＰＣ設定ＩＤに関して、基地局は、ＰＣ設定ＩＤの構成が１つ以上の伝送において適用されることを規定してもよい。
【０４４３】
アクティブ化されたＰＣ設定ＩＤに関して、基地局は、その適用ルールを構成してもよく、ＵＥは、ＰＣ設定ＩＤの構成を全ての現在および後続の適格なアップリンク伝送に適用する。適用ルールは、ＰＣ設定ＩＤを使用することによって構成される伝送の特性を指し、ＰＵＣＣＨ、ロングＰＵＣＣＨ、ショートＰＵＣＣＨ、ＰＵＳＣＨ、具体的ＰＵＳＣＨ、具体的タイプのＳＲＳを含む、チャネル／信号カテゴリのうちの少なくとも１つを含んでもよい。
【０４４４】
具体的ＰＵＳＣＨは、具体的時間／周波数リソース上で送信されるＰＵＳＣＨ、または具体的な数の伝送を伴うＰＵＳＣＨ、または異なる数を伴うＰＵＳＣＨを含む、具体的条件を満たすＰＵＳＣＨを指す。
３．基地局は、物理層シグナリングによって伝送電力制御コマンドを動的に送信する。
【０４４５】
ＴＰＣコマンド情報は、１つ以上のＴＸビーム（群）に対応する、１つ以上の電力調節量を含む。ＴＸビーム（群）の数は、現在の伝送の独立電力制御のビーム（群）に関連し、対応するアップリンクＲＸビーム（群）は、ＰＣ設定ＩＤによって暗示的に示される。
【０４４６】
詳細に関しては、実施形態１の関連部分を参照されたい。
【０４４７】
４．ＵＥは、以下の方法を使用して、アップリンク伝送（ＰＵＳＣＨ／ＰＵＣＣＨ／ＳＲＳ）の電力を計算する。
【０４４８】
ＵＥは、上位層情報を受信し、ＰＣ設定パラメータの１つ以上のセットを取得する。
【０４４９】
ＵＥは、物理層シグナリングまたはＭＡＣ  ＣＥの中のＰＣ設定ＩＤに従って、本伝送の電力制御関連パラメータを決定する。
【０４５０】
物理層シグナリングまたはＭＡＣ  ＣＥのスケジューリング情報に従って、またはＰＣ設定ＩＤを通して、ＴＸビーム（群）等の本伝送の伝送リソースが、獲得される。
【０４５１】
ＵＥは、ＰＣ設定パラメータの中のＰＣセットＩＤ毎に、ＵＥ特有のＰ０の値およびＰＬパラメータを設定する。
【０４５２】
ＵＥは、ＰＣセット毎に独立ｆ（ｉ）を維持する。
【０４５３】
ＵＥは、ＴＰＣコマンドを受信し、コマンドをＰＣセットの対応するｆ（ｉ）に適用し、基地局構成に従って、累積様式または非累積様式を採用する。
【０４５４】
ＵＥがＰＣ設定を受信した後、ＰＣ設定がＰＬ関連情報を含む場合、ＰＬ計算のパラメータ構成は、更新される。
【０４５５】
ＰＬ計算のために要求される、可能性として考えられる組み合わせルールおよびＤＬ  ＲＳリソースは、ＰＣ設定ＩＤに従って、上位層によって構成されるＰＣ設定パラメータから取得される。ＴＸビームによって決定される、受信ビームを通したＤＬ  ＲＳの受信において測定されるＰＬは、アップリンク伝送のためのＰＬを計算するための可能性として考えられる組み合わせルールとともに使用される。
【０４５６】
ＵＥは、受信されたＰＣ設定の中のｆ（ｉ）をクリアするかどうかのインジケーションに従って、またはＵＥのために基地局によって構成されるルールに従って、各ＰＣセットのｆ（ｉ）に可能性として考えられるクリアする動作を実施する。
【０４５７】
ＰＬ、Ｐ０、ｆ（ｉ）は、本アップリンク伝送の電力を計算するために使用される。
５．ＵＥは、ＰＨＲを基地局に報告する。
【０４５８】
ＵＥは、アクティブ化されたＰＣ設定ＩＤのための独立ＰＨＲトリガ条件を維持する。トリガ条件が満たされるとき、十分なアップリンクリソースが提供され、ＰＨＲが基地局に報告される。
【０４５９】
代替として、ＵＥは、有効化されたＰＨＲスイッチを用いて、ＰＣ設定ＩＤのための独立ＰＨＲトリガ条件を維持する。トリガ条件が満たされるとき、十分なアップリンクリソースが提供され、ＰＨＲが基地局に報告される。
【０４６０】
実際のアップリンク伝送がないとき、ＵＥは、ＰＣ設定ＩＤによって構成されるパラメータを使用し、ＴＸビーム（群）、Ｐ０、ＰＬ構成、ＰＣＭＡＸ等のＰＨＲ計算によって要求されるパラメータを決定する。
（トリガ条件におけるＰＬ閾値の使用ルールに関して）
【０４６１】
ＵＥは、ＰＣ設定の中のＰＣセット毎にＰＬを計算する。ＰＣ設定に対応するＰＨＲトリガ条件は、以下のうちの少なくとも１つを含む、すなわち、本ＰＣ設定に対応するＰＨＲの最後の報告時間に対して、全てのＰＣセットのＰＬ変化量の合計が、事前定義された閾値、すなわち、ＰＬ変化量閾値を超える。
（好ましい実施形態１０）
【０４６２】
図７は、本願の好ましい実施形態１０によって提供される方法の概略図である。図７に示されるように、ビーム管理（ＢＭ）プロセスでは、基地局およびＵＥは、ビーム訓練を実施し、後続の通信のためにより良好な品質を伴うビームを選択する。アップリンク方向では、基地局は、質測定用参照信号（ＳＲＳ）を送信するようにＵＥを構成する。ＳＲＳは、複数のビームリソース上で伝送される。基地局は、ＳＲＳを測定することによって、ＵＥのための１つまたは複数の最良ビームを候補ビームとして選択してもよい。基地局は、ある様式で候補ビームについての選択結果をＵＥに通知し、これらの候補ビームはまた、グループ化されてもよい。例えば、図７に示されるように、基地局は、ＵＥのための４つの候補ビームセットを選択し、各２つが、１つの群にグループ化される。したがって、基地局によってＵＥに示される候補ビームセットは、ビームＩＤ＃１、ビームＩＤ＃２、ビームＩＤ＃３、ビームＩＤ＃４である。代替として、候補ビームセットはまた、群、すなわち、ビーム群１、ビーム群２の中で示されてもよい。この場合、ビーム群と実際のビームとの間のマッピングは、ＵＥによって決定される。グループ化モードもまた、基地局によって構成されてもよく、ビーム群１は、ビームＩＤ＃１およびビームＩＤ＃２を含み、ビーム群２は、ビームＩＤ＃３およびビームＩＤ＃４を含む。
【０４６３】
要するに、基地局は、ＵＥのために、候補ビームセット、ビーム群セット、および／またはビームセットを構成する。ＵＥは、ビーム群と実際のビームとの間の対応を獲得してもよい。
【０４６４】
候補ビームセットは、現在使用されているビームおよび予備ビームを含む。
【０４６５】
基地局は、別個にＵＥのアップリンク伝送チャネル／信号毎に少なくとも１つの伝送パラメータセットを構成する。
【０４６６】
各伝送パラメータ設定は、少なくとも１つの伝送パラメータセットを含む。伝送パラメータセットは、ＩＤ情報、ＴＸビーム（群）ＩＤ、ＰＬ設定、またはＰ０のうちの少なくとも１つを含む。
【０４６７】
ＴＸビーム（群）ＩＤは、送信ビームまたはビーム群等の示されたＳＲＳの伝送リソースを表す、ＳＲＳリソースインジケーション（ＳＲＩ）であってもよい。ＴＸビーム群ＩＤはまた、上記に説明されるビーム群の概念等の複数のビームセットから成る群も指し得る。
【０４６８】
ＰＬ設定は、ＳＲＳリソース、またはＳＲＳリソース設定、またはＳＲＳリソースセットの中で示されてもよい。ＰＬ設定に含まれるコンテンツは、実施形態１におけるＰＬの説明に説明される。
【０４６９】
Ｐ０は、ビーム関連部分またはＵＥ特有のＰ０部分を指し、その意味は、実施形態１の関連説明に説明される。
【０４７０】
ＩＤ情報は、上記に説明されるパラメータセットの識別子を指す。本情報はまた、論理識別子として使用されてもよく、ＴＸビーム（群）ＩＤは、識別子情報を置換するために使用され、かつインデックス化に使用される。
【０４７１】
各伝送パラメータセットはさらに、ｆ（ｉ）をクリアするかどうかについての情報を含んでもよく、その意味は、実施形態１の関連説明に説明される。
【０４７２】
伝送パラメータセットおよび伝送パラメータ設定の情報は、論理的組み合わせのみであってもよく、実際には、異なるレベルまたは異なるタイプのメッセージの中で配布されてもよい。例えば、ＴＸビーム（群）ＩＤおよびＰＬ設定は、ＳＲＳソースに関連する構成の中にあってもよく、Ｐ０は、ＰＵＳＣＨの伝送パラメータ関連情報の中およびＳＲＳの伝送パラメータ関連情報の中のＰＵＳＣＨを示すＰ０等の伝送に関連するメッセージの中にあってもよい。
【０４７３】
ＵＥのＳＲＳのために基地局によって構成される伝送パラメータ設定の中の情報は、ＰＵＳＣＨおよびＰＵＣＣＨ伝送によって共有されてもよい。
【０４７４】
伝送パラメータ設定は、少なくとも異なる伝送チャネル／信号構成に関するものである。各伝送チャネルおよび信号はまた、複数の伝送パラメータ設定を伴って構成されてもよい。伝送パラメータセットは、候補ビームの全てまたは一部に対応してもよい。
【０４７５】
図７に示されるように、ビーム走査を完了した後、基地局は、２つの群に分割される、４つの候補ビームをＵＥのために決定する。
【０４７６】
基地局は、２つの伝送パラメータセットを含む、ＵＥのための１つのＳＲＳ伝送パラメータ設定を構成する。
【０４７７】
基地局は、２つの伝送パラメータセットをそれぞれ含む、ＵＥのためのＰＵＳＣＨおよびＰＵＣＣＨ伝送パラメータ設定を構成する。２つの伝送パラメータセットは、別個に、ＳＲＳ伝送パラメータ設定の中の２つの伝送セットに対応する。関連関係は、ＩＤ番号またはＴＸビーム（群）番号であってもよい。
【０４７８】
ここで説明を容易にするために、ＩＤが存在し、図７のＩＤ番号および伝送セット番号が提供されると仮定される。ＰＵＳＣＨ伝送パラメータ設定の中のＩＤ＃１によって識別される伝送パラメータセットおよびＳＲＳ伝送パラメータ設定の中のＩＤ＃１によって識別される伝送パラメータは、ＴＸビーム（群）およびＰＬ設定を共有する。したがって、これら２つのパラメータは、ＰＵＳＣＨ伝送パラメータ設定の中で省略され、図７ではグレーでマークされ得る。ＩＤ＃２も、類似する。
【０４７９】
ＰＵＣＣＨ伝送設定は、ＰＵＳＣＨ伝送設定に類似する。同一のパラメータもまた、同一の伝送セットＩＤまたはＴＸビーム（群）ＩＤを通して共有されてもよい。
【０４８０】
基地局は、ＤＣＩ等の物理層情報を通して、ＵＥの伝送のためにＴＸビーム（群）を構成する。ＵＥは、構成されたＴＸビームと伝送パラメータ設定の中のＴＸビーム（群）との間の関係に従って、伝送パラメータセットを決定し、Ｐ０およびＰＬ設定等の情報を適用する。
【０４８１】
図７に示されるように、ＤＣＩによって示されるＴＸビームＩＤ＃１および＃２は、伝送パラメータ設定の中の伝送セットＩＤ＃１に属し、ＤＣＩによって示されるＴＸビームＩＤ＃３および＃４は、伝送パラメータ設定の中の伝送セットＩＤ＃２に属する。
【０４８２】
ＵＥは、各伝送パラメータ設定の伝送セット毎にローカル電力調節量ｆ（ｉ）を維持し、基地局によって送信される各伝送セットのＴＰＣコマンドに従って、ｆ（ｉ）を更新する。
【０４８３】
基地局によるＰ０の再構成は、対応する伝送パラメータセットに関連するｆ（ｉ）をクリアさせる。
【０４８４】
基地局によるＰＬの再構成は、対応する伝送パラメータセットに関連するｆ（ｉ）をクリアさせる。
（好ましい実施形態１１）
【０４８５】
図８は、本願の好ましい実施形態１１によって提供される方法の概略図である。図８に示されるように、候補ビームセットが変化するとき、基地局は、ＵＥのためのＳＲＳ伝送パラメータ設定を再構成する必要がある。再構成が、伝送パラメータセットの一部のみに関して実施されてもよい一方で、再構成されていない伝送パラメータセットは、最初のパラメータを維持する。
【０４８６】
図８に示されるように、図８の左側の候補ビームと比較して、右側の候補ビームセットでは、ビーム群１のビームは、変更されず、ＰＬ設定およびＰ０もまた、変更されないため、再構成が要求されず、ビーム群２のビームは、変更され、ビーム群２は、候補ビームセットの中になく、ビーム群３は、候補ビームセットの中に選択されるため、基地局は、ＵＥへのビームセット情報を更新する必要がある。
【０４８７】
ＳＲＳ伝送パラメータ設定では、ＩＤ＃１の伝送セットは、再構成される必要がなく、ＩＤ＃２の伝送セットは、再構成される必要がある。
【０４８８】
ＰＵＳＣＨおよびＰＵＣＣＨは、ＳＲＳ伝送パラメータの中のＴＸビーム（群）およびＰＬ設定を共有してもよい。ＰＵＳＣＨおよびＰＵＣＣＨのＰ０は、再構成される必要がある。
【０４８９】
ＩＤ＃２の再構成された伝送パラメータセットが受信されるとき、ＵＥは、ＩＤ＃２のｆ（ｉ）をリセットする、すなわち、処理をクリアする。
（好ましい実施形態１２）
【０４９０】
基地局は、ＵＥのための１つ以上のＰＨＲ設定を構成し、各ＰＨＲ設定は、タイマ、ＰＬ変化閾値、またはＰＨＲプロセスインジケーション、およびＰＨＲプロセス関連構成のうちの少なくとも１つを含む。
【０４９１】
タイマは、例えば、ＰＨＲ報告周期、およびＰＨＲを報告するための最小時間間隔を含む。
【０４９２】
ＰＬ変化閾値に関しては、実施形態８における説明を参照されたい。
【０４９３】
ＰＨＲプロセスインジケーションおよびＰＨＲプロセス関連構成に関して、図９は、本願の好ましい実施形態１２によって提供されるＰＨＲのための関連構成を示す、概略図である。図９に示されるように、ＩＤ＃１は、ＰＨＲプロセス＃１の中で構成され、ＩＤ＃１およびＩＤ＃２は、ＰＨＲプロセス＃２の中で構成される。
【０４９４】
次いで、ＵＥは、ＰＨＲプロセス毎にＰＨＲプロセスを構成し、別個にＰＨＲトリガ条件を維持する。
【０４９５】
ＰＨＲ情報は、ＰＨＲ設定識別情報またはＰＨＲ設定識別情報のうちの少なくとも１つを含む。
【０４９６】
ＰＨＲ設定識別情報は、例えば、ＰＨＲ設定ＩＤである。ＰＨＲ設定ＩＤはまた、伝送パラメータ設定ＩＤと共有されてもよい、すなわち、ＰＨＲが構成されるとき、伝送パラメータ設定ＩＤが識別に使用される。
【０４９７】
伝送パラメータ設定ＩＤの意味は、上記の実施形態におけるものと同一である。
【０４９８】
ＰＨＲ設定識別情報は、例えば、ＰＨＲプロセスＩＤである。
（好ましい実施形態１３）
【０４９９】
基地局は、アップリンク測定結果ＲＳＲＰ／ＰＬをＵＥにフィードバックしてもよい。ＲＳＲＰ／ＰＬ情報を受信した後、ＵＥは、ローカルＰＬを更新し、また、ＰＬ変化量に従ってローカルｆ（ｉ）を更新し、電力調節の一貫性を確実にする必要もある。
【０５００】
ＵＥが基地局によって送信されるＲＳＲＰ／ＰＬ情報を受信する度に、ＲＳＲＰが受信される場合、同等のＰＬが、ＵＥによって前もって送信されたアップリンクＲＳの電力に従って、基地局によってＲＳＲＰ値を測定するために、計算される必要があり、次いで、ＵＥは、ＵＥのローカルＰＬを更新するステップ、および新しいＰＬと更新前のＰＬとの間の差異に従って、ＵＥのローカル閉ループ電力調節量ｆ（ｉ）を更新するステップを実施する。実施例が、下記に挙げられる。
【０５０１】
初期アップリンク伝送中に、基地局は、４０であると仮定されるアップリンク伝送のためのＰＬを送信することが仮定される。この場合、ｆは、０である。いくつかのアップリンク伝送および基地局によって送信される閉ループ電力調節コマンド後に、サブフレームｉにおいて、ＵＥの累積ローカルｆは、ｆ（ｉ）＝４ｄＢである。複数の閉ループ電力調節コマンドは、ＰＬが変更されることを含意するが、基地局は、ＰＬ変化量をＵＥに通知するように付加的情報を送信しなかった。サブフレームｉ＋１では、基地局は、ＰＬを４５に更新するようにＵＥに通知する。この場合、ＵＥは、少なくとも前のＰＬ＋ｆ（ｉ）＝新しいＰＬ＋ｆ（ｉ＋１）、すなわち、４０＋４＝４５＋（−１）であることを確実にする必要がある。したがって、ＵＥがＰＬを調節した後、ｆ（ｉ＋ｎ）は、−１になる。ここで、ｆ（ｉ＋１）は、基地局によって送信されるＴＰＣコマンドを考慮しない。ＴＰＣコマンドが受信される場合、ｆ（ｉ＋ｎ）は、ＴＰＣコマンドの中の電力調節量に従って更新される。
【０５０２】
基地局は、ＰＣ設定パラメータの中のＰＬ関連パラメータを通してＲＳＲＰ／ＰＬ値を設定する。独立して更新されたＰＬを維持することは、ＵＥの送信ビームが同一であり、同一のＰＣ設定ＩＤに対応するという前提で、ＰＵＳＣＨ、ＰＵＣＣＨ、およびＳＲＳ等の複数のチャネルの間でＰＬを共有することにつながる。
（好ましい実施形態１４）
【０５０３】
基地局は、ＵＥのためのＰＬ測定関連パラメータを構成する。ＵＥは、構成されたＤＬ  ＲＳ測定に従って、アップリンクＰＬを計算してもよい。基地局はまた、ＵＥのためのアップリンクＲＳＲＰ／ＰＬを送信し、ＵＥのローカルＰＬを更新してもよい。ＵＥは、基地局から送信されるアップリンクＰＬを受信した後に、ローカルＰＬを更新するべきである。基地局から送信される次のアップリンクＰＬが受信される前に、測定されたダウンリンクＰＬは、ＰＬを更新するための参照として使用される。ＰＬを更新するための２つの方法が、提供される。
【０５０４】
方法ａは、以下の通りである。測定されるＰＬと基地局から送信されるローカルダウンリンクおよびアップリンクＰＬとの間の差異であって、本誤差は、固定されると見なされる。固定された差異は、新しいダウンリンクＲＳ測定によって取得される後続のＰＬを調節するために使用され、後続のＰＬは、アップリンク伝送のためのＰＬパラメータとして使用される。
【０５０５】
方法ｂは、以下の通りである。ＰＬは、基地局によって送信されるアップリンクＰＬおよび後続のダウンリンクＲＳ測定において取得されるＰＬの加重平均を使用することによって更新される。時間が、考慮される。最後の更新に関する時間が長いほど、基地局によって送信されるアップリンクＰＬの加重値が小さくなる。
【０５０６】
方法ａおよびｂの選択は、ＰＣ設定パラメータの中で基地局によって事前定義または構成されてもよい。
【０５０７】
明らかなこととして、本願の上記のモジュールまたはステップはそれぞれ、汎用コンピューティングデバイスによって実装され得、モジュールまたはステップは、単一のコンピューティングデバイス上に集中される、または複数のコンピューティングデバイスから成るネットワーク上に分散され得、代替として、モジュールまたはステップは、モジュールまたはステップが記憶デバイスの中に記憶され、コンピューティングデバイスによって実行可能であり得るように、コンピューティングデバイスによって実行可能なプログラムコードによって実装され得ることが、当業者によって理解される。いくつかの状況では、図示または説明されるステップは、本明細書に説明されるものと異なる順序で実行されてもよい、またはモジュールまたはステップは、別個に種々の集積回路モジュールに作製されてもよい、またはその中の複数のモジュールまたはステップは、実装のための単一の集積回路モジュールに作製されてもよい。このように、本願は、ハードウェアおよびソフトウェアのいかなる具体的な組み合わせにも限定されない。
【０５０８】
上記は、本願の好ましい実施形態にすぎず、本願を限定することを意図しておらず、当業者にとって、本願は、種々の修正および変形例を有し得る。本願の原理内で行われる任意の修正、同等の代用、改良、および同等物は、本願の範囲内に入るはずである。
【図１】
2020529808.tif 000010
【図２】
2020529808.tif 000011
【図３】
2020529808.tif 000012
【図４】
2020529808.tif 000013
【図５】
2020529808.tif 000014
【図６】
2020529808.tif 000015
【図７】
2020529808.tif 000016
【図８】
2020529808.tif 000017
【図９】
2020529808.tif 000018
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
パラメータ構成のための方法であって、前記方法は、
第１の通信ノードのための第１の伝送パラメータセットを構成することであって、前記第１の伝送パラメータセットは、標的受信電力構成情報またはパスロス構成情報のうちの少なくとも１つを備える、ことと、
質測定用参照信号（ＳＲＳ）のリソースインジケーション情報を使用して、物理層シグナリングを通してアップリンク伝送リソースを前記第１の通信ノードに示すことと
を含み、
前記第１の伝送パラメータセットは、前記アップリンク伝送リソースとの関連関係を有し、前記関連関係は、上位層シグナリングによって、前記第１の通信ノードのために構成される、方法。
【請求項２】
前記標的受信電力構成情報は、前記第１の通信ノードに関連する標的受信電力の値を備える、請求項１に記載の方法。
【請求項３】
前記パスロス構成情報は、第１のダウンリンク参照信号リソースのインジケーション情報を備える、請求項１に記載の方法。
【請求項４】
前記第１のダウンリンク参照信号リソースのインジケーション情報は、チャネル状態情報参照信号リソースインジケーションまたは同期化信号ブロックリソースインジケーションのうちの少なくとも１つを備える、請求項３に記載の方法。
【請求項５】
電力決定のための方法であって、前記方法は、
第１の通信ノードによって、アップリンク伝送リソースを含むスケジューリング情報を獲得することと、
少なくとも１つの伝送パラメータセットから、前記アップリンク伝送リソースとの関連関係を有する第１の伝送パラメータセットを決定することであって、前記関連関係は、上位層シグナリングによって、前記第１の通信ノードのために構成され、前記第１の伝送パラメータセットは、標的受信電力構成情報またはパスロス構成情報のうちの少なくとも１つを備える、ことと、
前記決定された第１の伝送パラメータセットに従って、現在のアップリンク伝送の電力を決定することと
を含む、方法。
【請求項６】
前記標的受信電力構成情報は、前記第１の通信ノードに関連する標的受信電力の値を備える、請求項５に記載の方法。
【請求項７】
前記パスロス構成情報は、第１のダウンリンク参照信号リソースのインジケーション情報を備える、請求項５に記載の方法。
【請求項８】
前記第１のダウンリンク参照信号リソースのインジケーション情報は、チャネル状態情報参照信号リソースインジケーションまたは同期化信号ブロックリソースインジケーションのうちの少なくとも１つを備える、請求項７に記載の方法。
【請求項９】
パラメータ構成のためのデバイスであって、前記デバイスは、
第１の通信ノードのための第１の伝送パラメータセットを構成するように構成される構成モジュールであって、前記第１の伝送パラメータセットは、標的受信電力構成情報またはパスロス構成情報のうちの少なくとも１つを備える、構成モジュールと、
質測定用参照信号（ＳＲＳ）のリソースインジケーション情報を使用して、物理層シグナリングを通してアップリンク伝送リソースを前記第１の通信ノードに示すように構成されたインジケーションモジュールと
を備え、
前記第１の伝送パラメータセットは、前記アップリンク伝送リソースとの関連関係を有し、前記関連関係は、上位層シグナリングによって、前記第１の通信ノードのために構成される、デバイス。
【請求項１０】
前記標的受信電力構成情報は、前記第１の通信ノードに関連する標的受信電力の値を備え、前記パスロス構成情報は、第１のダウンリンク参照信号リソースのインジケーション情報を備える、請求項９に記載のデバイス。
【請求項１１】
前記第１のダウンリンク参照信号リソースのインジケーション情報は、チャネル状態情報参照信号リソースインジケーションまたは同期化信号ブロックリソースインジケーションのうちの少なくとも１つを備える、請求項１０に記載のデバイス。
【請求項１２】
電力決定のためのデバイスであって、前記デバイスは、
アップリンク伝送リソースを含むスケジューリング情報を獲得するように構成される獲得モジュールと、
少なくとも１つの伝送パラメータセットから、前記アップリンク伝送リソースとの関連関係を有する第１の伝送パラメータセットを決定するように構成される第１の決定モジュールであって、前記関連関係は、上位層シグナリングによって、前記デバイスのために構成され、前記第１の伝送パラメータセットは、標的受信電力構成情報またはパスロス構成情報のうちの少なくとも１つを備える、第１の決定モジュールと、
１つの決定された第１の伝送パラメータセットに従って、現在のアップリンク伝送の電力を決定するように構成される第２の決定モジュールと
を備える、デバイス。
【請求項１３】
前記標的受信電力構成情報は、第１の通信ノードに関連する標的受信電力の値を備え、前記パスロス構成情報は、第１のダウンリンク参照信号リソースのインジケーション情報を備える、請求項１２に記載のデバイス。
【請求項１４】
前記第１のダウンリンク参照信号リソースのインジケーション情報は、チャネル状態情報参照信号リソースインジケーションまたは同期化信号ブロックリソースインジケーションのうちの少なくとも１つを備える、請求項１３に記載のデバイス。
【請求項１５】
記憶された命令を備える非一過性記憶媒体であって、前記命令は、前記１つ以上のプロセッサによって実行されると、前記１つ以上のプロセッサに、請求項１−８のいずれか１項に記載の方法を実行させる、非一過性記憶媒体。
【手続補正２】
【補正対象書類名】明細書
【補正対象項目名】００６７
【補正方法】変更
【補正の内容】
【００６７】
本願を通して、第１の通信ノードは、少なくとも１つの第１の伝送パラメータセットを伴って構成されるため、第１の伝送パラメータセットは、柔軟に選択され得、それによって、頻繁なビーム切替中に、小さいエアインターフェースシグナリングオーバーヘッドを伴って平滑化された電力制御を達成する。したがって、既存の技術分野内のＮＲマルチビームシナリオにおける電力制御方式の大きいオーバーヘッドという問題が、解決されることができ、エアインターフェースシグナリングオーバーヘッドを低減させるという効果が、達成される。
例えば、本願は以下の項目を提供する
（項目１）
パラメータ構成方法であって、
第１の通信ノードのための少なくとも１つの伝送パラメータ設定セットを構成することを含み、上記伝送パラメータ設定セットは、少なくとも１つの第１の伝送パラメータセットを備え、上記第１の伝送パラメータセットは、上記第１の伝送パラメータセットを識別するための伝送パラメータセット識別子、標的受信電力構成情報、パスロス構成情報、または上記第１の通信ノードによってローカルで維持される閉ループ電力調節量をリセットするかどうかを示すための第１のインジケーション情報のうちの少なくとも１つを備える、方法。
（項目２）
上記標的受信電力構成情報は、上記第１の通信ノードに関連する標的受信電力の値、受信リソースに関連する上記標的受信電力の値、または伝送リソースおよび上記受信リソースの両方に関連する上記標的受信電力の値のうちの少なくとも１つを備える、項目１に記載の方法。
（項目３）
上記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、項目１に記載の方法。
（項目４）
上記処理ルールは、上記複数のパスロス量の同等平均を求めること、上記複数のパスロス量の加重平均を求めること、上記複数のパスロス量の最大値を求めること、または上記複数のパスロス量の最小値を求めることのうちの少なくとも１つを含む、項目３に記載の方法。
（項目５）
上記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、項目３に記載の方法。
（項目６）
以下の情報、すなわち、質測定用参照信号リソース、質測定用参照信号リソースセット、または質測定用参照信号リソース設定のうちの少なくとも１つの中で上記パスロス構成情報を搬送することをさらに含む、項目１に記載の方法。
（項目７）
上記第１の伝送パラメータセットはさらに、上記第１の通信ノードのアップリンク伝送リソースを示すためのアップリンク伝送リソース構成情報を備え、上記アップリンク伝送リソース構成情報は、アップリンク参照信号リソースのインジケーション情報と、第２のダウンリンク参照信号リソースのインジケーション情報とを備える、項目１に記載の方法。
（項目８）
上記伝送パラメータセット識別子または上記アップリンク伝送リソース構成情報は、異なる伝送チャネルまたは異なる信号によって、上記第１の伝送パラメータセットの中のパラメータの全てまたは一部を共有するために使用される、項目７に記載の方法。
（項目９）
上記伝送パラメータ設定セットはさらに、上記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、項目１に記載の方法。
（項目１０）
上記電力ヘッドルームレポート構成パラメータは、電力ヘッドルームレポートスイッチ、電力ヘッドルームレポートのための報告周期、上記電力ヘッドルームレポートのための最小報告間隔、パスロス量変化量閾値、電力ヘッドルームレポート変化量閾値、または上記電力ヘッドルームレポートのタイプのうちの少なくとも１つを備える、項目９に記載の方法。
（項目１１）
上記第１の通信ノードに関して、上記伝送パラメータ設定セットに対応する、上記第１の通信ノードによってローカルで維持される上記閉ループ電力調節量がリセットされるかどうかを示すための第２のインジケーション情報を構成することであって、上記第２のインジケーション情報は、上記伝送パラメータ設定セットの中の全ての第１の伝送パラメータセットに関して有効である、こと、または
上記第１の通信ノードに関して、上記第１の通信ノードに対応する、上記第１の通信ノードによってローカルで維持される上記閉ループ電力調節量がリセットされるかどうかを示すための第３のインジケーション情報を構成することであって、上記第３のインジケーション情報は、上記第１の通信ノードの全ての伝送パラメータ設定セットの中の全ての第１の伝送パラメータセットに関して有効である、こと
のうちの少なくとも１つをさらに含む、項目１に記載の方法。
（項目１２）
所定のルールを使用することによって、上記第１の通信ノードによってローカルで維持される上記閉ループ電力調節量がリセットされるかどうかを決定することをさらに含む、項目１に記載の方法。
（項目１３）
所定のルールを使用することによって、上記第１の通信ノードによってローカルで維持される上記閉ループ電力調節量がリセットされるかどうかを決定することは、
上記第１の伝送パラメータセットを構成するときに、上記第１の伝送パラメータセットに対応する、上記第１の通信ノードによってローカルで維持される上記閉ループ電力調節量をリセットすること、
構成された上記第１の伝送パラメータセットの中の上記標的受信電力構成情報が変化するときに、上記第１の伝送パラメータセットに対応する、上記第１の通信ノードによってローカルで維持される上記閉ループ電力調節量をリセットすること、
上記構成された第１の伝送パラメータセットの中の上記パスロス構成情報が変化するときに、上記第１の伝送パラメータセットに対応する、上記第１の通信ノードによってローカルで維持される上記閉ループ電力調節量をリセットすること、または
上記第１の通信ノードのアップリンク伝送リソースが変化するときに、上記アップリンク伝送リソースに対応する上記第１の通信ノードによってローカルで維持される、上記閉ループ電力調節量をリセットすること
のうちの少なくとも１つを含む、項目１２に記載の方法。
（項目１４）
上記第１の通信ノードのための上記少なくとも１つの伝送パラメータ設定セットを構成した後に、上記方法はさらに、所定の様式で、または上記伝送パラメータ設定セット識別子によって、上記伝送パラメータ設定セットを示すことを含む、項目９に記載の方法。
（項目１５）
上位層シグナリングまたは物理層シグナリングまたは媒体アクセス制御要素を通して、アップリンク伝送リソースを上記第１の通信ノードに示すことをさらに含む、項目１または１４に記載の方法。
（項目１６）
上記アップリンク伝送リソースは、質測定用参照信号（ＳＲＳ）のリソースインジケーション情報またはチャネル状態情報参照信号（ＣＳＩ−ＲＳ）のリソースインジケーション情報のうちの少なくとも１つによって識別される、項目１５に記載の方法。
（項目１７）
上記第１の伝送パラメータセットは、上記アップリンク伝送リソースと関連関係を有する、項目１５に記載の方法。
（項目１８）
上記関連関係は、デフォルト関連関係である、または上記関連関係は、上記物理層シグナリング、上記媒体アクセス制御要素、または上記上位層シグナリングのうちの少なくとも１つによって、上記第１の通信ノードのために構成される、項目１７に記載の方法。
（項目１９）
上記第１の通信ノードのための上記少なくとも１つの伝送パラメータ設定セットを構成した後に、上記方法はさらに、
上記アップリンク伝送リソース、または上記伝送パラメータ設定セットを識別するための伝送パラメータ設定セット識別子を通して、少なくとも１つの構成された伝送パラメータ設定セットを上記第１の通信ノードに示すことを含む、項目７に記載の方法。
（項目２０）
上記少なくとも１つの構成された伝送パラメータ設定セットを上記第１の通信ノードに示した後に、上記方法はさらに、
伝送電力制御コマンドを上記第１の通信ノードに送信することを含み、上記伝送電力制御コマンドは、１つ以上のアップリンク伝送リソースに対応する、１つ以上の電力調節量を備える、項目１または７に記載の方法。
（項目２１）
上記アップリンク伝送リソースの数は、現在の伝送の独立電力制御のアップリンク伝送リソースの数に関連し、上記アップリンク伝送リソースは、伝送パラメータ設定セット識別子によって示される、またはダウンリンク制御情報の中で搬送されるスケジューリング情報によって示される、項目２０に記載の方法。
（項目２２）
上記伝送電力制御コマンドに含まれる電力調節量の数は、以下、すなわち、
上記電力調節量の数は、上記現在の伝送のアップリンク伝送リソースの数に従って決定され、各アップリンク伝送リソースは、１つの電力調節量に対応する、
多入力多出力（ＭＩＭＯ）フロー特有の電力制御の場合、上記電力調節量の数は、上記アップリンク伝送リソースの全ての独立ＭＩＭＯフロー特有の電力制御をサポートする、ＭＩＭＯフローの合計である、または
多入力多出力（ＭＩＭＯ）フロー特有の電力制御の場合、上記電力調節量の数は、上記アップリンク伝送リソースの全ての独立ＭＩＭＯフロー特有の電力制御をサポートする、ＭＩＭＯ層の合計である
のうちの少なくとも１つに従って決定される、項目２０に記載の方法。
（項目２３）
上記第１の通信ノードに関して、上記第１の通信ノードによって電力ヘッドルームレポートを報告する様式を構成することをさらに含み、上記様式は、
上記第１の通信ノードのために構成される閉ループ電力制御のループ毎に上記電力ヘッドルームレポートを別個に報告すること、または
上記第１の通信ノードのために構成される複数のループに関して、上記複数のループの合同電力ヘッドルームレポートを合同で報告すること
のうちの少なくとも１つを含む、項目１に記載の方法。
（項目２４）
上記様式が上記第１の通信ノードのために構成される閉ループ電力制御のループ毎に上記電力ヘッドルームレポートを別個に報告することである場合において、上記電力ヘッドルームレポートを報告するように上記第１の通信ノードをトリガするために構成されるトリガ条件は、以下、すなわち、
規定ループのパスロス量変化が、第１の所定の閾値を超える、
上記規定ループの構成が、変化する、
上記規定ループに対応する電力制御パラメータ識別子の第１の電力制御パラメータが、再構成される、
上記規定ループに対応する上記第１の通信ノードによってローカルで維持される上記閉ループ電力調節量が、故障に起因する場合を除いてリセットされる、
上記電力ヘッドルームレポートと前もって報告された電力ヘッドルームレポートとの間の差異が、第２の所定の閾値を上回る、または
上記電力ヘッドルームレポートが、条件、すなわち、上記電力ヘッドルームレポートが０であること、上記電力ヘッドルームレポートが０未満であること、または上記電力ヘッドルームレポートが第３の所定の閾値未満であることのうちの少なくとも１つを満たす
のうちの少なくとも１つを備える、項目２３に記載の方法。
（項目２５）
上記様式が、上記第１の通信ノードのために構成される複数のループに関して、上記複数のループの合同電力ヘッドルームレポートを合同で報告することである場合において、上記電力ヘッドルームレポートを報告するように上記第１の通信ノードをトリガするために構成されるトリガ条件は、以下、すなわち、
上記複数のループの合同電力ヘッドルームレポートの前の報告時間に対して、上記複数のループのうちの全てのループのパスロス量変化の合計が、第４の所定の閾値を超える、
上記複数のループのうちの少なくとも１つのループの構成が、変化する、
上記複数のループのうちの少なくとも１つのループに関して、対応する電力制御パラメータ識別子の第１の電力制御パラメータが、再構成される、
上記複数のループのうちの少なくとも１つのループに関して、上記第１の通信ノードによってローカルで維持される上記閉ループ電力調節量が、故障に起因する場合を除いてリセットされる、
上記合同電力ヘッドルームレポートと前もって報告された合同電力ヘッドルームレポートとの間の差異が、第５の所定の閾値を上回る、または
上記合同電力ヘッドルームレポートが、条件、すなわち、上記合同電力ヘッドルームレポートが０であること、上記合同電力ヘッドルームレポートが０未満であること、または上記合同電力ヘッドルームレポートが第６の所定の閾値未満であることのうちの少なくとも１つを満たす
のうちの少なくとも１つを備える、項目２３に記載の方法。
（項目２６）
電力決定方法であって、
規定伝送パラメータセット識別子またはスケジューリング情報を獲得することであって、上記スケジューリング情報は、アップリンク伝送リソースを含む、ことと、
事前に提供される少なくとも１つの第１の伝送パラメータセットの中で、上記獲得された規定伝送パラメータセット識別子またはアップリンク伝送リソースに従って、上記アップリンク伝送リソースまたは上記規定伝送パラメータセット識別子に対応する、１つ以上の第１の伝送パラメータセットを決定することであって、上記第１の伝送パラメータセットは、上記第１の伝送パラメータセットを識別するための伝送パラメータセット識別子、標的受信電力構成情報、パスロス構成情報、または上記第１の通信ノードによってローカルで維持される閉ループ電力調節量をリセットするかどうかを示すための第１のインジケーション情報のうちの少なくとも１つを備える、ことと、
上記決定された第１の伝送パラメータセットに従って、現在のアップリンク伝送の電力を決定することと
を含む、方法。
（項目２７）
上記標的受信電力構成情報は、上記第１の通信ノードに関連する標的受信電力の値、受信リソースに関連する上記標的受信電力の値、または伝送リソースおよび上記受信リソースの両方に関連する上記標的受信電力の値のうちの少なくとも１つを備える、項目２６に記載の方法。
（項目２８）
上記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、項目２６に記載の方法。
（項目２９）
上記処理ルールは、上記複数のパスロス量の同等平均を求めること、上記複数のパスロス量の加重平均を求めること、上記複数のパスロス量の最大値を求めること、または上記複数のパスロス量の最小値を求めることのうちの少なくとも１つを含む、項目２８に記載の方法。
（項目３０）
上記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、項目２８に記載の方法。
（項目３１）
上記規定伝送パラメータセット識別子または上記スケジューリング情報を獲得する前に、上記方法はさらに、
少なくとも１つの伝送パラメータ設定セットを獲得することを含み、上記少なくとも１つの伝送パラメータ設定セットは、上記少なくとも１つの第１の伝送パラメータセットを備える、項目２６に記載の方法。
（項目３２）
上記獲得された伝送パラメータセット識別子に従って、事前に提供された少なくとも１つの伝送パラメータセットの中の上記伝送パラメータセット識別子に対応する、１つの伝送パラメータセットを決定する場合、上記第１の伝送パラメータセットはさらに、上記第１の通信ノードのアップリンク伝送リソースを示すためのアップリンク伝送リソース構成情報を備え、上記アップリンク伝送リソース構成情報は、アップリンク参照信号リソースのインジケーション情報と、第２のダウンリンク参照信号リソースのインジケーション情報とを備える、項目３１に記載の方法。
（項目３３）
上記伝送パラメータ設定セットはさらに、上記伝送パラメータ設定セットを識別するための伝送パラメータ設定セット識別子、セル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、項目３１に記載の方法。
（項目３４）
上記電力ヘッドルームレポート構成パラメータは、電力ヘッドルームレポートスイッチ、電力ヘッドルームレポートのための報告周期、上記電力ヘッドルームレポートのための最小報告間隔、パスロス量変化量閾値、電力ヘッドルームレポート変化量閾値、または上記電力ヘッドルームレポートのタイプのうちの少なくとも１つを備える、項目３３に記載の方法。
（項目３５）
１つの決定された第１の伝送パラメータセットに従って、上記現在のアップリンク伝送の電力を決定する前に、上記方法はさらに、
上記伝送パラメータ設定セット識別子または上記スケジューリング情報のうちの少なくとも１つに従って、上記現在の伝送のアップリンク伝送リソースを決定することを含む、項目３４に記載の方法。
（項目３６）
１つの決定された第１の伝送パラメータセットに従って、上記現在のアップリンク伝送の電力を決定する前に、上記方法はさらに、
規定の第１の伝送パラメータセットを獲得することと、
上記獲得された規定の第１の伝送パラメータセットに従って、上記規定の第１の伝送パラメータの伝送パラメータセット識別子に対応する、上記第１の伝送パラメータセットを更新することと
を含む、項目２６に記載の方法。
（項目３７）
上記決定された第１の伝送パラメータセットに従って、上記現在のアップリンク伝送の電力を決定することは、
第１の伝送パラメータセットに関して、上記パスロス構成情報に従って、アップリンク伝送のパスロス量を計算することと、
上記第１の伝送パラメータセットの中で上記第１の通信ノードによってローカルで維持される上記閉ループ電力調節量を維持することと、
上記標的受信電力構成情報、上記アップリンク伝送のパスロス量、および上記第１の通信ノードによってローカルで維持される上記閉ループ電力調節量に従って、上記現在のアップリンク伝送の電力を決定することと
を含む、項目２６に記載の方法。
（項目３８）
上記第１の伝送パラメータセットの中で上記第１の通信ノードによってローカルで維持される上記閉ループ電力調節量を維持することは、
伝送電力制御コマンドを受信することと、
上記伝送電力制御コマンドによって搬送される電力調節量に従って、上記第１の通信ノードによってローカルで維持される上記閉ループ電力調節量を調節することと
を含む、項目３７に記載の方法。
（項目３９）
上記パスロス構成情報に従って、上記アップリンク伝送のパスロス量を計算することは、
上記アップリンク伝送リソースを使用して第１のダウンリンク参照信号リソース上で参照信号ＲＳを受信し、上記参照信号のパスロス値を取得することであって、上記第１のダウンリンク参照信号リソースは、上記パスロス構成情報に含まれる上記第１のダウンリンク参照信号リソースのインジケーション情報によって示される、ダウンリンク参照信号リソースである、ことと、
パスロス構成情報に含まれる複数のパスロス量のための処理ルールに従って、上記測定されたパスロス量を処理し、上記アップリンク伝送のパスロス量を取得することと
を含む、項目３７に記載の方法。
（項目４０）
上記第１の伝送パラメータセットが上記第１のインジケーション情報を備える場合において、上記第１の伝送パラメータセットに含まれる上記第１のインジケーション情報に従って、上記第１の伝送パラメータセットに対応する、上記第１の通信ノードによってローカルで維持される上記閉ループ電力調節量をリセットするかどうかを決定すること、
上記第１の通信ノードのために第２の通信ノードによって構成される所定のルールに従って、上記第１の通信ノードによってローカルで維持される上記閉ループ電力調節量をリセットするかどうかを決定することであって、上記所定のルールは、上記第１の伝送パラメータセットを構成するときに、上記第１の伝送パラメータセットに対応する、上記第１の通信ノードによってローカルで維持される上記閉ループ電力調節量をリセットすること、上記構成された第１の伝送パラメータセットの中の上記標的受信電力構成情報が変化するときに、上記第１の伝送パラメータセットに対応する、上記第１の通信ノードによってローカルで維持される上記閉ループ電力調節量をリセットすること、上記構成された第１の伝送パラメータセットの中の上記パスロス構成情報が変化するときに、上記第１の伝送パラメータセットに対応する、上記第１の通信ノードによってローカルで維持される上記閉ループ電力調節量をリセットすること、または上記第１の通信ノードのアップリンク伝送リソースが変化するときに、上記アップリンク伝送リソースに対応する上記第１の通信ノードによってローカルで維持される、上記閉ループ電力調節量をリセットすることのうちの少なくとも１つを含む、こと
のうちの少なくとも１つをさらに含む、項目２６に記載の方法。
（項目４１）
所定の報告様式で電力ヘッドルームレポートを上記第１の通信ノードに報告することをさらに含み、上記所定の報告様式は、
閉ループ電力制御のループ毎に上記電力ヘッドルームレポートを別個に報告すること、または
複数のループに関して、上記複数のループの合同電力ヘッドルームレポートを合同で報告すること
のうちの少なくとも１つを含む、項目２６に記載の方法。
（項目４２）
上記所定の報告様式が閉ループ電力制御のループ毎に上記電力ヘッドルームレポートを別個に報告することである場合において、上記電力ヘッドルームレポートの報告をトリガするために構成されるトリガ条件は、以下、すなわち、
規定ループのパスロス量変化が、第１の所定の閾値を超える、
上記規定ループの構成が、変化する、
上記規定ループに対応する電力制御パラメータ識別子の第１の電力制御パラメータが、再構成される、
上記規定ループに対応する上記第１の通信ノードによってローカルで維持される上記閉ループ電力調節量が、故障に起因する場合を除いてリセットされる、
上記電力ヘッドルームレポートと前もって報告された電力ヘッドルームレポートとの間の差異が、第２の所定の閾値を上回る、または
上記電力ヘッドルームレポートが、条件、すなわち、上記電力ヘッドルームレポートが０であること、上記電力ヘッドルームレポートが０未満であること、または上記電力ヘッドルームレポートが第３の所定の閾値未満であることのうちの少なくとも１つを満たす
のうちの少なくとも１つを備える、項目４１に記載の方法。
（項目４３）
上記所定の報告様式が、複数のループに関して、上記複数のループの合同電力ヘッドルームレポートを合同で報告することである場合において、上記電力ヘッドルームレポートの報告をトリガするために構成されるトリガ条件は、以下、すなわち、
上記複数のループの合同電力ヘッドルームレポートの前の報告時間に対して、上記複数のループのうちの全てのループのパスロス量変化の合計が、第４の所定の閾値を超える、
上記複数のループのうちの少なくとも１つのループの構成が、変化する、
上記複数のループのうちの少なくとも１つのループに関して、対応する電力制御パラメータ識別子の第１の電力制御パラメータが、再構成される、
上記複数のループのうちの少なくとも１つのループに関して、上記第１の通信ノードによってローカルで維持される上記閉ループ電力調節量が、故障に起因する場合を除いてリセットされる、
上記合同電力ヘッドルームレポートと前もって報告された合同電力ヘッドルームレポートとの間の差異が、第５の所定の閾値を上回る、または
上記合同電力ヘッドルームレポートが、条件、すなわち、上記合同電力ヘッドルームレポートが０であること、上記合同電力ヘッドルームレポートが０未満であること、または上記合同電力ヘッドルームレポートが第６の所定の閾値未満であることのうちの少なくとも１つを満たす
のうちの少なくとも１つを備える、項目４１に記載の方法。
（項目４４）
パラメータ構成デバイスであって、
第１の通信ノードのための少なくとも１つの伝送パラメータ設定セットを構成するように構成される、構成モジュールを備え、上記伝送パラメータ設定セットは、少なくとも１つの第１の伝送パラメータセットを備え、上記第１の伝送パラメータセットは、上記第１の伝送パラメータセットを識別するための伝送パラメータセット識別子、標的受信電力構成情報、パスロス構成情報、または上記第１の通信ノードによってローカルで維持される閉ループ電力調節量をリセットするかどうかを示すための第１のインジケーション情報のうちの少なくとも１つを備える、デバイス。
（項目４５）
上記標的受信電力構成情報は、上記第１の通信ノードに関連する標的受信電力の値、受信リソースに関連する上記標的受信電力の値、または伝送リソースおよび上記受信リソースの両方に関連する上記標的受信電力の値のうちの少なくとも１つを備え、上記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、項目４４に記載のデバイス。
（項目４６）
上記処理ルールは、上記複数のパスロス量の同等平均を求めること、上記複数のパスロス量の加重平均を求めること、上記複数のパスロス量の最大値を求めること、または上記複数のパスロス量の最小値を求めることのうちの少なくとも１つを含む、項目４５に記載のデバイス。
（項目４７）
上記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、項目４５に記載のデバイス。
（項目４８）
上記第１の伝送パラメータセットはさらに、上記第１の通信ノードのアップリンク伝送リソースを示すためのアップリンク伝送リソース構成情報を備え、上記アップリンク伝送リソース構成情報は、アップリンク参照信号リソースのインジケーション情報と、第２のダウンリンク参照信号リソースのインジケーション情報とを備える、項目４４に記載のデバイス。
（項目４９）
上記伝送パラメータ設定セットはさらに、上記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、項目４４に記載のデバイス。
（項目５０）
電力決定デバイスであって、
規定伝送パラメータセット識別子またはスケジューリング情報を獲得するように構成される、獲得モジュールであって、上記スケジューリング情報は、アップリンク伝送リソースを含む、獲得モジュールと、
事前に提供される少なくとも１つの第１の伝送パラメータセットから、上記獲得された規定伝送パラメータセット識別子またはアップリンク伝送リソースに従って、上記規定伝送パラメータセット識別子またはアップリンク伝送リソースに対応する、１つ以上の第１の伝送パラメータセットを決定するように構成される、第１の決定モジュールであって、上記第１の伝送パラメータセットは、上記第１の伝送パラメータセットを識別するための伝送パラメータセット識別子、標的受信電力構成情報、パスロス構成情報、または上記第１の通信ノードによってローカルで維持される閉ループ電力調節量をリセットするかどうかを示すための第１のインジケーション情報のうちの少なくとも１つを備える、第１の決定モジュールと、
１つの決定された第１の伝送パラメータセットに従って、現在のアップリンク伝送の電力を決定するように構成される、第２の決定モジュールと
を備える、デバイス。
（項目５１）
上記標的受信電力構成情報は、上記第１の通信ノードに関連する標的受信電力の値、受信リソースに関連する上記標的受信電力の値、または伝送リソースおよび上記受信リソースの両方に関連する上記標的受信電力の値のうちの少なくとも１つを備え、上記パスロス構成情報は、第１のダウンリンク参照信号リソースのインジケーション情報、複数のパスロス量のための処理ルール、アップリンク参照信号受信電力、またはアップリンクパスロス量のうちの少なくとも１つを備える、項目５０に記載のデバイス。
（項目５２）
上記処理ルールは、上記複数のパスロス量の同等平均を求めること、上記複数のパスロス量の加重平均を求めること、上記複数のパスロス量の最大値を求めること、または上記複数のパスロス量の最小値を求めることのうちの少なくとも１つを含む、項目５１に記載のデバイス。
（項目５３）
上記第１のダウンリンク参照信号リソースのインジケーション情報は、チャネル状態情報参照信号リソースインジケーション、同期化信号ブロックリソースインジケーション、または追跡参照信号リソースインジケーションのうちの少なくとも１つを備える、項目５１に記載のデバイス。
（項目５４）
上記第１の伝送パラメータセットはさらに、上記第１の通信ノードのアップリンク伝送リソースを示すためのアップリンク伝送リソース構成情報を備え、上記アップリンク伝送リソース構成情報は、アップリンク参照信号リソースのインジケーション情報と、第２のダウンリンク参照信号リソースのインジケーション情報とを備える、項目５０に記載のデバイス。
（項目５５）
上記獲得モジュールは、少なくとも１つの伝送パラメータ設定セットを獲得するように構成され、上記伝送パラメータ設定セットは、少なくとも１つの第１の伝送パラメータセットを備える、項目５０に記載のデバイス。
（項目５６）
上記伝送パラメータ設定セットはさらに、上記伝送パラメータ設定セットを識別するための伝送パラメータ設定セット識別子、およびセル特有の標的受信電力、波形特有の最大電力バックオフ値、物理的フレーム構造パラメータに関連する構成パラメータ、サービスタイプ特有の構成パラメータ、または電力ヘッドルームレポート構成パラメータのうちの少なくとも１つを備える、項目５５に記載のデバイス。
（項目５７）
プログラムを実行するように構成されるプロセッサを備える通信ノードであって、実行されると、上記プログラムは、項目１−２５のいずれか１項に記載の方法を実行する、通信ノード。
（項目５８）
プログラムを実行するように構成されるプロセッサを備える通信ノードであって、実行されると、上記プログラムは、項目２６−４３のいずれか１項に記載の方法を実行する、通信ノード。
（項目５９）
記憶されたプログラムを備える記憶媒体であって、上記プログラムは、実行されると、項目１−４３のいずれか１項に記載の方法を実行する、記憶媒体。
（項目６０）
プログラムを実行するように構成される、プロセッサであって、実行されると、上記プログラムは、項目１−４３のいずれか１項に記載の方法を実行する、プロセッサ。
【国際調査報告】
2020529808.tif 000019
2020529808.tif 000020
2020529808.tif 000021
2020529808.tif 000022